(57)【特許請求の範囲】
【請求項１】
内容物を移動案内するための通過作動部を含み、
前記通過作動部は、内容物を移動させる内容物通過手段を含み、
前記通過作動部は、内容物が前記内容物通過手段に接触する側である通過排出側から内容物が進入する側である通過進入側に延長形成される通過通路部を含み、前記通過通路部は、内容物を前記内容物通過手段に移動案内し、
前記通過通路部の下部に内容物を前記通過通路部に流入させる移動案内部を具備し、
前記通過作動部が傾く場合、内容物が前記移動案内部の重力方向の傾斜面に載って前記通過通路部が位置したところに案内されて移動され、
前記内容物通過手段は、回転運動による開放で内容物が通過するようにする通過運動部を含み、
前記通過運動部は、内容物の通過方向に運動して内容物が通過することができる通過空間を形成する開放部材を含み、
前記通過運動部は、前記開放部材に連動して一緒に動作し、需要量の内容物を超過した内容物が、通過空間に侵入することを防止する閉鎖部材を含み、
前記通過運動部は、当該通過運動部の重心によって前記通過作動部が傾く場合に前記通過作動部とともに傾きを抑制するように形成された平衡部を含み、
前記通過運動部は、前記通過作動部が傾いて、前記通過作動部の自重により前記開放部材の回転がなされようとする場合、前記通過運動部の重さ平衡の力の作用により、前記平衡部により、需要量の内容物が上記通過空間に進入するように、前記開放部材の回転運動を抑制する、
ことを特徴とする、通過装置。
【請求項２】
前記通過装置は、内容物移動器具または収容器具に適用され、内容物移動器具または収容器具本体から開閉可能な開閉器具であって、
少なくとも一側に開放されたハウジングを含み、
前記開閉器具は、開閉器具本体と前記通過作動部を含み、
前記通過作動部は、内容物移動器具本体または収容器具本体の保管部の内容物が前記開閉器具に移動するように前記保管部と前記開閉器具が少なくとも一部通じることを特徴とする、請求項１に記載の通過装置。
【請求項３】
内容物が移動して前記開放部材を押圧すると、前記開放部材の反りによって前記開放部材を押圧する内容物が前記通過作動部を通過することを特徴する、請求項１に記載の通過装置。
【請求項４】
前記通過作動部は、内容物を通過させるために開放部を形成する固定部材を含み、
前記開放部材は、固定されていない自由端の移動を通じて前記開放部を開放させることによって前記内容物が通過するように通過空間を形成することを特徴とする、請求項１に記載の通過装置。
【請求項５】
前記通過運動部は、前記通過運動部の重心の平衡の力の作用による前記通過運動部の運動制御のために運動制御部材をさらに含むことを特徴とする、請求項１に記載の通過装置。
【請求項６】
前記通過運動部は、重心によって重さ平衡の力が作用する前記平衡部であり、
前記運動制御部材は、前記通過作動部が傾く場合、前記平衡部の平衡を維持し回転運動が発生するか減少するように抑制し、
前記開放部材と前記運動制御部材の重さまたは前記開放部材、前記運動制御部材および前記開放部材とともに運動する少なくとも一つ以上の別途部材の重さによって、
前記平衡部の重心で重さ平衡の力が作用し重力方向の重心位置を維持しようとする力が発生して、前記開放部材が前記通過作動部の傾きを超過する傾きに傾かないことを特徴とする、請求項５に記載の通過装置。
【請求項７】
前記通過通路部は、前記通過通路部を通過する個々の内容物の一側端部の長さが他側端部の長さと異なる場合、
前記通過通路部の内部空間幅のうち最も小さい内径である通路幅最小内径が、個々の内容物の単方向のうち最も大きい外径である内容物単方向最大外径の二倍より小さいか同じであり、
二個以上の個々の内容物が前記通過通路部に同時に進入または通過することができず、
一回に一個の内容物だけが前記通過通路部に進入または通過するようにすることを特徴とする、請求項１に記載の通過装置。
【請求項８】
前記内容物通過手段の構成部材の少なくとも一部が回転して発生する回転変形時に現れる前記内容物通過手段の変形は、
前記通過運動部の自重と重心によって、内容物の接触前には発生しないか接触前の近接した時点まで遅延され、
前記内容物通過手段の変形は、内容物の自重による接触前には発生せず、前記内容物の自重による接触後に前記通過運動部と前記接触した内容物の自重による回転が動作して発生することを特徴とする、請求項１に記載の通過装置。
【請求項９】
前記開放部材と前記閉鎖部材の間の空間に進入した需要量の内容物が前記開放部材を押圧することによって前記開放部材が前記閉鎖部材とともに回転移動し、
前記回転移動する閉鎖部材が前記開放部材を押圧する前記需要量の内容物を干渉することなく、
前記閉鎖部材は前記需要量の内容物を超過して通過作動部に進入する内容物がある場合、超過する内容物を防ぐことを特徴とする、請求項１に記載の通過装置。
【請求項１０】
前記運動制御部材は、前記開放部材の重さ、または前記開放部材と前記開放部材とともに運動する少なくとも一つ以上の部材の重さに対応して、前記開放部材を含む前記通過運動部の自重による作動を制御する重さと位置で構成される、ことを特徴とする、請求項５に記載の通過装置。
【請求項１１】
少なくとも一側に開放されるハウジングを含み、
前記通過作動部は、前記ハウジングに具備され、
前記通過運動部は、内容物が移動する方向への運動による開放で内容物を前記ハウジングの一側に通過誘導することを特徴とする、請求項１に記載の通過装置。
【請求項１２】
前記通過運動部は、前記通過運動部の運動部重心位置と前記通過運動部の回転運動中心である運動部回転中心位置が相異するように具備されることを特徴とする、請求項１に記載の通過装置。
【請求項１３】
前記通過運動部は、前記通過作動部が傾くか動く場合、前記通過運動部の自重、前記通過運動部の慣性、内容物が前記通過運動部を押圧する力のうち少なくとも一つによって運動し、
前記通過運動部の運動部重心位置が、前記通過運動部の運動部回転中心位置の後方である、前記通過装置の外部通過方向の反対方向に位置し、
前記通過作動部が傾くか揺れる場合、前記運動部重心位置と前記運動部回転中心位置の差によって前記通過運動部の回転運動が抑止されるか遅延することを特徴とする、請求項１に記載の通過装置。
【請求項１４】
前記開放部材に連動して前記開放部材方向に運動し、前記開放部材とともに需要量の内容物を収容して運動する収容部材を含むことを特徴とする、請求項１に記載の通過装置。
【請求項１５】
前記通過運動部は、前記開放部材と前記収容部材の間に具備される通過隔室部を含み、
前記通過隔室部に隔室部収容量の内容物を収容して前記収容された内容物を移動誘導することを特徴とする、請求項１４に記載の通過装置。
【請求項１６】
前記通過運動部は、前記通過運動部の自重または内容物の押圧力によって開放されるように運動し、前記通過運動部の開放によって形成される通過空間を通じて内容物を通過誘導することを特徴とする、請求項１に記載の通過装置。
【請求項１７】
前記通過運動部は、前記通過運動部が具備されるハウジングが前記内容物通過手段の内容物通過方向に作動し、内容物との抵抗による前記通過運動部の運動で開放された通過空間に内容物を通過誘導することを特徴とする、請求項１に記載の通過装置。
【請求項１８】
前記通過運動部の部材の少なくとも一部が回転して発生する回転運動時に発生する、前記通過運動部の重心による回転による前記内容物通過手段の変形が、内容物の接触前には発生しないか接触前の近接した時点まで遅延することを特徴とする、請求項１に記載の通過装置。
【請求項１９】
内容物が前記内容物通過手段を通過時に内容物の通過を感知する感知部を含み、
前記感知部の内容物の測定は電子センサーまたは機械の作動による測定であることを特徴とする、請求項１に記載の通過装置。
【請求項２０】
前記感知部が感知または測定したデータまたは前記内容物通過手段の作動によって、内容物が前記通過作動部を通過したかの可否を視覚、聴覚および触覚のうち少なくとも一つの使用者感覚方法で認知可能であるように表示する表示部を含むことを特徴とする、請求項１９に記載の通過装置。
【請求項２１】
前記感知部が感知または測定したデータを送信する通信部を含むことを特徴とする、請求項１９に記載の通過装置。
【発明の詳細な説明】
【技術分野】
【０００１】
本発明は通過装置、バルブ、これらを具備する収容器具、内容物移動器具および内容物器具に関するものである。さらに詳細には、通過空間を可変させて内容物の通過空間を確保することによって、一定範囲内で内容物の通過を安定的に誘導し、内容物の通過空間を確保することに連動して通過空間と受け取り空間を調節し、需要量以外の内容物が通過または受け取られることを制限するための通過装置、バルブ、これらを具備する収容器具、内容物移動器具および内容物器具に関するものである。
【背景技術】
【０００２】
一般に消化剤、ビタミン剤、菓子類などの医薬品、健康補助食品および食品類は、固形物、粉末または液状の内容物（以下、「内容物」という）形態で製造される。
【０００３】
このような内容物は、その効能が最大限発揮されるようにすることはもちろん、飲みすぎや中毒を防止するために定量または必要量を服用することになる。
【０００４】
このような内容物は所定の保管容器に収容させた状態で販売されるが、従来の内容物保管容器は多数の内容物が収容される容器本体と、この容器本体の投入口に開閉可能に結合されるキャップを含む構造を有する。
【０００５】
したがって、内容物の服用や摂取のためには容器本体からキャップを開放させた後に容器本体内に収容された内容物を手の平または蓋上に引き出して服用することになる。
【０００６】
上述の技術構成は本発明の理解を助けるための背景技術であって、本発明が属する技術分野で広く知られた従来技術を意味するものではない。
【０００７】
定量排出容器については、特許文献１（発明の名称：錠剤定量排出キャップ）に提案されている。
【先行技術文献】
【特許文献】
【０００８】
【特許文献１】韓国公開特許第１０−２０１２−００９６７９８号公報
【発明の概要】
【発明が解決しようとする課題】
【０００９】
このような定量排出容器は、使用者が内容物を収得するために毎度容器器具のような収容器具を傾けて内容物を取り出す場合、内容物が一度に出てくるため、内容物を一個ずつまたは必要な需要量だけを取り出すことが不都合な点があった。
【００１０】
収容器具内の内容物の残留量が少ない時は、収容器具の下部に位置した内容物を引き出すために収容器具を注意を集中して傾けなければならないなどの使用が煩雑である不都合な点があり、また引き出される内容物が収容器具内部の下部にある場合には、手で内容物に接近することが困難である不都合な点がある。
【００１１】
したがって、近年、収容器具内で内容物を一個ずつ取り出せる収容器具が提案された。しかし、現在考案されて使用中であるポンプ式収容器具は、収容器具の内部に内容物を支持する芯台があり、収容器具の本体が上下移動して芯台によって内容物の一部が収容器具上部の通過口に取り出される。ポンプ式収容器具は、蓋部分を含んだ収容器具本体の全体を、最大限上向き移動させてから再び下向き移動させなければならないため、作動のための操作距離が大きく、内容物全部を持ち上げてから下ろしておかなければならないなどの問題点がある。
【００１２】
また、このような収容器具には各種飲食物、薬品または物品などが入れられて提供され、通常の収容器具に提供される開閉器具は開閉のための機能以外には特別な機能はない。また、一定量の内容物を取得するために開閉器具を開放してから使用するため、やむを得ず収容器具の内部の内容物全体が容易に露出されてしまい、汚染物質が浸透したり空気と接触して容易に酸化する問題点がある。
【００１３】
また、内容物の定量だけを取得するために、指を収容器具内に入れて内容物を把持したり、収容器具を傾けて一部の内容物を手の平に取り出してから再び残った内容物を収容器具内に収納するため、内容物が容易に外部の汚染に露出するなどの問題点がある。
【００１４】
したがって、これを改善する必要性が求められる。
【００１５】
本発明は、前記のような問題点を改善するために案出されたもので、通過空間を可変させて内容物の通過空間を確保することによって、内容物の定量通過を安定的に誘導する通過装置、バルブ、これらを具備する収容器具、内容物移動器具および内容物器具を提供することにその目的がある。
【００１６】
本発明は、内容物の通過空間を確保し、内容物を定量通過させることに連動して、通過空間を内容物が通過できない程度に閉鎖することによってそれ以上の内容物が通過することを防ぐための通過装置、バルブ、これらを具備する収容器具、内容物移動器具および内容物器具を提供することにその目的がある。
【００１７】
本発明は、使用者が収容器具または内容物移動器具を傾けて内容物を取り出す場合、内容物が一度にあふれ出ることを防止する通過装置、バルブ、これらを具備する収容器具、内容物移動器具および内容物器具を提供することにその目的がある。
【００１８】
本発明は、収容器具または内容物移動器具で固形物、粉末または液状の内容物を定量または需要量を排出しながら、収容器具または内容物移動器具の内容物通過側を開放する内容物通過手段を具備することによって、内容物の定量通過を安定的に誘導しようとする通過装置、バルブ、これらを具備する収容器具、内容物移動器具および内容物器具を提供することにその目的がある。
【００１９】
本発明は、収容器具または内容物移動器具の内容物通過側を開放する内容物通過手段の運動角度を制限することによって、開閉反応応答性を向上させるための通過装置、バルブ、これらを具備する収容器具、内容物移動器具および内容物器具を提供することにその目的がある。
【００２０】
本発明は、ストッパーが開放部材の開放時に開放角度を制限するために、開放部材に連結された通過運動部の運動角度を制限する通過装置、バルブ、これらを具備する収容器具、内容物移動器具および内容物器具を提供することにその目的がある。
【００２１】
本発明は、通過通路部が内容物の進入側と排出側間に延長形成され、内容物を通過運動部に移動案内し、通過運動部に移動する内容物の移動量を制限する通過装置、バルブ、これらを具備する収容器具、内容物移動器具および内容物器具を提供することにその目的がある。
【００２２】
本発明は、両側に開放される内容物移動器具に具備されるバルブを提供して、回動による開放で内容物を内容物移動器具の一側に通過誘導するバルブを提供することにその目的がある。
【００２３】
本発明は、内容物通過手段とは別途具備される受け取り部が、内容物通過手段を通過した内容物が待機収納空間に必要以上流入することを防止して、受け取り部に残留する内容物を使用者が必要とする需要量となるようにする通過装置、バルブ、これらを具備する収容器具、内容物移動器具および内容物器具を提供することにその目的がある。
【００２４】
本発明は、通過空間を可変させて内容物の通過空間を確保し、通過した内容物を受け取る段階で必要以上の内容物の流入を遮断することによって内容物の需要量の受け取りを安定的に誘導することができ、内容物の通過受け取り量を調節する通過装置、バルブ、これらを具備する収容器具、内容物移動器具および内容物器具を提供することにその目的がある。
【００２５】
本発明は、収容器具の開閉器具に内容物受け取り部を提供することによって、固形、粉末または液状などの内容物を別途収納して保管および使用できるようにする通過装置、バルブ、これらを具備する収容器具、内容物移動器具および内容物器具を提供することにその目的がある。
【００２６】
本発明は、内容物を通過させる作動をするだけで、使用者が需要量の内容物を使用者の手や他の受け取り器具にすぐに入れることができるようにする通過装置、バルブ、これらを具備する収容器具、内容物移動器具および内容物器具を提供することにその目的がある。
【００２７】
本発明は、長方形の錠剤のような薬品を保管する一般の収容器具のように、開口部が狭くて使用者が指で内容物である錠剤を把持するために二つの指を入れることができる空間がない場合、収容器具を傾けるか振る動作で需要量の内容物だけを効果的に得ることができる通過装置、バルブ、これらを具備する収容器具、内容物移動器具および内容物器具を提供することにその目的がある。
【課題を解決するための手段】
【００２８】
本発明に係る通過装置は、内容物を移動案内するための通過作動部を含み、前記通過作動部は、内容物が移動する内容物通過手段を含む。
【００２９】
前記内容物通過手段は、運動による開放で内容物が通過するようにする通過運動部を含む。
【００３０】
前記通過運動部は、内容物の通過方向に運動して内容物の通過空間を形成する開放部材を含む。
【００３１】
前記内容物通過手段の変形によって内容物を通過誘導することができる。
【００３２】
前記通過作動部は、内容物が前記通過作動部を通過する以前に位置する通過以前部と通じる開放部が形成されて、前記通過以前部の内容物が移動するものの、前記内容物通過手段は、前記開放部を通じて内容物を移動させることができる。
【００３３】
前記通過装置は、内容物移動器具または収容器具に適用され、内容物移動器具または収容器具の本体から開閉可能な開閉器具であって、少なくとも一側に開放されたハウジングを含み、前記開閉器具は、開閉器具本体と通過作動部を含み、前記通過作動部は、内容物移動器具本体または収容器具本体の保管部の内容物が前記開閉器具に移動するように前記保管部と前記開閉器具が少なくとも一部通じるようにすることができる。
【００３４】
前記通過作動部は、前記内容物通過手段の変形によって前記保管部の内容物が前記開閉器具に移動することができる。
【００３５】
前記通過運動部は運動部材を含み、前記運動部材は、前記開放部材を運動可能に連結することができる。
【００３６】
前記通過した内容物を受け取る受け取り部を具備し、前記受け取り部は、前記通過する内容物を受け取り、受け取り需要量以外の内容物の残留を制限するように抵抗する形状を具備することができる。
【００３７】
前記受け取り部は、通過した内容物に接して通過方向で一定量を超過する内容物の受け取りに抵抗し、前記内容物の通過後残留量を一定量に制限することができる。
【００３８】
前記通過作動部は、内容物が前記内容物通過手段に接触する側である通過排出側から内容物が進入する側である通過進入側に延長形成される通過通路部を含み、前記通過通路部は、前記内容物を前記内容物通過手段に移動案内することができる。
【００３９】
前記通過通路部は、前記内容物通過手段に移動する内容物の移動量を制限することができる。
【００４０】
前記通過運動部は、重心により重さ平衡の力が作用して、前記通過作動部が傾く場合、前記通過運動部が前記通過作動部の傾きを超過する傾きに前記通過作動部とともに傾きを抑制する平衡部であり、前記平衡部の重さ平衡作用は、内容物が前記通過作動部を通過するように制御する。
【００４１】
前記通過作動部は、内容物を通過させるために開放部を形成する固定部材を含む。
【００４２】
前記開放部を通じて、前記開放部材が運動して形成される通過空間の開放の有無により前記内容物を通過案内し、前記開放部材は、前記固定部材に直接的または間接的に連結され得る。
【００４３】
前記内容物通過手段は、運動部材を含み、前記運動部材は、前記開放部材を回動可能に連結することができる。
【００４４】
前記通過作動部は、内容物を通過させるために前記開放部を具備する固定部材を含む。
【００４５】
前記内容物通過手段は、前記固定部材と連結される開放部材を含み、前記開放部材が運動して前記開放部の開放の有無により前記内容物を受け取り案内することができる。
【００４６】
前記内容物通過手段は、前記開放部材を運動可能に連結する運動部材を含む。
【００４７】
前記内容物通過手段の変形によって、前記保管部の内容物が前記開閉器具に移動または前記開閉器具を通じて移動することができる。
【００４８】
前記内容物通過手段は、運動による開放で内容物が通過するようにする通過運動部を含む。
【００４９】
前記通過運動部は、内容物の通過方向に運動して内容物の通過空間を形成する開放部材を含む。
【００５０】
前記開閉器具は、前記保管部から移動した内容物を前記開閉器具外部に通過させたり取り出すことができる開口部が形成され得る。
【００５１】
前記通過作動部は、開放部を有しながら、前記開放部が一定の高さ立ち上がるように形成され得る。
【００５２】
前記内容物の通過空間は、前記開放部材の固定されていない自由端の内容物の重さによる押圧、前記通過作動部を具備するハウジングの揺れ、前記開放部材の自重のうち少なくとも一つによって運動することによって形成され得る。
【００５３】
前記開放部材は、前記固定部材の方向に一側が固定され、他側は固定されていないため運動によって開放されるものの、前記内容物の離脱を防止し、前記開放部に通過空間を形成することができる。
【００５４】
前記固定部材は、前記開放部材が連結される前記通過装置の内部の通孔空間である通孔部の内周面に具備されるか、または前記通過装置が含むハウジングの部材であり得る。
【００５５】
前記開放部材は、単数または複数個で構成され得る。
【００５６】
前記通過運動部は、前記開放部材に連動して前記内容物が通過できないか、部分的にのみ通過するように開放部の少なくとも一部を塞ぐ閉鎖部材を含む。
【００５７】
内容物が前記開放部材を押圧すると、前記内容物は前記開放部材の反りによって流入し、前記閉鎖部材は、前記開放部材に連動して前記開放部の少なくとも一部を塞ぐことによって、定量を超過する内容物が前記開放部を通過することを防止することができる。
【００５８】
前記閉鎖部材は、前記開放部材の閉鎖状態を維持するために前記固定部材に接する支持部材を具備することができる。
【００５９】
前記通過作動部が傾く場合、需要量の内容物が開放部材に接触する前に前記通過運動部の自重によって回転がなされないように、前記通過運動部の形状が具備されるか前記通過運動部の構成部材が結合され、前記平衡部の重さまたは重心が形成され得る。
【００６０】
前記固定部材の開放部側に具備され、前記運動部材を前記固定部材に回動可能に連結する運動固定部を含む。
【００６１】
前記内容物通過手段は、前記通過作動部に具備され、需要に該当する内容物を通過案内するための通過手段であり得る。
【００６２】
前記内容物通過手段は、前記開放部材の回転角度を制限するためにストッパーを具備することができる。
【００６３】
前記通過作動部が傾いて前記開放部材の自重によって回転がなされようとする場合、前記開放部材、前記閉鎖部材および前記運動部材のうち少なくとも二以上の、重さと重心の位置によって前記開放部材の回転が抑止され、前記内容物の需要量が通過する前に前記内容物の通過を妨げないようにすることができる。
【００６４】
前記通過作動部が傾いて前記開放部材の自重によって回転がなされようとする場合、前記開放部材と前記運動部材および運動部材のうち少なくとも二以上の、重さと重心の位置によって前記開放部材の回転が抑止され、前記内容物の需要量が通過する前に前記内容物の通過を妨げないことができる。
【００６５】
前記通過作動部は、内容物が前記内容物通過手段側に流入案内されるようにする移動案内部を具備することができる。
【００６６】
前記移動案内部は、前記内容物通過手段側に通孔されるガイドホールを通孔し、前記ガイドホールの縁に沿って傾斜面を形成することができる。
【００６７】
前記開放部材は、固定されていない自由端の移動を通じて前記開放部を開放させることによって前記内容物を通過させることができる。
【００６８】
前記通孔部は、内容物が貯蔵される内容物貯蔵部と、前記内容物貯蔵部で需要量が通過した後引き出し待機する内容物引き出し部に分けられる。
【００６９】
前記通過作動部と前記内容物が保管される保管部の間に、前記通過作動部と前記保管部を分離する分離板を含む。
【００７０】
前記通過運動部は、内容物の通過方向に運動して内容物の通過空間を形成する開放部材を含む。
【００７１】
前記通過作動部は、前記通過以前部で移動した内容物の受け取り需要量が前記通過以前部に移動しないようにすることができる。
【００７２】
前記開放部材の運動角度は、前記内容物通過手段に具備されるストッパーと、前記通過作動部を具備するハウジングに連結されるカバーのうち少なくとも一つによって制限され得る。
【００７３】
前記通過以前部は、内容物が保管される保管部であり、内容物を引き出し待機するための待機収納部を含み、前記通過作動部に形成される前記開放部を通じて前記保管部と前記待機収納部の一部が通じ、前記開放部を通じて前記保管部の内容物が前記待機収納部に移動され得る。
【００７４】
前記運動部材は、前記開放部材と一体であるか、前記開放部材と分離可能に具備され得る。
【００７５】
前記運動部材は、前記運動固定部に連結され、自重方向と内容物の押圧方向に運動しようとする前記開放部材をヒンジ連結することができる。
【００７６】
前記開放部材は、前記固定部材の方向に一側が固定され、他側は固定されていないため運動によって前記開放部を開閉することができる。
【００７７】
前記受け取り部は、前記内容物が前記受け取り部内に流入するが、前記受け取り部を除いた部位に流入することを防止する流入部材を含む。
【００７８】
前記通過作動部の上部面は前記内容物を支持する役割をし、前記受け取り部によって受け取られた内容物が前記上部面に具備される待機段の内部領域に集中され得る。
【００７９】
前記通過運動部は、前記通過運動部の重心の平衡のために運動制御部材をさらに含む。
【００８０】
前記通過作動部を具備するハウジングに連結され、前記通過装置を通じて受け取られる内容物を受け取るカバーを含み、前記カバーは、前記ハウジングに分離可能に結合され得る。
【００８１】
前記運動部材は、周面にガイド板部材を具備し、前記内容物は、前記ガイド板部材によって前記開放部材に流入する前に制限誘導され、前記内容物が前記ガイド板部材を圧迫して前記開放部材を開放させることによって通過応答性を向上させ、開放部の進入側面に側板部材を具備し、前記側板部材は、内容物が閉鎖部材に沿って前記開放部材に流入するように案内し、前記開放部の内側面または前記側板部材は前記開放部材が前記開放部を塞いだ状態に維持するためにサポートブロックを具備し、前記閉鎖部材は、前記開放部材の閉鎖状態を維持するために固定部材に接する支持部材を具備することができる。
【００８２】
内容物が前記通過作動部側に流入案内されるようにする移動案内部を具備し、前記移動案内部は、前記通過作動部側に通孔されるガイドホールを通孔し、内容物の流入を案内するために傾斜面を形成することができる。
【００８３】
前記固定部材は、内容物の受け取りを案内するために傾斜面を延長形成することができる。
【００８４】
前記開放部材は、前記開放部を開放して内容物が通過した後、復帰して前記開放部を閉鎖するように助ける復元部材と連結され得る。
【００８５】
前記運動制御部材は、前記通過作動部が傾く場合、前記平衡部の平衡を維持し回転運動が発生するか減るように抑制し、前記開放部材と前記運動制御部材の重さまたは前記開放部材、前記運動制御部材および前記開放部材とともに運動する少なくとも一つ以上の別途部材の重さによって、前記平衡部の重心で重さ平衡の力が作用し重力方向の重心位置を維持しようとする力が発生して、前記開放部材が通過作動部の傾きを超過する傾きに傾かないことができる。
【００８６】
前記受け取り部は、通過した内容物に接して通過方向に上部で抵抗する抵抗上板部材を含む。
【００８７】
前記受け取り部は、通過した内容物に接して通過方向に対して側面で抵抗する抵抗側板部材を含む。
【００８８】
前記受け取り部は、前記受け取り部の空間を区画する区画部材を含み、前記区画部材は、前記区画される受け取り部の内容物受け取り空間の調節を通じて、前記受け取り部に受け取られる内容物の量を制限することができる。
【００８９】
前記通過作動部は、前記開放部側に具備されて内容物の移動を遮断する遮断部材を含むものの、前記遮断部材は、前記開放部が開放時、前記内容物が保管部に移動することを遮断するか、前記内容物が前記内容物通過手段を通過時、前記内容物が内容物受け取り空間を除いた部位に流入することを防止することができる。
【００９０】
前記通過通路部は、前記通過通路部を通過する個々の内容物の一側端部の長さが他側端部の長さと異なる場合、前記通過通路部の内部空間幅のうち最も小さい内径である通路幅最小内径が、個々の内容物の単方向のうち最も大きい外径である内容物単方向最大外径の二倍より小さいか同じであり、二個以上の個々の内容物が前記通過通路部に同時に進入または通過することができず、一回に一個の内容物のみが前記通過通路部に進入または通過可能である。
【００９１】
前記通過通路部は、前記通過通路部を通過する個々の内容物の一側端部の長さが他側端部の長さと異なる場合、前記内容物が内容物の長方向に前記通過通路部を通過するようにガイドすることができる。
【００９２】
前記内容物通過手段は、内容物の通過方向に運動して内容物の通過空間を形成する開放部材を含み、前記開放部材に連動して開放された前記開放部を少なくとも一部閉鎖する閉鎖部材を含み、前記一個の内容物が前記通過通路部を前方通過時、他の個々の内容物が前記前方通過内容物の後に隣接して前記通過通路部を後方進入すると、前記閉鎖部材が前記開放部を少なくとも一部を塞ぐことによって、需要量を超過して後方進入した内容物が前記閉鎖部材に接触して前記開放部に流入することを防止することができる。
【００９３】
前記通過通路部の下部に前記内容物を前記通過通路部に流入させる移動案内部を具備し、前記移動案内部の少なくとも一部は傾斜面に形成され、前記内容物が前記通過通路部が位置したところに案内され得る。
【００９４】
前記通過作動部が傾く場合、内容物が前記移動案内部の重力方向の傾斜面に乗って移動することができる。
【００９５】
前記移動案内部は、少なくとも一つ以上の通孔が形成される通気部を含み、前記通気部に具備される通孔を通じて通気がなされるが、前記通気部に具備される通孔の大きさが前記個々の内容物の大きさより小さいため前記内容物が通過できない。
【００９６】
前記平衡部は、内容物の通過方向に運動して内容物の通過空間を形成する開放部材を含み、内容物が前記開放部材に接触することで内容物の重量が前記開放部材に伝達されて前記平衡部の運動が進行される時、前記平衡部の運動方向に平衡を破って前記平衡部の運動力を加重させる運動加重制御部材を含む。
【００９７】
前記通気部を含む前記通過作動部、前記移動案内部のうち少なくとも一つによって前記内容物の保管空間である保管部から分離される非保管空間部が区画され、前記非保管空間部に防腐剤が位置する場合、前記通気部の通孔を通じて前記防腐剤の成分が空気を通じて前記内容物の保管空間に移動され、前記非保管空間部にある防腐剤は前記保管部と分離して位置することによって、前記内容物の通過運動を干渉しないようにすることができる。
【００９８】
前記内容物通過手段の構成部材の少なくとも一部が回転して発生する回転変形時に現れる前記内容物通過手段の変形は、前記通過運動部の自重と重心によって、内容物の接触前には発生しないか接触前の近接した時点まで遅延され、前記内容物通過手段の変形は、内容物の自重による接触前には発生せず、前記内容物の自重による接触後に前記通過運動部と前記接触した内容物の自重による回転が動作して発生する可能性がある。
【００９９】
前記開放部材は折り曲げられて構成され、前記開放部材が折り曲げられる折り曲げ部は線形に折れるか曲面であり得る。
【０１００】
前記開放部材は直角以上の角度で折り曲げられて、前記開放部材と前記閉鎖部材の間の空間を確保し、前記内容物が長方向の形態である場合、前記開放部材と前記閉鎖部材の間の空間に長方向の長さ方向に進入した需要量の内容物が前記開放部材を押圧することによって前記開放部材が前記閉鎖部材とともに回転移動し、前記回転移動する閉鎖部材が前記開放部材を押圧する前記需要量の内容物を干渉することなく、前記閉鎖部材は前記需要量の内容物を超過して通過作動部に進入する内容物がある場合、超過する内容物を防ぐことができる。
【０１０１】
前記閉鎖部材は折り曲げられて構成され、前記閉鎖部材が折り曲げられる閉鎖部材折り曲げ部は線形に折れるか曲面であり得る。
【０１０２】
前記通過運動部の自重による前記通過運動部の運動を制御する平衡部を含み、前記平衡部は、運動制御部材、開放部材、閉鎖部材および運動部材のうち少なくとも一つ以上を含み、前記運動制御部材、前記開放部材、前記閉鎖部材および前記運動部材のうち少なくとも一つ以上の重さと具備される位置を通した平衡作用によって前記通過運動部の自重による運動を制御することができる。
【０１０３】
前記内容物通過手段の自重による前記内容物通過手段の変形を制御する平衡部を含み、前記平衡部は、運動制御部材、前記開放部材、閉鎖部材および運動部材のうち少なくとも一つ以上を含み、前記運動制御部材、前記開放部材、前記閉鎖部材および前記運動部材のうち少なくとも一つ以上の重さと具備される位置を通じて前記内容物通過手段の自重による変形を制御することができる。
【０１０４】
前記運動制御部材は、前記開放部材の自重による移動距離と移動角度のうち少なくとも一つを制御することができる。
【０１０５】
前記運動制御部材は、前記通過作動部を傾けた時、需要量の内容物が前記開放部材を押圧する前に前記開放部材または前記開放部材とともに運動する部材の自重による回転で前記閉鎖部材が需要量の内容物の通過を妨げないように制御し、前記運動制御部材は、前記開放部材の重さ、または前記開放部材と前記開放部材とともに運動する少なくとも一つ以上の部材の重さに対応して、前記開放部材を含む前記通過運動部または前記平衡部の自重による移動を制御する重さと位置で構成され得る。
【０１０６】
前記通過作動部が傾く時、前記開放部材と前記運動制御部材の重さ、または前記開放部材、前記運動制御部材および前記開放部材とともに運動する別途部材の重さによって、前記平衡部の重心で重さ平衡の力が作用し、前記開放部材が前記通過作動部の傾き以上に傾かず、前記通過作動部内での位置または傾きを維持することができる。
【０１０７】
前記通過作動部が傾く時、前記開放部材と前記運動制御部材が重さ平衡によって重力方向位置を維持する力が作用することができる。
【０１０８】
前記通過作動部内に具備される抵抗部材を含み、前記抵抗部材は、前記通過作動部内を通過する内容物の通過を制限することができる。
【０１０９】
前記通過作動部内に具備される抵抗部材を含み、前記抵抗部材は、前記通過作動部内を通過する内容物の通過を抵抗して制限することができる。
【０１１０】
少なくとも一側に開放されるハウジングを含み、前記通過作動部は、前記ハウジングに具備され、前記内容物通過手段は内容物が移動する方向への運動による開放で内容物を前記ハウジングの一側に通過誘導することができる。
【０１１１】
前記運動部材は、運動時に一定位置で前記内容物通過手段に抵抗されて停止するように形態が異形で具備されるか、前記運動部材から突出する構成である運動部材突出部を含む。
【０１１２】
前記通過作動部の傾きまたは揺れによって発生する前記内容物通過手段の変形によって内容物を通過誘導することができる。
【０１１３】
前記通過作動部が傾く場合、内容物を移動案内する移動案内部を含み、前記移動案内部が傾いた状態で内容物の自重または慣性によって前記移動案内部の面に沿って案内して内容物を通過させることができる。
【０１１４】
前記移動案内部は、ハウジングであるか前記ハウジングに連結される案内部材であり得る。
【０１１５】
前記移動案内部は、移動する内容物が集中されるようにガイド部材を延長することができる。
【０１１６】
前記内容物通過手段は、運動によって内容物を通過させる通過運動部を含み、前記通過運動部は、前記通過作動部が傾くか動く場合、前記通過運動部の自重、前記通過運動部の慣性、内容物が前記通過運動部を押圧する力のうち少なくとも一つによって運動することができる。
【０１１７】
前記通過運動部は、通過する内容物と同じ方向に運動し、内容物の通過を許容する開放部材を含む。
【０１１８】
前記通過運動部は、前記開放部材と別途に前記開放部材方向に運動し、内容物が通過できないか部分的にのみ通過するように開放部の少なくとも一部を塞ぐ閉鎖部材を含む。
【０１１９】
前記通過運動部は、前記開放部材と前記閉鎖部材の間に具備される通過隔室部を含み、前記通過隔室部に隔室部収容量の内容物が収容されて前記収容された内容物を移動誘導することができる。
【０１２０】
前記通過隔室部は、前記通過隔室部が収容する前記隔室部収容量が前記内容物通過手段を通過する需要量以上であり、前記通過隔室部に収容される内容物の前記通過隔室部の通過を抵抗する通過抵抗部を含み、前記通過隔室部に収容された前記隔室部収容量が前記需要量を超過する場合、前記需要量を超過した内容物が前記通過隔室部を通過しないように抵抗することができる。
【０１２１】
前記通過運動部は、前記通過運動部の運動部重心位置と前記通過運動部の回転運動中心である運動部回転中心位置が相異するように具備され得る。
【０１２２】
前記通過運動部の運動部重心位置が、前記通過運動部の運動部回転中心位置の後方である、前記通過装置の外部通過方向の反対方向に位置し、前記通過作動部が傾くか揺れる場合、前記運動部重心位置と前記運動部回転中心位置の差によって前記通過運動部の回転運動が抑止されるか遅延され得る。
【０１２３】
前記通過作動部は、内容物を通過させるために開放部を形成し、前記通過作動部が傾くか動く場合、前記通過運動部は、前記通過運動部の自重だけでは、内容物が前記開放部を通過可能な開放となる回転運動をしないか回転運動が抑制され得る。
【０１２４】
前記通過運動部は、内容物が前記通過運動部を抵抗して開放部を開放する前に、前記通過運動部の自重によっては前記開放部を内容物が通過する程度に開放しないことができる。
【０１２５】
前記通過運動部は、前記開放部材に連動して前記開放部材方向に運動し、前記開放部材とともに需要量の内容物を収容して運動する収容部材を含む。
【０１２６】
前記通過運動部は、前記開放部材と前記収容部材の間に具備される通過隔室部を含み、前記通過隔室部に隔室部収容量の内容物を収容して前記収容された内容物を移動誘導することができる。
【０１２７】
前記通過運動部は、内容物の収容のための底部を含み、前記底部は、前記通過作動部が傾く場合、前記通過運動部内の内容物の重力方向下部を支持することができる。
【０１２８】
前記底部は前記底部の高くなるか突出する部位である底高変化部材を含み、内容物が底高変化部材に接触すると、前記底部に支持されて抵抗力によって前記通過作動部を通過移動中にある前記内容物の位置が、前記底高変化部材の高さ方向に上昇され得る。
【０１２９】
前記通過移動中にある内容物の位置変化によって、前記内容物が通過されるように開放される開放部空間が狭くなり、前記狭くなった開放部空間により、収容量を超過した内容物が前記通過運動部を通過しないようにすることができる。
【０１３０】
前記底部は、開放部材と前記開放部材と連動して需要量の内容物を収容して運動する収容部材の間に具備され得る。
【０１３１】
前記底部の長さは、内容物の長辺方向の端部長以上に具備され、内容物の長辺の長さを収容することができる。
【０１３２】
前記開放部材は、自重または内容物の押圧力によって開放されるように運動して内容物を通過誘導することができる。
【０１３３】
前記通過運動部は、前記開放部材の回転角度を制限するためにストッパーを含む。
【０１３４】
前記通過運動部は、前記通過運動部の自重または内容物の押圧力によって開放されるように運動し、前記通過運動部の開放に形成される通過空間を通じて内容物を通過誘導することができる。
【０１３５】
前記内容物通過手段の変形は、前記通過装置の開放方向である前方側に作動し、前記内容物通過手段は、前記内容物通過手段が具備されるハウジングの前記通過作動部側で、前記ハウジングを開閉可能にする開閉器具またはカバーがない開放された状態で、前記内容物通過手段の変形による通過空間の形成によって開放された方向に内容物の通過誘導がなされ得る。
【０１３６】
前記内容物通過手段は、前記内容物通過手段が具備されるハウジングの前記通過作動部側の開閉器具または前記開閉器具に固定されている部材に、接触または抵抗を受けずに、内容物との抵抗による前記内容物通過手段の変形によってのみ内容物を通過誘導することができる。
【０１３７】
前記通過運動部は、前記通過運動部が具備されるハウジングが前記内容物通過手段の内容物通過方向に開放された状態で、内容物との抵抗によって内容物を通過誘導することができる。
【０１３８】
前記通過運動部は、内容物の重力作用による運動に対応して運動し、内容物が通過するように前記通過作動部を開放するものの、前記通過運動部が具備される前記通過作動部が傾くかひっくり返されるまたは揺れる動作による重力作用だけで、内容物が前記内容物通過手段を通過することができる。
【０１３９】
前記通過運動部の回転運動によって内容物が通過することができる。
【０１４０】
前記通過運動部の回転運動によって、内容物が前記通過運動部を通過した後、必要な量を超過する内容物の通過を防ぐことができる。
【０１４１】
内容物を通過させる前記通過運動部の回転運動は、前記通過作動部が傾くかひっくり返されるまたは揺れる動作による、前記内容物の重力運動または前記通過運動部に対する前記内容物の運動力の伝達によってなされ得る。
【０１４２】
前記通過運動部の回転運動は、内容物が前記内容物通過手段を前記内容物の自重で押圧することによる運動力でなされ得る。
【０１４３】
前記内容物通過手段の変形によって内容物を通過誘導し、前記内容物通過手段の変形は前記通過運動部の運動による変形であり得る。
【０１４４】
前記内容物がハウジング内部に具備される面または前記通過手段に接触し、滑りながら移動して前記内容物通過手段を通過することができる。
【０１４５】
前記通過運動部の部材の少なくとも一部が回転して発生する回転運動時に発生する、前記通過運動部の重心による回転による前記内容物通過手段の変形が、内容物の接触前には発生しないか接触前の近接した時点まで遅延され得る。
【０１４６】
前記通過運動部の自重による回転による前記内容物通過手段の変形は、内容物の自重による接触前には発生せず、前記内容物の自重による接触と共に前記内容物通過手段の変形が発生する可能性がある。
【０１４７】
前記通過作動部の傾きまたは揺れの際に前記通過運動部は、前記通過運動部の少なくとも一部位の自重によって前記通過作動部のヒンジ軸を中心に重力方向に回転し、前記重力方向に回転した通過運動部が内容物の通過空間を形成することができる。
【０１４８】
前記通過運動部がハウジングの軸を中心に回転する場合、前記通過運動部の回転は前記ハウジングと内側面と接してなされるか、運動固定部の軸部材に接してなされ得る。
【０１４９】
前記通過通路部は、需要量を超過する内容物が前記通過通路部に進入する場合、前記需要量を超過する需要量以外の内容物が前記通過通路部を完全に通過できないように抵抗する形状を具備することができる。
【０１５０】
前記通過通路部は、需要量を超過する内容物が前記通過通路部に進入する場合、需要量を超過する内容物または需要量を含んだすべての内容物が前記通過通路部を通過しないように抵抗する抵抗部材または抵抗形状を具備することによって、需要量を超過する内容物が前記内容物通過手段を通過しないようにすることができる。
【０１５１】
前記通過通路部に具備される抵抗部材または抵抗形状によって、前記通過通路部に進入した内容物を接触または抵抗して需要量を超過した内容物の通過を防ぐことができる。
【０１５２】
前記開放部材は、回動可能に具備され得る。
【０１５３】
前記内容物通過手段は、前記内容物通過手段の変形によって開放部を開閉することができる。
【０１５４】
前記上昇する内容物の位置によって内容物の開放部材の通過を容易とさせることができる。
【０１５５】
前記底部は、前記底部の高さを変化させる底高変化部材を含み、前記底部の一部又は全部が突出した形状であり、内容物が前記底高変化部材の表面に接触して移動すると、内容物の自重による前記底部に対する抵抗で前記底高変化部材が前記底部に沿って内容物の移動方向に運動することになり、前記通過運動部の重心が内容物通過方向に移動し、前記通過運動部が内容物通過方向に運動することができる。
【０１５６】
前記底部が内容物が前記底部と接触する抵抗で、通過する内容物と同じ方向に運動し、内容物の通過を許容し、前記通過運動部は開放部材を具備するか、または前記通過運動部に別途の開放部材なしに前記底部の移動だけで前記通過運動部が運動し得る。
【０１５７】
前記底部または前記底部に含まれる底高変化部材は摩擦表面、摩擦材質または屈曲した形状のうち少なくとも一つを具備することができる。
【０１５８】
前記内容物通過手段によって通過する内容物は、固形物、粉末、液状内容物のうち少なくとも一つであり得る。
【０１５９】
前記固形物は、固形状態の薬品、食品、器具、工具、材料、食材、産業用資材、一般資材のうち少なくとも一つであり、前記粉末は、粉末状態の薬品、食品、器具、工具、材料、食材、産業用資材、一般資材のうち少なくとも一つであり得る。
【０１６０】
前記通過運動部は、運動加重制御部材をさらに含み、前記運動加重制御部材は、底部に曲面のような突出形状で構成され、内容物が前記運動加重制御部材の表面に接触して移動すると、内容物の自重による抵抗で前記運動加重制御部材が前記底部に沿って内容物の移動方向に運動し、前記平衡部の重心が内容物通過方向に偏って前記通過運動部が内容物通過方向に運動する力を増加させ、前記運動加重制御部材は、前記通過運動部の内容物通過方向への運動を加重させて内容物が前記通過作動部を通過するようにすることができる。
【０１６１】
前記移動案内部は、内容物の流入側に高さ誘導部材を形成し、前記高さ誘導部材は、内容物が前記内容物通過手段に移動中に発生する高さの差が複数以上の段に分けられるか傾斜面で構成され、前記高さの差が内容物の移動を妨げずに内容物の移動を誘導するようにして保管部の内容物が前記内容物通過手段に安定的に移動するように誘導することができる。
【０１６２】
内容物が前記内容物通過手段を通過時に内容物の通過を感知する感知部を含む。
【０１６３】
前記感知部は、前記内容物が通過した数量、日時、曜日および時間のうち少なくとも一つを感知または測定することができる。
【０１６４】
前記感知部の内容物の測定は、電子センサーまたは機械の作動による測定であり得る。
【０１６５】
前記感知部が感知または測定したデータまたは前記内容物通過手段の作動によって、内容物が前記通過作動部を通過したかの可否を視覚、聴覚および触覚のうち少なくとも一つの使用者感覚方法で認知可能であるように表示する表示部を含む。
【０１６６】
前記感知部が感知または測定したデータを送信する通信部を含む。
【０１６７】
前記感知部は、タッチセンサー、加速度センサー、角速度センサー、重力センサー、地磁気センサー、ジャイロセンサー、近接センサー、動作認識センサー、電子羅針盤、磁力計センサー、ジェスチャーセンサーのうち少なくとも一つのセンサー方式を含む。
【０１６８】
前記感知部が前記内容物が一定期間または時間に定められた量が前記内容物通過手段を通過することを感知するか、内容物が定められた量を超過して前記内容物通過手段を通過することを感知すると、前記内容物通過手段の内容物移動の作動を制御する制御部を含む。
【０１６９】
前記表示部は、数字、文字、記号、点字、発光、点灯および色相のうち少なくとも一つで表示され得る。
【０１７０】
前記感知部を通じて感知された内容物の通過の有無または通過数量を判断し、前記判断された内容物の通過の有無または通過数量、または前記判断された通過の有無または通過数量と共に通過時点の日時、曜日、時間のうち少なくとも一つ以上のデータを前記表示部に表示することができる。
【０１７１】
前記感知部を通じて感知された内容物の通過の有無または通過数量を判断し、前記判断された内容物の通過の有無または通過数量、または前記判断された通過の有無または通過数量と共に通過時点の日時、曜日、時間のうち少なくとも一つ以上のデータを前記通信部を通じて近接または遠隔に送信することができる。
【０１７２】
前記感知部が前記内容物通過手段を通過した内容物を感知して指定された量の内容物が通過したと判断されると、それ以上の内容物が前記通過装置を通過しないようにロック装置を含む。
【０１７３】
前記ロック装置は、前記通過装置に具備され、前記内容物通過手段の運動を防ぐか前記通過作動部内での内容物の移動経路を遮断することができる。
【０１７４】
前記表示部の表示は、ＬＣＤまたはＬＥＤを利用した数字、文字、記号、信号のうち少なくとも一つであり得る。
【０１７５】
服用制限が必要な服用薬や正常な人には摂取制限が必要な食品のように規制が必要な場合、指定された時間または状況の終了前にロック状態を維持することができる。
【０１７６】
前記内容物通過手段運動を防ぐことは、前記内容物通過手段の運動部位を接触抵抗してなされ、前記通過作動部内での移動経路の遮断は、内容物の通過進入側と通過排出側に具備される通過通路部で内容物を遮断するか抵抗してなされ得る。
【０１７７】
前記内容物の表面または内容物の内部に数字、文字、記号のうち少なくとも一つを表示することで、前記内容物通過手段を通過した内容物または前記内容物通過手段を通過していない内容物の前記表示を観察することができる。
【０１７８】
また、本発明に係るバルブは、内容物が移動する内容物移動器具に具備され、内容物を通過誘導する通過装置であって、内容物を通過させる通過作動部を含み、前記通過作動部は、内容物が前記通過作動部を通過する以前に位置する通過以前部と連結され、前記通過作動部は、内容物が前記通過以前部から移動するようにする内容物通過手段を含み、前記内容物通過手段は内容物の前記内容物移動器具内での移動を制御することができる。
【０１７９】
前記通過作動部は、前記内容物移動器具で、前記通過以前部から前記内容物通過手段を通過して移動した需要量の内容物が、前記通過以前部に再び移動しないようにすることができる。
【０１８０】
前記通過作動部は、内容物を通過させるための開放部を含み、前記開放部を通じて内容物を移動させ、前記内容物通過手段の変形によって前記通過以前部の内容物が前記開放部を通じて移動することができる。
【０１８１】
また、本発明に係るバルブは、内容物が移動する移動部に具備され、内容物を通過誘導する通過装置であって、内容物を通過させる通過作動部を含み、前記通過作動部は、内容物が移動するようにする内容物通過手段を含む。
【０１８２】
前記内容物通過手段は、運動によって内容物を通過させる通過運動部を含む。
【０１８３】
前記通過作動部は、前記通過作動部の傾きまたは揺れによって発生する前記内容物通過手段の変形によって内容物が移動することができる。
【０１８４】
前記通過作動部が傾く場合、内容物を移動案内する移動案内部を含み、前記移動案内部が傾いた状態で内容物の自重または慣性によって前記移動案内部の面に沿って案内して内容物を通過させることができる。
【０１８５】
前記通過運動部は、前記通過作動部が傾くか動く場合、前記通過運動部の自重、前記通過運動部の慣性、内容物が前記通過運動部を押圧する力のうち少なくとも一つによって運動することができる。
【０１８６】
前記通過運動部は、通過する内容物と同じ方向に運動し、内容物の通過を許容する開放部材を含む。
【０１８７】
前記通過運動部は、前記開放部材とは別途で前記開放部材と連動して運動し、内容物が通過できないか部分的にのみ通過するように開放部の少なくとも一部を塞ぐ閉鎖部材を含む。
【０１８８】
前記通過運動部は、前記開放部材と前記閉鎖部材の間に具備される通過隔室部を含み、前記通過隔室部に隔室部収容量の内容物が収容されて前記収容された内容物を移動誘導することができる。
【０１８９】
前記通過運動部は、前記通過運動部の運動部重心位置と前記通過運動部の回転運動中心である運動部回転中心位置が相異するように具備され得る。
【０１９０】
前記通過作動部は、内容物を通過させるために開放部を形成し、前記通過作動部が傾くか動く場合、前記通過運動部は、前記通過運動部の自重だけでは、内容物が前記開放部を通過可能な開放となる回転運動をしないか回転運動が抑制され得る。
【０１９１】
前記通過運動部は、内容物が前記通過運動部に抵抗して開放部を開放する前に、前記通過運動部の自重によっては前記開放部を内容物が通過する程度に開放しないことができる。
【０１９２】
前記通過運動部は、前記開放部材に連動して前記開放部材方向に運動し、前記開放部材とともに需要量の内容物を収容して運動する収容部材を含む。
【０１９３】
前記通過運動部は、前記開放部材と前記収容部材の間に具備される通過隔室部を含み、前記通過隔室部に隔室部収容量の内容物を収容して前記収容された内容物を移動誘導することができる。
【０１９４】
前記通過運動部は、内容物の収容のための底部を含み、前記底部は、前記開放部材と前記開放部材と連動して需要量の内容物を収容して運動する収容部材の間に具備され得る。
【０１９５】
前記開放部材は、自重または内容物の押圧力によって開放されるように運動して内容物を通過誘導することができる。
【０１９６】
一方、本発明に係る内容物移動器具は、内容物を入れる内容物移動器具に具備されて内容物を通過誘導する通過装置、および少なくとも一側に開放されるハウジングを含み、前記通過装置は、内容物を通過させるための通過作動部を含み、前記通過作動部は、内容物が移動するようにする内容物通過手段を含む。
【０１９７】
前記内容物通過手段は、運動によって内容物の通過空間を形成する通過運動部を含む。
【０１９８】
前記通過作動部は、前記通過作動部の傾きまたは揺れによって発生する前記内容物通過手段の変形によって内容物が移動することができる。
【０１９９】
前記通過作動部が傾く場合、内容物を移動案内する移動案内部を含み、前記移動案内部が傾いた状態で内容物の自重または慣性によって前記移動案内部の面に沿って案内して内容物を通過させることができる。
【０２００】
前記通過運動部は、前記通過作動部が傾くか動く場合、前記通過運動部の自重、前記通過運動部の慣性、内容物が前記通過運動部を押圧する力のうち少なくとも一つによって運動することができる。
【０２０１】
前記通過運動部は、通過する内容物と同じ方向に運動し、内容物の通過を許容する開放部材を含む。
【０２０２】
前記通過運動部は、前記開放部材とは別途で前記開放部材と連動して運動し、内容物が通過できないか部分的にのみ通過するように開放部の少なくとも一部を塞ぐ閉鎖部材を含む。
【０２０３】
前記通過運動部は、前記開放部材と前記閉鎖部材の間に具備される通過隔室部を含み、前記通過隔室部に隔室部収容量の内容物が収容されて前記収容された内容物を移動誘導することができる。
【０２０４】
前記通過運動部は、前記通過運動部の運動部重心位置と前記通過運動部の回転運動中心である運動部回転中心位置が相異するように具備され得る。
【０２０５】
前記通過作動部は、内容物を通過させるために開放部を形成し、前記通過作動部が傾くか動く場合、前記通過運動部は、前記通過運動部の自重だけでは、内容物が前記開放部を通過可能な開放となる回転運動をしないか回転運動が抑制され得る。
【０２０６】
前記通過運動部は、内容物が前記通過運動部を抵抗して開放部を開放する前に、前記通過運動部の自重によっては開放部を内容物が通過する程度に開放しないことができる。
【０２０７】
前記通過運動部は、前記開放部材に延長されて前記開放部材と同一方向に運動し、前記開放部材と連動して需要量の内容物を収容して運動する収容部材を含む。
【０２０８】
前記通過運動部は、前記開放部材と前記収容部材の間に具備される通過隔室部を含み、前記通過隔室部に隔室部収容量の内容物を収容して前記収容された内容物を移動誘導することができる。
【０２０９】
前記通過運動部は、内容物の収容のための底部を含み、前記底部は前記通過運動部内の内容物の重力方向下部を支持することができる。
【０２１０】
前記通過運動部は、通過する内容物と同じ方向に運動し、内容物の通過を許容する開放部材を含み、前記底部は、前記開放部材と前記開放部材と連動して需要量の内容物を収容して運動する収容部材の間に具備され得る。
【０２１１】
前記底部は、内容物の最長の長さの収容のための長さを具備することができる。
【０２１２】
前記開放部材は、自重または内容物の押圧力によって開放されるように運動して内容物を通過誘導することができる。
【０２１３】
また、本発明に係る収容器具は、内容物を入れる収容器具に具備され、内容物を通過誘導する通過装置、および少なくとも一側に開放されるハウジングを含み、前記通過装置は、内容物を通過させるための通過作動部を含み、前記通過作動部は、内容物が移動するようにする内容物通過手段を含む。
【０２１４】
そして、本発明に係る内容物器具は、内容物を含み、内容物を通過誘導する通過装置、および少なくとも一側に開放されるハウジングを含み、前記通過装置は、内容物を通過させるための通過作動部を含み、前記通過作動部は、内容物が移動するようにする内容物通過手段を含む。
【０２１５】
内容物の表面または内容物の内部に数字、文字、記号のうち少なくとも一つを表示することで、前記内容物通過手段を通過した内容物または前記内容物通過手段を通過していない内容物の前記表示を観察することができる。
【０２１６】
前記内容物器具は、ゲーム器具、ボードゲーム器具、玩具器具、学習器具のうち少なくとも一つであり得る。
【発明の効果】
【０２１７】
以上で説明した通り、本発明に係る通過装置、バルブ、これを具備する収容器具、内容物移動器具および内容物器具は従来技術とは異なり、器具で固形物、粉末または液状などの内容物を定量または需要量排出しながら収容器具、内容物移動器具および内容物器具の内容物通過側を塞ぐように開放部材を具備して内容物の需要量の通過を安定的に誘導することができる。
【０２１８】
本発明は、収容器具、内容物移動器具および内容物器具の内容物通過側を開放する開放部材の運動角度を制限することによって、開閉反応応答性を向上させることができる。
【０２１９】
本発明は、通過空間を可変させ、内容物の受け取り部を確保することによって、内容物の定量通過を安定的に誘導することができる。
【０２２０】
本発明は、内容物の通過空間を確保し、内容物が定量通過されることに連動して通過空間を内容物が通過できない程度に閉鎖することによって、それ以上の内容物が通過することを防止することができる。
【０２２１】
本発明は、通過運動部の重さと重心位置を通した平衡作用によって自重による運動を制御することによって、必要量の内容物が通過する前に通過空間が閉鎖されないようにして必要量の内容物が通過するようにすることができる。
【図面の簡単な説明】
【０２２２】
【図１】本発明の第１実施例に係る通過装置を具備する収容器具または内容物移動器具の斜視図。
【図２】本発明の第１実施例に係る通過装置を具備する収容器具または内容物移動器具の分解斜視図。
【図３】本発明の第１実施例に係る通過装置を具備する収容器具または内容物移動器具の断面図。
【図４】本発明の第１実施例に係る通過装置を具備する収容器具または内容物移動器具の使用状態を示した断面図。
【図５】本発明の第２実施例に係る通過装置を具備する収容器具または内容物移動器具の斜視図。
【図６】本発明の第２実施例に係る通過装置を具備する収容器具または内容物移動器具の分解斜視図。
【図７】本発明の第２実施例に係る通過装置を具備する収容器具または内容物移動器具の断面図。
【図８】本発明の第２実施例に係る通過装置を具備する収容器具または内容物移動器具の使用状態を示した断面図。
【図９】本発明の第３実施例に係るバルブを具備する収容器具または内容物移動器具の斜視図。
【図１０】本発明の第３実施例に係るバルブを具備する収容器具または内容物移動器具の分解斜視図。
【図１１】本発明の第３実施例に係るバルブを具備する収容器具または内容物移動器具の使用状態を示した断面図。
【図１２】本発明の第３実施例に係るバルブを具備する収容器具または内容物移動器具の使用状態を示した断面図。
【図１３】本発明の第４実施例に係る通過装置を具備する収容器具または内容物移動器具の使用状態を示した断面図。
【図１４】本発明の第４実施例に係る通過装置を具備する収容器具または内容物移動器具の使用状態を示した断面図。
【図１５】本発明の第４実施例に係る通過装置を具備する収容器具または内容物移動器具の使用状態を示した断面図。
【図１６】本発明の第５実施例に係る通過装置を具備する収容器具または内容物移動器具の斜視図。
【図１７】本発明の第５実施例に係る通過装置を具備する収容器具または内容物移動器具の分解斜視図。
【図１８】本発明の第５実施例に係る通過装置を具備する収容器具または内容物移動器具の断面図。
【図１９】本発明の第５実施例に係る通過装置を具備する収容器具または内容物移動器具の使用状態を示した断面図。
【図２０】本発明の第５実施例に係る通過装置を具備する収容器具または内容物移動器具の使用状態を示した断面図。
【図２１】本発明の第６実施例に係る通過装置を具備する収容器具または内容物移動器具の斜視図。
【図２２】本発明の第６実施例に係る通過装置を具備する収容器具または内容物移動器具の分解斜視図。
【図２３】本発明の第６実施例に係る通過装置を具備する収容器具または内容物移動器具の底面分解斜視図。
【図２４】本発明の第６実施例に係る通過装置を具備する収容器具または内容物移動器具の断面図。
【図２５】本発明の第６実施例に係る通過装置を具備する収容器具または内容物移動器具の使用状態を示した断面図。
【図２６】本発明の第７実施例に係る通過装置を具備する収容器具または内容物移動器具の斜視図。
【図２７】本発明の第７実施例に係る通過装置を具備する収容器具または内容物移動器具の分解斜視図。
【図２８】本発明の第７実施例に係る通過装置を具備する収容器具または内容物移動器具の底面分解斜視図。
【図２９】本発明の第７実施例に係る通過装置を具備する収容器具または内容物移動器具の断面図。
【図３０】本発明の第７実施例に係る通過装置を具備する収容器具または内容物移動器具の使用状態を示した断面図。
【図３１】本発明の第８実施例に係るバルブを具備する内容物移動器具の斜視図。
【図３２】本発明の第８実施例に係るバルブを具備する内容物移動器具の分解斜視図。
【図３３】本発明の第８実施例に係るバルブを具備する収容器具または内容物移動器具の使用状態を示した断面図。
【図３４】本発明の第８実施例に係るバルブを具備する収容器具または内容物移動器具の使用状態を示した断面図。
【図３５】本発明の第９実施例に係る通過装置を具備する収容器具または内容物移動器具の斜視図。
【図３６】本発明の第９実施例に係る通過装置を具備する収容器具または内容物移動器具の分解斜視図。
【図３７】本発明の第９実施例に係る通過装置の分解斜視図。
【図３８】本発明の第９実施例に係る通過装置の底面分解斜視図。
【図３９】本発明の第９実施例に係る通過装置の断面図。
【図４０】本発明の第９実施例に係る通過装置を具備する収容器具または内容物移動器具の使用状態を示した断面図。
【図４１】本発明の第９実施例に係る通過装置を具備する収容器具または内容物移動器具の使用状態を示した断面図。
【図４２】本発明の第９実施例に係る通過装置を具備する収容器具または内容物移動器具の使用状態を示した断面図。
【図４３】本発明の第１０実施例に係る通過装置を具備する収容器具または内容物移動器具の斜視図。
【図４４】本発明の第１０実施例に係る通過装置を具備する収容器具または内容物移動器具の分解斜視図。
【図４５】本発明の第１０実施例に係る通過装置を具備する収容器具または内容物移動器具の使用状態を示した断面図。
【図４６】本発明の第１０実施例に係る通過装置を具備する収容器具または内容物移動器具の使用状態を示した断面図。
【図４７】本発明の第１１実施例に係る通過装置を具備する収容器具または内容物移動器具の斜視図。
【図４８】本発明の第１１実施例に係る通過装置を具備する収容器具または内容物移動器具の分解斜視図。
【図４９】本発明の第１１実施例に係る通過装置を具備する収容器具または内容物移動器具の使用状態を示した断面図。
【図５０】本発明の第１２実施例に係る通過装置を具備する収容器具または内容物移動器具の斜視図。
【図５１】本発明の第１２実施例に係る通過装置を具備する収容器具または内容物移動器具の分解斜視図。
【図５２】本発明の第１２実施例に係る通過装置を具備する収容器具または内容物移動器具の使用状態を示した断面図。
【図５３】本発明の第１３実施例に係る通過装置を具備する収容器具または内容物移動器具の斜視図。
【図５４】本発明の第１３実施例に係る通過装置を具備する収容器具または内容物移動器具の分解斜視図。
【図５５】本発明の第１３実施例に係る通過装置を具備する収容器具または内容物移動器具の使用状態を示した断面図。
【図５６】本発明の第１４実施例に係る通過装置を具備する収容器具または内容物移動器具の斜視図。
【図５７】本発明の第１４実施例に係る通過装置を具備する収容器具または内容物移動器具の分解斜視図。
【図５８】本発明の第１４実施例に係る通過装置を具備する収容器具または内容物移動器具の使用状態を示した断面図。
【図５９】本発明の第１５実施例に係る通過装置を具備する収容器具または内容物移動器具の分解斜視図。
【図６０】本発明の第１５実施例に係る通過装置を具備する収容器具または内容物移動器具の底面分解斜視図。
【図６１】本発明の第１５実施例に係る通過装置を具備する収容器具または内容物移動器具の断面図。
【図６２】本発明の第１５実施例に係る通過装置を具備する収容器具または内容物移動器具の使用状態を示した断面図。
【図６３】本発明の第１６実施例に係る通過装置を具備する収容器具または内容物移動器具の分解斜視図。
【図６４】本発明の第１６実施例に係る通過装置を具備する収容器具または内容物移動器具の通過部底面分解斜視図。
【図６５】本発明の第１６実施例に係る通過装置を具備する収容器具または内容物移動器具の断面図。
【図６６】本発明の第１６実施例に係る通過装置を具備する収容器具または内容物移動器具の使用状態を示した断面図。
【図６７】本発明の第１６実施例に係る通過装置を具備する収容器具または内容物移動器具の使用状態を示した断面図。
【発明を実施するための形態】
【０２２３】
以下、添付された図面を参照して本発明に係る通過装置、バルブ、これらを具備する収容器具、内容物移動器具および内容物器具の実施例を説明する。この過程で図面に図示された線の太さや構成要素の大きさなどは、説明の明瞭性と便宜上誇張して図示され得る。また、後述する用語は本発明での機能を考慮して定義された用語であって、これは作業者、運用者の意図または慣例により変更されうる。したがって、このような用語に対する定義は本明細書の全般にわたった内容に基づいて決定されるべきである。
【０２２４】
図１は、本発明の第１実施例に係る通過装置を具備する収容器具または内容物移動器具の斜視図であり、図２は、本発明の第１実施例に係る通過装置を具備する収容器具または内容物移動器具の分解斜視図である。
【０２２５】
図３は、本発明の第１実施例に係る通過装置を具備する収容器具または内容物移動器具の断面図であり、図４は、本発明の第１実施例に係る通過装置を具備する収容器具または内容物移動器具の使用状態を示した断面図である。
【０２２６】
図１〜図４に図示された通り、本発明の第１実施例に係る通過装置を具備する内容物移動器具または収容器具１は、保管部１１３、ハウジング１１０および通過作動部１２０を含む。
【０２２７】
特に、通過作動部１２０は、分離板１３５および通過通路部１３９を含む。
【０２２８】
分離板１３５は、内容物移動器具または収容器具１の保管部１１３と内容物の通過側を区画するためにハウジング１１０の内側に具備され、通過通路部１３９は、内容物の通過進入側と通過排出側間に延長形成される。
【０２２９】
本実施例においてハウジング１１０は、内容物移動器具または収容器具本体の内部にある保管部１１３側に形成される。
【０２３０】
特に、通過通路部１３９は、内容物を内容物通過手段１２３に移動案内する役割をする。
【０２３１】
また、通過通路部１３９は、内容物通過手段１２３に移動する内容物の移動量を制限する役割をする。
【０２３２】
詳細には、通過通路部１３９は、通過通路部１３９を通過する個々の内容物の一側端部の長さが他側端部の長さと異なる場合、通過通路部１３９の内部空間のうち最も小さい内径である通路幅最小内径（Ｌ１）が個々の内容物の単方向のうち最も大きい外径である内容物単方向最大外径（Ｌ２）の二倍より小さいか同じであるため、二個以上の個々の内容物が通過通路部１３９に同時に進入または通過することができず、一回に一個の内容物のみが通過通路部１３９に進入または通過可能となる。
【０２３３】
また、通過通路部１３９は、通過通路部１３９を通過する個々の内容物の一側端部の長さが他側端部の長さと異なる場合、内容物が長方向端部の長方向（Ｌ３）に通過通路部１３９を通過するようにガイドする。
【０２３４】
内容物通過手段１２３は、開放部材１２４に連動して開放された開放部１２２を閉鎖する閉鎖部材１２７を含み、一個の内容物が通過通路部１３９を前方通過時、他の個々の内容物が前方通過内容物の後に隣接して通過通路部１３９を後方通過し、後方通過内容物が移動して閉鎖部材１２７に接触し、閉鎖部材１２７が開放部１２２を少なくとも一部塞ぐことによって定量を超過して内容物が開放部１２２に流入することを防止する。
【０２３５】
通過通路部１３９の下部に内容物を通過通路部１３９に流入させる移動案内部１３０を具備する。
【０２３６】
特に、移動案内部１３０の少なくとも一部に傾斜面１３４が形成され、内容物は通過通路部１３９が位置するところに案内される。
【０２３７】
したがって、通過作動部１２０を具備するハウジング１１０を傾ける場合、内容物は移動案内部１３０の重力方向に傾斜面１３４に乗って移動する。
【０２３８】
また、移動案内部１３０と分離板１３５のうち少なくとも一つは、少なくとも一つ以上の通孔が形成された通気部１２２ｂを含み、通気部１２２ｂに具備される通孔を通じて通気がなされる。しかし、通気部１２２ｂに具備される通孔の大きさが個々の内容物の大きさよりも小さいため、内容物は通過できない。
【０２３９】
また、通気部１２２ｂを含む通過作動部１２０、分離板１３５、移動案内部１３０のうち少なくとも一つによって、内容物の保管空間である保管部１１３から分離される非保管空間部１１３ａが区画される。非保管空間部１１３ａに防腐剤２００が位置する場合、通過作動部１２０の通気部１２２ｂを通じて防腐剤２００の成分が空気を通じて保管部１１３に移動され、非保管空間部１１３ａにある防腐剤２００は保管部１１３と分離して位置するため、内容物の通過運動を妨げない。
【０２４０】
また、移動案内部１３０の傾斜面１３４の少なくとも一部が曲面に形成され、内容物の移動時、曲面を通じて内容物が曲面が狭くなる方向である通過作動部１２０側に移動するように誘導される。
【０２４１】
そして、移動案内部１３０は、内容物通過手段１２３側に通孔されるガイドホール１３２が通孔し、ガイドホール１３２の縁に沿って傾斜面１３４を形成することができる。
【０２４２】
また、開放部材１２４の運動角度は、内容物通過手段１２３に具備されるストッパー１２９と通過作動部１２０を具備するハウジング１１０に連結されるカバー３０のうち少なくとも一つによって制限され得る。
【０２４３】
通過装置を具備する内容物収容器具１は容器器具であり得る。
【０２４４】
図５は、本発明の第２実施例に係る通過装置を具備する収容器具または内容物移動器具の斜視図であり、図６は、本発明の第２実施例に係る通過装置を具備する収容器具または内容物移動器具の分解斜視図である。
【０２４５】
図７は、本発明の第２実施例に係る通過装置を具備する収容器具または内容物移動器具の断面図であり、図８は、本発明の第２実施例に係る通過装置を具備する収容器具または内容物移動器具の使用状態を示した断面図である。
【０２４６】
図５〜図８のように、本発明の第２実施例に係る通過装置１００を具備する内容物移動器具または収容器具１は、保管部１１３、ハウジング１１０、受け取り部１８１および通過作動部１２０を含む。
【０２４７】
ハウジング１１０、保管部１１３、受け取り部１８１、および通過作動部１２０は、第１実施例に説明したもので代替する。
【０２４８】
本実施例でハウジング１１０は、内容物移動器具または収容器具本体の内部にある保管部１１３側に形成される。
【０２４９】
内容物通過手段１２３は、ハウジング１１０の内側壁である固定部材１２１を含み、固定部材１２１は開放部１２２を通孔する。内容物の通過を案内する通過空間１１２ｃは開放部１２２に形成される。
【０２５０】
固定部材１２１の少なくとも一部は傾斜面１３４に形成される。したがって、ハウジング１１０を傾ける場合、内容物は固定部材１２１の重力方向の傾斜面１３４に乗って移動する。内容物を通過させる開放部材１２４の回転運動は、図８のように、運動部１２５の回転運動中心位置が重力反対方向側である上向方向に位置し、通過作動部１２０が傾くかひっくり返されるまたは揺れる動作による、内容物の重力運動または開放部材１２４に対する内容物の運動力の伝達によってなされる。
【０２５１】
通過空間１１２ｃを通過した内容物は受け取り部１８１に収納される。特に、内容物が受け取り部１８１に需要量が受け取られるように、ハウジング１１０の内容物通過側の縁には抵抗上板部材１８２が具備される。
【０２５２】
また、ハウジング１１０が立てられた状態で、開放部材１２４が開放部１２２を塞いでいる状態を維持するために、開放部１２２の内側面に該当する固定部材１２１の他側の内部面にはストッパー１２９を具備する。
【０２５３】
説明されていない図面符号は前述したもので代替する。
【０２５４】
図９は、本発明の第３実施例に係るバルブを具備する収容器具または内容物移動器具の斜視図であり、図１０は、本発明の第３実施例に係るバルブを具備する収容器具または内容物移動器具の分解斜視図であり、図１１および図１２は、本発明の第３実施例に係るバルブを具備する収容器具または内容物移動器具の使用状態を示した断面図である。
【０２５５】
図９〜図１２のように、本発明の第３実施例に係るバルブ１００は、第１実施例、第２実施例および下記の第５実施例で、保管部１１３の両側を開放してパイプ状に製作することによって実施可能となる。
【０２５６】
すなわち、バルブ１００は、内容物が内部を通じて移動する内容物移動器具１または内容物を保管する内容物移動器具または収容器具１に具備され、内容物通過手段１２３は内容物の内容物移動器具１内での移動を制御する。
【０２５７】
ハウジング１１０と通過作動部１２０は前述したもので代替する。
そして、バルブ１００は内容物が移動する内容物移動器具１１０に具備され、内容物を通過誘導する通過装置であって、内容物を通過させる通過作動部１２０を含む。
【０２５８】
そして、通過作動部１２０には、内容物が通過作動部１２０を通過する以前に位置する通過以前部１１３と通じる開放部１２２が形成される。通過作動部１２０は、開放部１２２側に形成されて内容物を通過させる内容物通過手段１２３を含み、内容物通過手段１２３は内容物の内容物移動器具１１０内での移動を制御する役割をする。
【０２５９】
また、通過作動部１２０は、開放部１２２を通じて内容物を移動させ、内容物通過手段１２３の変形によって通過以前部１１３の内容物が開放部１２２を通じて移動することを許容する。
【０２６０】
通過作動部１２０は、ハウジング１１０で内容物通過手段１２３を通過する前の空間である通過以前部１１３から内容物通過手段１２３を通過した後の空間である通過後空間に移動した内容物の需要量が、内容物通過以前部１１３に再び移動しないようにする役割をする。
【０２６１】
バルブ１００によって通過される内容物は、固形物、粉末、液状内容物のうち少なくとも一つにすることができる。
【０２６２】
通過装置を具備する内容物移動器具１は内容物移動管であり得る。
【０２６３】
説明されていない図面符号は前述したもので代替する。
【０２６４】
図１３〜図１５は、本発明の第４実施例に係る通過装置を具備する収容器具または内容物移動器具の使用状態を示した断面図である。
【０２６５】
図１３〜図１５のように、本発明の第４実施例に係る通過装置１００を具備する内容物移動器具または収容器具１は、保管部１１３、ハウジング１１０および通過作動部１２０を含む。
【０２６６】
本実施例でハウジング１１０は、内容物移動器具または収容器具本体の内部にある保管部１１３側に形成される。
【０２６７】
ハウジング１１０に延長された移動案内部１３０を具備し、移動案内部１３０を通過する内容物の需要量を通過させる内容物通過手段１２３を具備する。この時、内容物は、固形物、粉末または液状などのように内容物通過手段１２３を通過可能な内容物である。
【０２６８】
特に、内容物が通過方向または通過方向の反対方向に、運動部材１２５の外部曲面または開放部材１２４の外部面に接触しながら移動する時、運動固定部１２５ａの円周外側方向に内容物が抵抗しながら移動する。
【０２６９】
この時、内容物の運動固定部１２５ａの円周外側方向の移動によって開放部１２２の有効通過空間が狭くなり、需要量以外の内容物の通過を防ぐ。
【０２７０】
また、内容物が運動部材１２５の曲面である外部面に沿って軸反対方向に押圧されながら移動するため、他の内容物が共に通過する有効通過空間がなくなる。
【０２７１】
この時、他の内容物が共に通過する有効通過空間を減らす、運動部材１２５の外部面に沿って曲面などで形成される突出した構成は、底高変化部材１４７であり、内容物が通過しながら接する運動部材１２５の底高が相対的に上昇して内容物が通過されるように開放される開放部１２２の空間を狭くする役割をする。
【０２７２】
そして、少なくとも開放部材１２４を含む通過運動部１４０または平衡部１２３ｂの重さまたは重心が、通過作動部１２０を具備するハウジングが傾いて、傾く場合、必要内容物が開放部材１２４に接触する前に通過運動部１４０の自重によって回転がなされないように、通過運動部１４０の形状が形成されるか、通過運動部１４０の構成部材が結合されて形成され得る。
【０２７３】
このために、開放部材１２４、閉鎖部材１２７、運動制御部材１２３ａ、運動部材１２５または運動部材突出部１２５ｂのうち少なくとも二以上の重さまたは重心によって開放部材１２４の回転が抑止され、内容物の需要量が通過する前に、開放部材１２４と連動する閉鎖部材１２７が先に回転されず、内容物の需要量が通過する前に内容物の開放部１２２の通過を阻止しない。
【０２７４】
この時、通過運動部１４０は、内容物移動器具または収容器具１が傾いた時に通過運動部１４０の重心で平衡を維持しようとする力によって、通過運動部１４０が内容物移動器具または収容器具１の傾きを超過し、それ以上傾かない平衡部１２３ｂとなる。特に、通過運動部１４０は通過運動部１４０の重心の平衡のために別途の運動制御部材１２３ａを含むことができる。
【０２７５】
運動制御部材１２３ａは、通過作動部１２０が傾く時、開放部材１２４と運動制御部材１２３ａの重さ、または開放部材１２４、運動制御部材１２３ａおよび開放部材１２４とともに運動する別途部材の重さによって、平衡部１２３ｂの重心で重さ平衡をなしながら重力方向の重心位置を維持しようとする力によって、開放部材１２４が通過作動部１２０の傾きを超過する傾きに傾かないようにすることができる。
【０２７６】
すなわち、内容物移動器具または収容器具１とともに通過作動部１２０が傾く時、平衡部１２３ｂまたは通過運動部１４０は、平衡部１２３ｂまたは通過運動部１４０の重心で重さ平衡の力が作用し平衡部１２３ｂまたは通過運動部１４０が通過作動部１２０の傾きを超過して傾かないため、通過作動部１２０内での位置と傾きを維持することができる。
【０２７７】
また、図面のように、別途の開閉器具またはカバーがないか開閉器具またはカバーが開放されている状態で、内容物移動器具または収容器具本体の需要量の内容物が外部に通過されることが可能である。
【０２７８】
内容物移動器具または収容器具１は保管部１１３および受け取り部１１５を形成する。
【０２７９】
保管部１１３は内容物５を入れて保管する役割をする。そして、保管部１１３は内容物５を入れるか通過できるように一側に開放される。もちろん、保管部１１３は多様な形状および多様な材質で適用可能である。
【０２８０】
また、受け取り部１１５は、保管部１１３に保管された内容物５の引き出し（取り出し）側に形成される。保管部１１３と受け取り部１１５は、通過作動部１２０を基準に分けられる。
【０２８１】
また、ハウジング１１０は内部に移動案内部１３０を具備し、移動案内部１３０を通過する内容物５が需要量通過するようにする通過作動部１２０を具備する。
【０２８２】
通過作動部１２０は固定部材１２１および内容物通過手段１２３を含む。
【０２８３】
固定部材１２１はハウジング１１０の内側面に具備される。そのため、固定部材１２１は、ハウジング１１０内側を保管部１１３と受け取り部１１５に区画する。
【０２８４】
そして、固定部材１２１は開放部１２２を通孔する。開放部１２２は、ハウジング１１０の待機収納部１１５と保管部１１３を連結して内容物５が引き出されるようにする役割をする。
【０２８５】
また、内容物通過手段１２３は、開放部１２２を通じて内容物５を需要量ずつ通過案内する役割をする。本実施例の場合、内容物通過手段１２３は、ハウジング１１０内壁の全体開放空間である開放部１２２の内側に具備されて自重または内容物５の押圧する力によって内容物５を需要量ずつ通過させる役割をする。
【０２８６】
一方、内容物通過手段１２３は、開放部材１２４、通過隔室部１２４ａ、運動部材１２５、運動固定部１２５ａ、閉鎖部材１２７およびストッパー１２９を含む。
【０２８７】
開放部材１２４は、開放部１２２の内側面または縁に沿って具備される。そして、内容物移動器具または収容器具１が立てられた初期状態で、開放部材１２４は、開放部１２２を閉鎖して内容物５の任意的通過および外部から異物の流入を防止する役割をする。また、内容物移動器具または収容器具１が横になった使用状態または反対に立てられた使用状態で、開放部材１２４は自重または内容物５の押圧する力によって反ることによって、内容物５は通過する。
【０２８８】
すなわち、開放部材１２４と連結された運動部材１２５のそれぞれは、一側が運動固定部１２５ａに回動運動可能に連結される。そのため、内容物５の通過のために、ハウジング１１０を傾けるか振る場合、開放部材１２４の他側は互いに広がって通過空間が確保される。したがって、内容物５はハウジング１１０の保管部１１３から通過する。
【０２８９】
そして、閉鎖部材１２７は、開放部材１２４に連動して開放された開放部１２２を閉鎖する役割をする。
【０２９０】
一つまたは定量の内容物５が開放部材１２４の開放によって内容物通過手段１２３を通過時、後続の内容物５が内容物通過手段１２３を通過することを防止する役割をする。
【０２９１】
この時、通過隔室部１２４ａは、開放部材１２４と閉鎖部材１２７の間の空間であって、通過しようとする設定量または一粒の内容物５が進入することを許容する役割をする。
【０２９２】
また、ストッパー１２９は、運動部材１２５から延長されて開放部材１２４がそれ以上運動し、閉鎖部材１２７が開放部１２２を完全に塞ぐ状態を維持する役割をする。
【０２９３】
そして、移動案内部１３０は分離板１３５を含む。分離板１３５は、内容物移動器具または収容器具１の保管部１１３と内容物５の通過側を区画するためにハウジング１１０の内側に具備され、通過通路部１３９は、内容物５の通過進入側と通過排出側間に延長形成される。
【０２９４】
通過装置を具備する内容物収容器具１は容器器具であり得る。
【０２９５】
説明されていない図面符号は前述したもので代替する。
【０２９６】
図１６は、本発明の第５実施例に係る通過装置を具備する収容器具または内容物移動器具の斜視図であり、図１７は、本発明の第５実施例に係る通過装置を具備する収容器具または内容物移動器具の分解斜視図であり、図１８は、本発明の第５実施例に係る通過装置を具備する収容器具または内容物移動器具の断面図である。
【０２９７】
図１９および図２０は、本発明の第５実施例に係る通過装置を具備する収容器具または内容物移動器具の使用状態を示した断面図である。
【０２９８】
図１６〜図２０のように、本発明の第５実施例に係る通過装置１００を具備する内容物移動器具または収容器具１は、保管部１１３、ハウジング１１０および通過作動部１２０を含む。
【０２９９】
ハウジング１１０、保管部１１３、および通過作動部１２０は、前述したもので代替する。
【０３００】
そして、開放部材１２４は折り曲げられて構成され、開放部材１２４が折り曲げられた開放部材折り曲げ部１２４ｂは、線形に折れるか曲面に形成することができる。
【０３０１】
開放部材１２４は、直角以上の角度で折り曲げられ、開放部材１２４と閉鎖部材１２７の間の空間を確保する。内容物が長方向の形態である場合、開放部材１２４と閉鎖部材１２７の間の空間に長方向の長さ方向に進入した需要量の内容物５が、開放部材１２４を押圧することによって、開放部材１２４は閉鎖部材１２７とともに移動することになる。
【０３０２】
この時、移動する閉鎖部材１２７が開放部材１２４を押圧する需要量の内容物５を干渉しない。そして、閉鎖部材１２７は、需要量の内容物５を超過して通過作動部１２０に進入する内容物がある場合、超過する内容物を阻止する。この時、内容物は固形物、粉末または液状などであり、閉鎖部材１２７により内容物の一部又は全部が内容物通過手段１２３を通過することを抵抗することが可能な内容物である。
【０３０３】
本実施例のように閉鎖部材１２７が含まれる場合、内容物を通過させる作動をするだけで、使用者は需要量の内容物５を使用者の手や他の受け取り器具にすぐに入れることができる効果がある。これは閉鎖部材１２７が需要量以外の内容物の通過を自動的に阻止することによって可能である。
【０３０４】
特に、長方形の錠剤のような薬品を保管する一般的な内容物移動器具または収容器具１の場合、開口部が狭いため使用者が指で内容物である錠剤を把持するために、二つの指を入れることができる空間がない。この時、本実施例のような内容物移動器具または収容器具１においては、別途の装置、例えば、開閉器具またはカバーなどがなくても、内容物移動器具、収容器具１または通過作動部１２０を傾けるか振る動作だけで需要量の内容物を効果的に得ることができる。
【０３０５】
開放部材１２４が折り曲げられた部分の開放部材折り曲げ部１２４ｂの角度は、内容物が内容物移動器具または収容器具の外部に容易に通過できるように、ゆるやかな角度で構成され得る。もちろん、それ以外の多様な角度への折り曲げも可能である。
【０３０６】
閉鎖部材１２７は折り曲げられて構成され、閉鎖部材１２７の閉鎖部材折り曲げ部１２７ｂは線形に折れるか曲面に形成することができる。
【０３０７】
閉鎖部材１２７が折り曲げられた部分の閉鎖部材折り曲げ部１２７ｂの角度は、需要量以外の内容物が通過作動部１２０の内部に進入できないように、直角に近い急傾斜で構成され得る。もちろん、それ以外の多様な角度への折り曲げも可能である。
【０３０８】
内容物通過手段１２３の自重による内容物通過手段１２３の運動を制御する平衡部１２３ｂを含む。平衡部１２３ｂは、運動制御部材１２３ａ、開放部材１２４、閉鎖部材１２７および運動部材１２５のうち少なくとも一つ以上を含む。運動制御部材１２３ａ、開放部材１２４、閉鎖部材１２７および運動部材１２５のうち少なくとも一つ以上の重さおよび具備される位置を通じて平衡部１２３ｂ全体の重心が決定され、これを通じて内容物通過手段１２３の自重による移動が発生する。
【０３０９】
運動制御部材１２３ａは、開放部材１２４の移動距離と移動角度のうち少なくとも一つを制御することができる。
【０３１０】
また、運動制御部材１２３ａは、内容物移動器具、収容器具１または通過作動部１２０を立てるか傾けた時、需要量の内容物５が開放部材１２４を押圧する前に、開放部材１２４または開放部材１２４とともに運動する部材の自重による回転で閉鎖部材１２７が需要量の内容物５の通過を阻止しないように制御することができる。
【０３１１】
運動制御部材１２３ａは、開放部材１２４の重さ、または開放部材１２４とともに運動する少なくとも一つ以上の部材の重さに対応して、開放部材１２４を含む通過運動部１４０または平衡部１２３ｂの自重による移動を制御する重さと位置で構成される。
【０３１２】
運動制御部材１２３ａは、内容物移動器具、収容器具１または通過作動部１２０が傾く時、開放部材１２４と運動制御部材１２３ａの重さ、または開放部材１２４、または運動制御部材１２３ａおよび開放部材１２４とともに回転運動する別部材の重さによって、通過運動部１４０または平衡部１２３ｂの重心で重さ平衡の力が作用し、開放部材１２４の位置を維持する。もちろん、運動制御部材１２３ａは、一つまたは複数で平衡部１２３ｂに具備され得、多様な形状で構成されることが可能である。
【０３１３】
また、内容物移動器具、収容器具１または通過作動部１２０が立てられるか傾く時、開放部材１２４を含む平衡部１２３ｂの構成部材と運動制御部材１２３ａが重さ平衡の力が作用し、平衡部１２３ｂが重力方向に姿勢または位置を維持する。
【０３１４】
運動制御部材１２３ａは、容器が傾く時に平衡部１２３ｂの平衡を維持し、回転運動が発生するか減少するように抑制する役割をする平衡維持の役割をする。
【０３１５】
また、平衡部１２３は、運動加重制御部材１２３ｃを更に含み、運動加重制御部材１２３ｃは、運動制御部材１２３ａとは異なって、内容物が開放部材１２４に接触して内容物の重さが開放部材１２４に伝達されて平衡部１２３ｂの運動が進行される時、平衡部１２３ｂの運動方向に平衡を破って平衡部１２３ｂの運動力を加重させる。
【０３１６】
もちろん、運動制御部材１２３ａを利用した重心調節を通じて、内容物移動器具または収容器具１が傾く前の初期状態のように立てられている時の平衡部１２３ｂの自重による初期状態の位置により、閉鎖部材１２７が開放部１２２を塞ぐか開放することが可能である。
【０３１７】
閉鎖部材１２７は、開放部材１２４とともに運動する別途部材であり得、運動制御部材１２３ａが具備されない場合、閉鎖部材１２７は、運動制御部材１２３ａの役割をすることが可能である。
【０３１８】
通過作動部１２０内に具備される抵抗部材１１０ａを含み、抵抗部材１１０ａは通過作動部１２０内を通過する内容物の通過を制限する。
【０３１９】
通過作動部１２０内に具備される抵抗部材１１０ａを含み、抵抗部材１１０ａは通過作動部１２０内を通過する内容物の通過を制限し、抵抗部材１１０ａは閉鎖部材１２７と連係して内容物の通過を抵抗することができる。
【０３２０】
抵抗部材１１０ａは、需要量を超過する内容物の進入が容易でないように、通過作動部１２０の内部に突出して構成され得る。また、運動する閉鎖部材１２７と連係して需要量を超過する内容物の進入をさらに効果的に遮断することができる。
【０３２１】
通過装置を具備する内容物移動器具または収容器具１は、容器器具であり得る。
【０３２２】
説明されていない図面符号は前述したもので代替する。
図２１は、本発明の第６実施例に係る通過装置を具備する収容器具または内容物移動器具の斜視図であり、図２２は、本発明の第６実施例に係る通過装置を具備する収容器具または内容物移動器具の分解斜視図であり、図２３は、本発明の第６実施例に係る通過装置を具備する収容器具または内容物移動器具の底面分解斜視図である。
【０３２３】
図２４は、本発明の第６実施例に係る通過装置を具備する収容器具または内容物移動器具の断面図であり、図２５は、本発明の第６実施例に係る通過装置を具備する収容器具または内容物移動器具の使用状態を示した断面図である。
【０３２４】
図２１〜図２５のように、本発明の第６実施例に係る通過装置を具備する内容物移動器具または収容器具１は、ハウジング１１０および通過作動部１２０を含む。
【０３２５】
そして、ハウジング１１０は、通過作動部１２０を基準に保管部１１３と受け取り部１１５に分けられる。便宜上、受け取り部１１５は、内容物移動器具または収容器具１の開放側の外部にあるとする。
【０３２６】
保管部１１３は、錠剤など内容物５を入れて保管するためのハウジング１１０の内部空間を意味する。
【０３２７】
そして、受け取り部１１５は、内容物５が投入および通過できるようにハウジング１１０の開放された一側を意味する。
【０３２８】
もちろん、保管部１１３と受け取り部１１５は多様な形状および多様な材質で適用可能である。
【０３２９】
特に、ハウジング１１０は、保管部１１３の内容物５の通過側に分離可能に結合され得るかまたは保管部１１３に一体的に具備され得る。もちろん、ハウジング１１０の外形は多様に形成され得、多様な材質で適用可能である。
【０３３０】
また、ハウジング１１０は内部に通過作動部１２０を形成する。
【０３３１】
通過作動部１２０は、ハウジング１１０内部に具備され、保管部１１３に入っている内容物５を定量または需要量だけの移動を誘導する役割をする。ここで、「定量」は、同一個数や量、および誤差範囲内で互いに異なって移動する量や個数を意味する。「需要量」は、使用者が必要とする量（個数）であって、「定量」の範疇に含まれるものとする。
【０３３２】
図示しないが、ハウジング１１０は、上側にカバーを具備してもよい。カバーは、通過作動部１２０を通じて移動する内容物５を受ける。
【０３３３】
また、通過作動部１２０は、ハウジング１１０または通過作動部１２０の傾きまたは揺れによって発生する内容物通過手段１２３の変形によって、内容物５を移動させるものであり、固定部材１２１、内容物通過手段１２３、移動案内部１８０およびガイド部材１９０を含む。
【０３３４】
固定部材１２１は、ハウジング１１０の内側に具備される。この時、ハウジング１１０内部で固定部材１２１が形成される位置は限定しない。
【０３３５】
そして、固定部材１２１は、開放部１２２を通孔する。開放部１２２は、ハウジング１１０の受け取り部１１５と保管部１１３を連結して、内容物５が引き出される役割をする。この時、開放部１２２の個数および直径は限定されない。すなわち、通過作動部１２０は、保管部１１３に該当する、内容物５が通過作動部１２０を通過する以前の空間である保管部１１３と通じる開放部１２２を形成する。
【０３３６】
特に、開放部１２２は、平面視円形や多角形など、多様に形成され得、ホール（ｈｏｌｅ）として適用することができる。
【０３３７】
また、固定部材１２１は、ハウジング１１０と一体構成されるか、内側に一体製作され得、又はハウジング１１０に分離可能に結合され得る。また、固定部材１２１は多様な形状に変形可能である。
【０３３８】
ハウジング１１０から付属または突出する別途の固定部材１２１がない場合、ハウジング１１０の内壁は固定部材１２１を形成し、ハウジング１１０内側の空間に開放部１２２を形成することができる。
【０３３９】
一方、内容物通過手段１２３は、開放部１２２を通じて需要量の内容物５を通過案内する役割をする。すなわち、内容物通過手段１２３は、開放部１２２に接して需要量または定量の内容物５を通過させる役割をする。
【０３４０】
そして、移動案内部１８０は、ハウジング１１０内側面または固定部材１２１から保管部１１３の方向に延長形成される。便宜上、移動案内部１８０は、固定部材１２１から保管部１１３の方向に延長形成されるものと図示される。ここで、移動案内部１８０は、開放部１２２の縁に対応する固定部材１２１から延長形成される。
【０３４１】
そのため、ハウジング１１０または通過作動部１２０が傾く場合、移動案内部１８０は、内容物５を開放部１２２に集中して移動案内する役割をする。特に、移動案内部１８０が傾いた状態で、内容物５は自重または慣性によって、移動案内部１８０の面に沿って案内されて移動することになる。
【０３４２】
特に、移動案内部１８０は、ハウジング１１０に連結される案内部材であり得るが、ハウジング１１０の内側面そのものであってもよい。
【０３４３】
また、移動案内部１８０は、保管部１１３の内容物５がハウジング１１０の壁面に沿って開放部１２２に集中して移動できるように、一対のプレート形状でもよく、開放部１２２の縁に沿って固定部材１２１から延長されるダクトの形状でもよい。便宜上、移動案内部１８０は並んだ一対のプレートとして図示する。もちろん、移動案内部１８０は多様な形状に変形可能である。
【０３４４】
また、ガイド部材１９０は、移動案内部１８０からハウジング１１０の底面方向に延長されて、保管部１１３の内容物５が移動案内部１８０に集中する役割をする。特に、ガイド部材１９０は、移動案内部１８０の縁または端部から少しずつ広がるように延長形成され得る。もちろん、ガイド部材１９０は、多様な形状に形成され得る。
【０３４５】
また、移動案内部１８０とガイド部材１９０は一体製作され得る。
【０３４６】
一方、内容物通過手段１２３は、一つずつ（一粒ずつ）または設定量の内容物５を受け取り部１１５側に移動させる役割をするものであって、開放部１２２の内側と移動案内部１８０に具備される。
【０３４７】
ここで、内容物通過手段１２３は、通過運動部１４０、支持部材１５０、遅延部材１６０および閉鎖支持部材１７０を含む。
【０３４８】
通過運動部１４０は、開放部１２２の内側面に対応する固定部材１２１に回動可能に具備され、開放部１２２を開放して内容物５の引き出しを許容し、開放部１２２を塞いで内容物５の引き出しを遮断する役割をする。
【０３４９】
特に、通過運動部１４０は、ハウジング１１０または通過作動部１２０が傾くか、自らの荷重、内容物５の自重、内容物５の押圧する力および慣性のうち少なくとも一つによって運動することになる。すなわち、ハウジング１１０または通過作動部１２０が傾くか反対に立てられる場合、通過運動部１４０は、自らの荷重および引き出されようとする内容物５の押圧する力によって運動して開放部１２２を開放することになる。
【０３５０】
また、通過運動部１４０は、開放部材１４２、通過維持部１４４および閉鎖部材１２７を含む。
【０３５１】
特に、開放部材１２４は、開放部１２２を開放する役割をするが、単数または複数個で具備することができる。
【０３５２】
開放部材１４２は、自重および内容物５の押圧する力の有無によって開放部１２２を開放するか閉鎖する役割をする。
【０３５３】
特に、通過運動部１４０は、ハウジング１１０または通過作動部１２０を傾けられる場合、重心によって、または自らの荷重によってのみ内容物５が通過する程度に、開放部１２２を開放しないようにする。これによって、内容物５が通過運動部１４０に抵抗しながら開放部１２２を開放する前に、通過運動部１４０が開放部１２２を内容物５が通過する程度に開放することを防止する。
【０３５４】
すなわち、開放部材１４２は、開放部１２２を通じて通過される内容物５と同じ方向に運動し、内容物５の通過を許容する役割をする。
【０３５５】
ここで、開放部材１４２が固定部材１２１に容易に分離可能に組立られるように、固定部材１２１はブラケット１２２ａを延長形成する。もちろん、開放部材１４２とブラケット１２２ａは多様な形状に変形可能である。特に、開放部材１４２は、ハウジング１１０または通過作動部１２０が立てられるか傾く時、早い運動応答性を有するように形成される。
【０３５６】
そして、通過維持部１４４は、開放部材１４２が内容物５が通過する開放部１２２を開放している状態を維持するように作動する役割をする。これは、一つずつまたは設定量の内容物５が開放部１２２を通じて通過されることを許容するためである。
【０３５７】
言い換えれば、通過維持部１４４は、開放部材１４２が開放部１２２を開放している状態を拘束する役割をする。
【０３５８】
通過維持部１４４は、開放部材１４２から延長される。そのため、ブラケット１２２ａにピボッティングされる部位を中心に、開放部材１４２と通過維持部１４４は同一方向に運動する。すなわち、開放部材１４２と通過維持部１４４が一方向に運動しながら開放部１２２は開放される。反対に、開放部材１４２と通過維持部１４４が他方向に運動しながら開放部１２２は閉鎖される。
【０３５９】
ここで、通過維持部１４４は拘束部材１４５を含む。拘束部材１４５は開放部材１４２に延長されて開放部材１４２と同一方向に運動する。
【０３６０】
特に、拘束部材１４５が固定部材１２１の内側に係止されることによって、ハウジング１１０が立てられる場合にも、開放部材１４２は内容物５が引き出される反対方向に運動防止される。
【０３６１】
すなわち、拘束部材１４５は、ハウジング１１０が立てられた場合、ハウジング１１０の内部に係止されて、閉鎖部材１２７が開放部１２２を閉鎖する状態を維持する役割をする。
【０３６２】
また、閉鎖部材１２７は、開放部材１４２とは別途に、開放部材１４２と反対方向に運動して、開放部１２２が内容物５をが通過させないか又は部分的にのみ通過させるように閉鎖する役割をする。
【０３６３】
すなわち、閉鎖部材１２７は、移動案内部１８０に運動可能に具備され、ハウジング１１０または通過作動部１２０を傾ける場合、開放部材１４２と反対方向に運動するように重心が設定される。
【０３６４】
詳細には、ハウジング１１０または通過作動部１２０が傾く場合、開放部材１４２と通過維持部１４４の拘束部材１４５が、一方向に運動することに連動して閉鎖部材１２７は他方向に運動する。そのため、開放部１２２は開放され、閉鎖部材１２７は拘束部材１４５を押圧することになる。したがって、開放部材１４２は、開放部１２２を開放した状態を維持することになる。
【０３６５】
反対に、ハウジング１１０が初期状態に立てられる場合、閉鎖部材１２７が一方向に運動することに連動して、開放部材１４２と拘束部材１４５が他方向に運動する。そのため、閉鎖部材１２７から拘束解除された拘束部材１４５と開放部材１４２が他方向に運動することによって、開放部１２２は閉鎖される。この時、拘束部材１４５が固定部材１２１に接しながら開放部材１４２が開放部１２２を塞ぐ時まで、拘束部材１４５と開放部材１４２が他方向に運動する。
【０３６６】
もちろん、閉鎖部材１２７は多様な形状に変形可能である。
【０３６７】
特に、閉鎖部材１２７は、拘束部材１４５が一方向に回転時に連動して他方向に運動するように初期化されていなければならない。
【０３６８】
そのため、内容物通過手段１２３は、支持部材１５０を含む。支持部材１５０は閉鎖部材１２７の回転方向を制御する役割をする。
【０３６９】
すなわち、支持部材１５０は、移動案内部１８０の内側面に突出形成され、閉鎖部材１２７の初期状態を維持するように閉鎖部材１２７を支持することによって、ハウジング１１０または通過作動部１２０が内容物５の通過のために傾く場合、運動を通じて内容物５を阻止する反応性を向上させる。もちろん、支持部材１５０は多様な形状に変形可能である。
【０３７０】
また、内容物通過手段１２３に含まれる遅延部材１６０は、移動案内部１８０の内側に運動可能に具備される。この時、遅延部材１６０は、開放部材１４２と同一方向に運動するように移動案内部１８０に具備され、内容物通過手段１２３の開放部材１４２を通過する内容物５に後続して移動する内容物５が移動する時間を遅延させる役割をする。すなわち、先行する内容物５が開放部材１４２を通過時、後続の内容物５は遅延部材１６０から抵抗を受けることによって移動が遅延する。そのため、内容物５は一つずつまたは定量ずつ引き出し可能となる。
【０３７１】
ここで、遅延部材１６０は、内容物５を遅延させて移動させることができるように移動案内部１８０の内側面に設置される。もちろん、遅延部材１６０は多様な形状に変形可能である。
【０３７２】
そして、内容物通過手段１２３に含まれる閉鎖支持部材１７０は、開放部材１４２が開放部１２２を塞いでいる状態を維持するように、開放部材１４２を支持するものである。閉鎖支持部材１７０は、閉鎖部材１２７とは異なって別途具備され得るが、便宜上閉鎖部材１２７と同じものとして図示する。
【０３７３】
以下、本発明の第６実施例に係る通過装置を具備する内容物移動器具または収容器具１の作用効果を説明すると次のとおりである。
【０３７４】
使用者が初期状態である内容物移動器具、収容器具１または通過作動部１２０を傾けるか、反対に立てるなどをして使用状態にすると、開放部材１４２は、自重および内容物５の押圧する力によって一方向に運動し、拘束部材１４５は、開放部材１４２と同一に一方向に運動する。閉鎖部材１２７は、開放部材１４２と反対方向である他方向に運動する。この時、拘束部材１４５は、閉鎖部材１２７を加圧することによって閉鎖部材１２７が初期位置に復帰することを阻止する。これによって、開放部材１４２は、開放部１２２を開放した状態を維持することになる。これによって、開放部材１４２を加圧する先行の内容物５が引き出される。
【０３７５】
特に、遅延部材１６０は、開放部材１４２と同一方向に運動するが、後続の内容物５の移動スピードを減少させる役割をする。
【０３７６】
ここで、「初期状態」とは内容物移動器具または収容器具１が正方向に立てられた状態であって、拘束部材１４５が固定部材１２１の内側に接して係止されることによって、開放部材１４２が開放部１２２を塞ぎ、閉鎖部材１２７が支持部材１５０に支持され、遅延部材１６０が自重によって保管部１１３の方向に向いている状態である。
【０３７７】
もちろん、使用者が内容物移動器具または収容器具１を正方向に立てて初期状態に復帰させれば、開放部材１４２は、自重によって他方向に運動し、拘束部材１４５は、開放部材１４２と同一に他方向に運動し、閉鎖部材１２７は開放部材１４２と反対方向である一方向に運動して初期化となる。
【０３７８】
説明されていない図面符号は前述したもので代替する。
【０３７９】
図２６は、本発明の第７実施例に係る通過装置を具備する収容器具または内容物移動器具の斜視図であり、図２７は、本発明の第７実施例に係る通過装置を具備する収容器具または内容物移動器具の分解斜視図であり、図２８は、本発明の第７実施例に係る通過装置を具備する収容器具または内容物移動器具の底面分解斜視図である。
【０３８０】
図２９は、本発明の第７実施例に係る通過装置を具備する収容器具または内容物移動器具の断面図であり、図３０は、本発明の第７実施例に係る通過装置を具備する収容器具または内容物移動器具の使用状態を示した断面図である。
【０３８１】
図２６〜図３０のように、本発明の第７実施例に係る通過装置を具備する内容物移動器具または収容器具１は、ハウジング１１０および通過作動部１２０を含む。
【０３８２】
ハウジング１１０は前述したもので代替する。
【０３８３】
そして、通過作動部１２０は内容物５を一つずつ（一粒ずつ）または定量ずつ移動させるものであって、ハウジング１１０または通過作動部１２０の傾きまたは揺れによって発生する内容物通過手段１２３の変形によって内容物５が移動することになる。
【０３８４】
ここで、通過作動部１２０は、固定部材１２１、内容物通過手段１２３、移動案内部１８０およびガイド部材１９０を含む。
【０３８５】
固定部材１２１は、ハウジング１１０の内側に具備される。この時、ハウジング１１０の内部での固定部材１２１の形成位置は限定されない。
【０３８６】
そして、固定部材１２１は、開放部１２２を通孔する。開放部１２２は、ハウジング１１０の受け取り部１１５と保管部１１３を連結して内容物５が引き出す役割をする。
【０３８７】
また、内容物通過手段１２３は、一つずつ（一粒ずつ）または設定量の内容物５を受け取り部１１５側に移動させる役割をするものであって、開放部１２２の内側と移動案内部１８０に具備される。
【０３８８】
また、移動案内部１８０は、ハウジング１１０または通過作動部１２０が傾く場合、内容物５を移動案内する役割をする。
【０３８９】
この時、移動案内部１８０は、傾いた状態で内容物５の自重または慣性によって移動案内部１８０の面に沿って案内し、内容物５の移動を案内する役割をする。移動案内部１８０は、ハウジング１１０の内側面に接して固定され得るが、開放部１２２に対応するように固定部材１２１から延長形成されるものとする。
【０３９０】
特に、移動案内部１８０は、ハウジング１１０の内側面そのものであり得、またはハウジング１１０の内側に具備される別途の案内部材であり得る。
【０３９１】
もちろん、移動案内部１８０は、多様な形状に変形可能である。
【０３９２】
また、ガイド部材１９０は、保管部１１３に保管された内容物５が開放部１２２側に集中移動するように移動案内部１８０から延長形成される。この時、ガイド部材１９０は多様な形状で適用可能である。
【０３９３】
一方、内容物通過手段１２３は、通過運動部１４０および閉鎖支持部材１７０を含む。
【０３９４】
通過運動部１４０は、開放部１２２の内側面に該当する固定部材１２１に運動可能に具備され、開放部１２２を開放して内容物５の引き出しを許容し、開放部１２２を防いで内容物５の引き出しを遮断する役割をする。
【０３９５】
特に、通過運動部１４０は、ハウジング１１０または通過作動部１２０が傾くか、自らの荷重、内容物５の自重、内容物５の押圧する力および慣性のうち少なくとも一つによって運動することになる。すなわち、ハウジング１１０または通過作動部１２０が傾くか反対に立てられる場合、通過運動部１４０は自らの荷重および引き出されようとする内容物５の押圧する力によって運動して開放部１２２を開放することになる。
【０３９６】
また、通過運動部１４０は、開放部材１４２、収容部材１２７ａ、通過隔室部１２４ａ、底部１４６、運動制御部材１２３ａ、運動加重制御部材１２３ｃおよびストッパー１２９のうち少なくとも一つを含む。
【０３９７】
特に、開放部材１４２は、開放部１２２を開放する役割をするが、単数または複数個を具備することができる。
【０３９８】
開放部材１４２は、自重および内容物５の押圧する力の有無によって開放部１２２を開放又は閉鎖する役割をする。言い換えれば、開放部材１４２は、通過する内容物５と同じ方向に運動し、内容物５の通過を許容する役割をする。
【０３９９】
ここで、開放部材１４２が固定部材１２１に容易に分離可能に組立られるように、固定部材１２１は、ブラケット１２２ａを延長形成する。もちろん、開放部材１４２とブラケット１２２ａは多様な形状に変形可能である。特に、開放部材１４２は、ハウジング１１０または通過作動部１２０が立てられるか傾く時、早い運動応答性を有するように形成される。
【０４００】
そして、収容部材１２７ａは、開放部材１４２から延長されて開放部材１４２と同一方向に運動し、開放部材１４２に連動して定量の内容物５を収容する役割をする。もちろん、収容部材１２７ａは多様な形状に変形可能である。
【０４０１】
ハウジング１１０または通過作動部１２０が図３０のように通過運動部１４０の回転運動中心である運動部回転中心２１０位置が重力方向側である下向方向に傾く場合、開放部材１４２と収容部材１２７ａが一方向に運動することに連動して保管部１１３の内容物５が収容部材１２７ａを通過することになる。
【０４０２】
そして、収容部材１２７ａがさらに運動して後続の内容物５が流入することを遮断し、先行する内容物５は開放部材１４２を通過するかまたは開放部材１４２上に位置した内容物５は取り出すことができるようになる。
【０４０３】
反対に、ハウジング１１０が初期状態に立てられる場合、開放部材１４２と収容部材１２７ａが他方向に運動し、開放部材１４２は開放部１２２を塞ぐ。
【０４０４】
そして、通過隔室部１２４ａは、開放部材１４２と収容部材１２７ａの間の領域、特に、開放部材１４２と収容部材１２７ａにまたがった領域（空間）であって、収容部材１２７ａを通過した定量または定量以下の内容物５を収容する。通過隔室部１２４ａに収容された内容物５が開放部材１４２を通じて通過誘導される。ここで、通過隔室部１２４ａの長さは内容物５の長さと、同等であるかもう少し長く形成され得る。
【０４０５】
また、底部１４６は、収容部材１２７ａを通過する内容物５を収容するために、開放部材１４２と収容部材１２７ａの間に形成されるものであって、通過運動部１４０内の内容物５の下部を支持する役割をする。これによって、底部１４６は、収容部材１２７ａと開放部材１４２を連結し、平板状に形成され得る
【０４０６】
特に、底部１４６の長さは、長方向の長さを備える内容物５を収容できるように、内容物５の長辺方向の端部の長さ以上の長さで構成される。
【０４０７】
また、ストッパー１２９は、開放部材１４２の回転角度を制限する役割をするものである。通過運動部１４０の回転中心部位から延長されて移動案内部１８０またはガイド部材１９０またはハウジング１１０の内側面に係止されることによって、開放部材１４２が開放部１２２を完全に開放した後は、それ以上運動しないようにする。
【０４０８】
もちろん、ストッパー１２９は多様な形状に変形可能である。
【０４０９】
一方、内容物通過手段１２３に含まれる閉鎖支持部材１７０は、開放部材１４２を支持するために、固定部材１２１、移動案内部１８０またはガイド部材１９０に形成され、開放部材１４２が開放部１２２を塞いでいる状態を維持する。特に、閉鎖支持部材１７０は、ストッパー１２９を支持するように移動案内部１８０に形成され得る。
【０４１０】
通過装置は、内容物を移動案内するための通過作動部１２０を含み、通過作動部１２０は、内容物が移動するようにする内容物通過手段１２３を含む。内容物通過手段１２３は、運動によって内容物の通過空間を形成する通過運動部１４０を含む。
【０４１１】
通過運動部１４０は、通過する内容物と同じ方向に運動し、内容物の通過を許容する開放部材１４２を含む。開放部材１４２は、自重または内容物の押圧力によって開放されるように運動して内容物を通過誘導することができる。
【０４１２】
この時、通過作動部１２０が傾いて開放部材１４２の自重による回転が、内容物が開放部材１４２を通過する前になされて内容物の通過が遮断されることを防止するために、通過作動部１２０が傾いて開放部材１４２の自重によって回転しようとする場合、開放部材１４２、閉鎖部材１２７および運動部材１２５のうち少なくとも二以上の、重さと重心の位置によって開放部材１４２の回転が抑止される。それにより、内容物の需要量が通過する前に内容物の通過を阻止せず、内容物の通過とともに開放部材１４２が回転することができる。ここで、通過運動部１４０は、内容物移動器具または収容器具１が傾いた時、通過運動部１４０が内容物移動器具または収容器具１の傾きを超過して傾かず、平衡を維持する平衡部１２３ｂを備える。特に、通過運動部１４０の重心の平衡を保つため、運動制御部材１２３ａが通過運動部１４０に含まれることが可能である。
【０４１３】
運動部材１２５は、運動制御部材１２３ａを連結するか含むことができる。
【０４１４】
通過作動部１２０は、通過作動部１２０の傾きまたは揺れによって発生する内容物通過手段１２３の変形によって、内容物を移動させることができる。通過作動部１２０が傾く場合、内容物が移動案内部１８０の重力方向の傾斜面に乗って移動することができる。
【０４１５】
一方、通過作動部１２０が傾く場合、内容物を移動案内する移動案内部１８０を含み、移動案内部１８０が傾いた状態で内容物の自重または慣性によって移動案内部１８０の面に沿って案内して内容物を通過させることができる。
【０４１６】
通過運動部１４０は、通過作動部１２０が傾くか動く場合、通過運動部１４０の自重、通過運動部１４０の慣性、内容物が通過運動部１４０を押圧する力のうち少なくとも一つによって運動することができる。
【０４１７】
通過運動部１４０は、開放部材１４２とは別途に開放部材１４２と同じ方向に運動し、開放部１２２を内容物が通過できない、又は部分的にのみ通過するように閉鎖する閉鎖部材１２７を含むことができる。
【０４１８】
通過運動部１４０は、開放部材１４２と閉鎖部材１２７の間に具備される通過隔室部１２４ａを含み、通過隔室部１２４ａに隔室部収容量の内容物が収容されて収容された内容物を移動誘導することができる。通過隔室部１２４ａが収容する隔室部収容量は内容物通過手段１２３を通過する需要量以上である。通過隔室部１２４ａに収容される内容物の通過隔室部１２４ａの通過を抵抗する通過抵抗部を含み、通過隔室部１２４ａに収容された隔室部収容量が需要量を超過する場合、需要量を超過した内容物が通過隔室部１２４ａを通過しないように抵抗することができる。
【０４１９】
通過運動部１４０は、通過運動部１４０の運動部重心２１５の位置と、通過運動部１４０の回転運動中心である運動部回転中心２１０の位置が相異するように具備され得る。通過運動部１４０の運動部重心２１５の位置が、通過運動部１４０の運動部回転中心２１０の位置の後方である、通過装置の外部通過方向の反対方向に位置し、通過作動部１２０が傾くか揺れる場合、運動部重心２１５の位置と運動部回転中心２１０の位置の差によって通過運動部１４０の回転運動が抑止されるか遅延され得る。
【０４２０】
したがって、通過作動部１２０が傾くか動く場合、通過運動部１４０は、通過運動部１４０だけの自重によっては、内容物が開放部１２２を通過可能な開放となる回転運動をしないか回転運動が抑制される。通過運動部１４０は、内容物が通過運動部１４０に抵抗して開放部１２２を開放する前に、通過運動部１４０の自重によっては開放部１２２を内容物が通過する程度に開放しないことができる。
【０４２１】
これを通じて、内容物通過手段１２３の構成部材の少なくとも一部が回転して発生する回転変形時に、現れる内容物通過手段１２３の変形は、通過運動部１４０の自重と運動部重心２１５により、内容物の接触前は発生しないか接触前の近接した時点まで遅延され得る。
【０４２２】
したがって、内容物通過手段１２３の変形は、内容物の自重による接触前には発生せず、内容物の自重による接触と共に通過運動部１４０の自重による回転が動作して発生する可能性がある。
【０４２３】
通過運動部１４０は、開放部材１４２に延長されて開放部材１４２と同一方向に運動し、開放部材１４２と連動して需要量の内容物を収容して運動する収容部材１２７ａを含むことができる。通過運動部１４０は、開放部材１４２と収容部材１２７ａの間に具備される通過隔室部１２４ａを含み、通過隔室部１２４ａに隔室部収容量の内容物を収容して収容された内容物を移動誘導することができる。
【０４２４】
通過運動部１４０は、内容物の収容のための底部１４６を含み、底部１４６は通過作動部１２０が傾く場合、通過運動部１４０内の内容物の重力方向下部を支持することができる。
【０４２５】
底部１４６の高くなるか突出する部位である底高変化部材１４７によって、底部１４６に支持されて通過する内容物の位置が重力方向の反対方向に上昇され得る。この時、内容物が通過されるように開放される開放部１２２の空間が狭くなり得る。狭くなった開放部１２２の空間により、収容量を超過した内容物が通過隔室部１２４ａで移動することを抵抗して、収容量を超過する内容物が通過運動部１４０に移動しないようにすることができる。また、上昇する内容物の位置によって内容物の開放部材の通過が容易であり得る。
【０４２６】
この時、底高変化部材１４７は運動加重制御部材１２３ｃとして機能することが可能である。
【０４２７】
本実施例のように底部１４６が底高変化部材１４７を含み、底部１４６が曲面等の、内容物に抵抗する形状で構成される場合、内容物が底高変化部材１４７の表面に接触して移動すると、内容物の自重による抵抗で底部１４６が内容物の移動方向に運動することになって、通過運動部１４０が内容物通過方向に運動することができる。
【０４２８】
この時、底部１４６が底部１４６と接触する抵抗で、通過する内容物と同じ方向に運動し、内容物の通過を許容する場合、通過運動部１４０は、開放部材１４２を具備するか、または通過運動部１４０に別途の開放部材１４２なしに底部１４６の移動だけで、通過運動部１４０が運動することができる。
【０４２９】
底部１４６または底部１４６に具備される底高変化部材１４７は、多様な摩擦材質または屈曲した形状で具備され得る。
【０４３０】
底部１４６は、開放部材１４２と開放部材１４２と連動して需要量の内容物を収容して運動する収容部材１２７ａの間に具備され得る。底部１４６は長方形の内容物の長方向の長さを収容するための長さで構成され得る。
【０４３１】
内容物通過手段１２３は、内容物通過手段１２３が具備されるハウジング１１０の通過作動部１２０側で、ハウジング１１０を開閉可能にする開閉器具またはカバーがないか開放された状態で、内容物を通過誘導することができる。
【０４３２】
内容物通過手段１２３は、内容物通過手段１２３が具備されるハウジング１１０の通過作動部１２０側の開閉器具または開閉器具に固定されている部材に、接触または抵抗を受けていない状態で内容物を通過誘導することができる。
【０４３３】
内容物通過手段１２３は、内容物通過手段１２３が具備されるハウジング１１０が内容物通過手段１２３の内容物通過方向に開放された状態で、内容物の通過誘導が可能となり得る。
【０４３４】
内容物通過手段１２３が具備される通過作動部１２０が傾くかひっくり返される、または揺れる動作だけで内容物が内容物通過手段１２３を通過することができる。
【０４３５】
内容物通過手段１２３の回転変形によって内容物が通過することができる。内容物通過手段１２３の回転変形によって、必要な内容物を超過する内容物の通過を阻止することができる。内容物通過手段１２３の回転変形は、通過作動部１２０が傾くかひっくり返されるまたは揺れる動作だけでなされ得る。内容物通過手段１２３の回転変形は、内容物通過手段１２３を内容物の自重によって押圧することによってなされ得る。
【０４３６】
内容物通過手段１２３の変形は移動部の運動による変形であり得る。
【０４３７】
内容物がハウジング１１０の内部に具備される面または通過手段に接触し、滑りながら移動して内容物通過手段１２３を通過することができる。
【０４３８】
内容物が内容物通過手段１２３を通過する時に内容物の通過を感知する感知部を含むことができる。感知部は、内容物が通過した数量、日時、曜日および時間のうち少なくとも一つを感知または測定する。
【０４３９】
感知部の内容物の測定は、電子センサーまたは機械の作動による測定であり得る。感知部は、内容物通過手段１２３の物理的動きを機械測定方式で測定することができる。感知部は、タッチセンサー、加速度センサー、角速度センサー、重力センサー、地磁気センサー、ジャイロセンサー、近接センサー、動作認識センサー、電子羅針盤、磁力計センサー、ジェスチャーセンサーのうち少なくとも一つのセンサー方式を含む。
【０４４０】
また、感知部が感知または測定したデータ、または内容物通過手段１２３の作動によって内容物が通過作動部１２０を通過したかの可否を、視覚、聴覚および触覚のうち少なくとも一つの使用者の感覚方法で認知可能であるように表示する表示部を含む。表示部は数字、文字、記号、点字、発光、点灯および色相のうち少なくとも一つで表示され得る。
【０４４１】
一方、感知部が、内容物が一定期間または時間に定められた量が内容物通過手段１２３を通過することを感知するか、内容物が定められた量を超過して内容物通過手段１２３を通過することを感知すると、内容物通過手段１２３の内容物移動の作動を制御する制御部を含む。
【０４４２】
内容物が内容物通過手段１２３を通過する時に内容物の通過を感知する感知部を含み、感知部を通じて感知された内容物の通過の有無または通過数量を判断し、判断された内容物の通過の有無または通過数量、または判断された通過の有無または通過数量と共に通過時点の日時、曜日、時間のうち少なくとも一つ以上のデータを表示部に表示することができる。表示部の表示はＬＣＤまたはＬＥＤを利用した数字、文字、記号、信号のうち少なくとも一つであり得る。
【０４４３】
感知部が感知または測定したデータを送信する通信部を含むことができる。感知部を通じて感知された内容物の通過の有無または通過数量を判断し、判断された内容物の通過の有無または通過数量、または判断された通過の有無または通過数量と共に通過時点の日時、曜日、時間のうち少なくとも一つ以上のデータを通信部を通じて近接または遠隔に送信することができる。
【０４４４】
そして、感知部が内容物通過手段１２３を通過した内容物を感知して、指定された量の内容物が通過したと判断すると、それ以上の内容物が通過装置を通過しないようにするロック装置を含むことができる。ロック装置は通過装置に具備され、内容物通過手段１２３の運動を阻止するか通過作動部１２０内での内容物の移動経路を遮断することになる。
【０４４５】
この時、内容物通過手段１２３の運動を防ぐことは、内容物通過手段の運動部位を接触抵抗してなされ、通過作動部１２０内での移動経路の遮断は、内容物の通過進入側と通過排出側に具備される通過通路部１３９で内容物を遮断するか抵抗してなされ得る。ロック装置は、患者の服用制限が必要な服用薬や、正常な人の摂取制限が必要な食品のように規制が必要な場合、指定された時間または状況の終了する前まで、ロック状態を維持することができる。
【０４４６】
また、内容物の表面または内容物の内部に数字、文字、記号のうち少なくとも一つを表示することによって、内容物通過手段１２３を通過した内容物または内容物通過手段１２３を通過していない内容物の表示を観察することができる。
【０４４７】
通過作動部１２０の傾きまたは揺れの際に内容物通過手段１２３は、内容物通過手段１２３の自重または内容物通過手段１２３と連結された通過作動部１２０の少なくとも一部位の自重によって、通過作動部１２０の垂直方向軸を中心に重力方向に回転し、重力方向に移動した内容物通過手段１２３が重力方向に内容物の通過空間を形成することができる。
【０４４８】
内容物通過手段１２３がハウジング１１０の軸を中心に回転する場合、内容物通過手段１２３の回転はハウジング１１０と内側面と接してなされるか、ハウジング１１０の軸部材に接してなされ得る。
【０４４９】
通過通路部１３９は、需要量を超過する内容物が通過通路部１３９に進入する場合、需要量を超過する需要量以外の内容物が通過通路部１３９を完全に通過できないように抵抗する形状を具備することができる。
【０４５０】
通過通路部１３９は、需要量を超過する内容物が通過通路部１３９に進入する場合、需要量を超過する内容物または需要量を含んだすべての内容物が通過通路部１３９を通過しないように抵抗する抵抗部材または抵抗形状を具備することによって、需要量を超過する内容物が内容物通過手段１２３を通過しないようにすることができる。通過通路部１３９に具備される抵抗部材または抵抗形状によって、通過通路部１３９に進入した内容物を接触または抵抗して需要量を超過した内容物の通過を防ぐことができる。
【０４５１】
開放部材１４２は回動可能に具備され得、内容物通過手段１２３は内容物通過手段１２３の変形によって開放部１２２を開閉することができる。
【０４５２】
内容物通過手段１２３によって通過される内容物は、固形物、粉末、液状内容物のうち少なくとも一つであり得る。固形物は、固形状態の薬品、食品、器具、工具、材料、食材、産業用資材、一般資材のうち少なくとも一つであり、粉末は、粉末状態の薬品、食品、器具、工具、材料、食材、産業用資材、一般資材のうち少なくとも一つであり得る。
【０４５３】
以下、本発明の第７実施例に係る通過装置を具備する内容物移動器具または収容器具１の作用効果を説明すると次のとおりである。
【０４５４】
内容物移動器具または収容器具１が立てられるか内容物５が通過しない初期状態で、開放部材１４２は自重によって一方向に回転したまま閉鎖支持部材１７０に支持される。この時、収容部材１２７ａは開放部１２２を開放していることになる。
【０４５５】
特に、底部１４６の軸方向に沿って略中間部位がブラケット１２２ａに運動可能に連結される。
【０４５６】
そして、内容物移動器具、収容器具１または通過作動部１２０が傾くか逆に立てられて内容物５を通過する状態の時、内容物５がガイド部材１９０と移動案内部１８０に沿って一つまたは設定量が収容部材１２７ａを通過後底部１４６に接することになる。
【０４５７】
この後、ストッパー１２９が移動案内部１８０やガイド部材１９０に接するまで、開放部材１４２が他方向に運動し、開放部１２２を開放することになる。
【０４５８】
この時、収容部材１２７ａが開放部１２２を塞ぐことによってそれ以上の内容物５が引き出されなくなる。
【０４５９】
説明されていない図面符号は前述したもので代替する。
【０４６０】
図３１は、本発明の第８実施例に係るバルブを具備する内容物移動器具の斜視図であり、図３２は、本発明の第８実施例に係るバルブを具備する内容物移動器具の分解斜視図であり、図３３および図３４は、本発明の第８実施例に係るバルブを具備する収容器具または内容物移動器具の使用状態を示した断面図である。
【０４６１】
図３１〜図３４のように、本発明の第８実施例に係るバルブ１００は、第７実施例におけるハウジング１１０の両側を開放することによって、パイプ状で実施可能となる。
【０４６２】
すなわち、バルブ１００は、ハウジング１１０により外形が形成され、通過作動部１２０は、ハウジング１１０の内部に具備されて内容物５の移動を制御する。
【０４６３】
そして、通過作動部１２０は、固定部材１２１と内容物通過手段１２３とガイド部材１９０を含み、内容物通過手段１２３は、内容物５のハウジング１１０内での移動を制御する役割をする。
【０４６４】
ここで、バルブ１００によって通過する内容物５は、固形物、粉末、液状内容物５のうちいずれか一つにすることができる。特に、バルブ１００によって通過する内容物５は、固形物を適用することができる。
【０４６５】
また、固定部材１２１と内容物通過手段１２３とガイド部材１９０は、前述したもので代替する。
【０４６６】
説明されていない図面符号は前述したもので代替する。
【０４６７】
図３５は、本発明の第９実施例に係る通過装置を具備する収容器具または内容物移動器具の斜視図であり、図３６は、本発明の第９実施例に係る通過装置を具備する収容器具または内容物移動器具の分解斜視図である。
【０４６８】
図３７は、本発明の第９実施例に係る通過装置の分解斜視図であり、図３８は、本発明の第９実施例に係る通過装置の底面分解斜視図である。
【０４６９】
図３９は、本発明の第９実施例に係る通過装置の断面図であり、図４０〜図４２は、本発明の第９実施例に係る通過装置を具備する収容器具または内容物移動器具の使用状態を示した断面図である。
【０４７０】
図３５〜図４２のように、本発明の第９実施例に係る通過装置１００を具備する内容物移動器具または収容器具１は、保管部１１３、ハウジング１１０および通過作動部１２０を含む。
【０４７１】
ハウジング１１０および保管部１１３は前述したもので代替する。
【０４７２】
通過作動部１２０は、固定部材１２１および内容物通過手段１２３を含む。通過作動部１２０は、ハウジング１１０の周面すなわち、通孔部１２１ａの内側面に形成され得る。
【０４７３】
固定部材１２１は、ハウジング１１０の通孔部１２１ａの内側面に具備される。そのため、固定部材１２１は、ハウジング１１０の内側、特に、通孔部１２１ａを区画する。そして、固定部材１２１は、通過作動部１２０がある開放部１２２を通孔する。この時、開放部１２２の個数および直径は限定されない。
【０４７４】
特に、固定部材１２１は、ハウジング１１０の内壁で構成されるか、内側に一体製作され得、ハウジング１１０に分離可能に結合され得る。また、固定部材１２１は多様な形状に変形可能である。
【０４７５】
また、内容物通過手段１２３は、開放部１２２側に具備されて自重または内容物の押圧力によって内容物を需要量ずつ通過させる役割をする。
【０４７６】
一方、内容物通過手段１２３は、開放部材１２４、運動部材１２５、運動固定部１２６および閉鎖部材１２７を含む。
【０４７７】
開放部材１２４は、開放部１２２の内側面または開放部１２２の縁に沿って複数個具備される。そして、保管部１１３が立てられた初期状態で、開放部材１２４は開放部１２２を閉鎖して内容物の任意的通過および外部から異物の流入を防止する役割をする。また、保管部１１３が横になった使用状態または反対に立てられた使用状態で、開放部材１２４は、自重または内容物の押圧力によって反り返って開放部１２２を開放することによって、内容物を通過させる。この時、内容物は開放部１２２が開放時に定量通過される。
【０４７８】
開放部材１２４は、自重または内容物の押圧力によって反り返って内容物の通過を許容できるように開放部１２２の縁に沿って単数または複数個に配置される。そして、開放部材１２４は多様な形状に変形可能である。便宜上、開放部材１２４は三角形状で図示する。もちろん、開放部材１２４の個数と材質は限定されない。
【０４７９】
そして、運動固定部１２５ａは、運動部材１２５または開放部材１２４に連結されて少なくとも一つ以上の開放部材１２４を運動可能に固定部材１２１に連結する役割をする。または運動固定部１２６が運動部材１２５と一体化しているそれぞれの開放部材１２４に連結され、開放部材１２４それぞれを運動可能に固定部材１２１に連結することができる。
【０４８０】
例として、固定部材１２１は、開放部１２２の縁に沿って上面に運動固定部１２５ａを具備する。ここで、「上面」は、保管部１１３を未使用状態に立てておいた時、上部に向かう固定部材１２１の表面である。
【０４８１】
そして、運動部材１２５は、開放部１２２を閉鎖している状態の開放部材１２４それぞれの上面に具備されたまま対応する運動固定部１２５ａに連結される。そのため、開放部材１２４は運動部材１２５に沿って移動する。もちろん、運動部材１２５と運動固定部１２５ａは多様な形状に変形可能であり、運動部材１２５の一部が突出した形状であり得る。また、運動部材１２５は、開放部材１２４に一体製作され得、開放部材１２４に分離可能に具備されてもよい。同じように、運動固定部１２５ａは固定部材１２１に分離可能に具備され得、固定部材１２１に一体製作されてもよい。
【０４８２】
また、閉鎖部材１２７は、開放部材１２４の一部に具備されるか開放部材１２４のそれぞれに具備され得る。そのため、閉鎖部材１２７は対応する開放部材１２４に連動して運動し得る。
【０４８３】
特に、開放部材１２４が開放部１２２を閉鎖している時、閉鎖部材１２７は開放部１２２を開放している状態となる。反対に、開放部材１２４が開放部１２２を開放している時、閉鎖部材１２７は開放部１２２を内容物が通過できないか部分的にのみ通過するように塞ぐ状態となる。
【０４８４】
閉鎖部材１２７が開放されて内容物が開放部材１２４側に流入した状態で、閉鎖部材１２７が開放部１２２を内容物が通過できないか部分的にのみ通過するように塞ぐと共に、開放部材１２４が開放されることによって、開放部材１２４側に流入した内容物が通過する。
【０４８５】
一対一に対応する開放部材１２４と閉鎖部材１２７は一体製作されることが好ましい。また、閉鎖部材１２７は、内容物が通過できないくらいにだけ開放部１２２の空間を閉鎖すればよいので、開放部材１２４の数量より少なく対応され得る。
【０４８６】
したがって、一定量（個数）の内容物が開放部材１２４を押圧すると、開放部材１２４は反りながら開放部１２２を開放する。これに連動して閉鎖部材１２７が開放部１２２を塞ぐことになる。これにより、内容物は定量ずつのみ開放部１２２を通じて通過される。
【０４８７】
開放部１２２を通じて通過された内容物は、カバー３０に収容されるか内容物移動器具または収容器具の外部に通過される。また、保管部１１３が未使用状態である立てておく方向に再び傾くと、開放部材１２４は、開放部材１２４と閉鎖部材１２７の自重による回動によって開放部１２２を閉鎖する。そのため、カバー３０に収容された内容物は保管部１１３の内部に投入されなくなる。
【０４８８】
一方、開放部材１２４と閉鎖部材１２７のそれぞれが、開放部１２２を開放した状態で固定部材１２１の表面に対して垂直または鋭角だけ立てられ得る。これは、開放部１２２を開放している状態で開放部材１２４と閉鎖部材１２７のそれぞれの閉鎖応答性を向上させるためである。
【０４８９】
例として、開放部材１２４の開放時、開放角度を制限するために、内容物通過手段１２３はストッパー１２９を具備することができる。ストッパー１２９は、突出した形態で、開放部材１２４に連結された運動部材１２５の運動角度を制限する役割をする。もちろん、ストッパー１２９は多様な形状に変形可能である。ストッパー１２９に対応して運動部材１２５の運動を止めるために、運動部材１２５の運動時に一定部位でストッパー１２９に抵抗するように、運動部材１２５の形態が異形で具備されるか運動部材１２５の一部が突出する運動部材突出部１２５ｂが具備され得る。
【０４９０】
また、少なくとも開放部材１２４を含む通過運動部１４０または平衡部１２３ｂの重さの大きさまたは重心が調節されて具備され得る。このような調節を通じて、内容物移動器具、収容器具または通過作動部１２０が傾いて開放部材１２４の自重によって回転がなされようとする場合、閉鎖部材１２７、運動制御部材１２３ａと運動部材１２５のうち少なくとも一つの重さまたは重心によって開放部材１２４の回転が抑止され、内容物の需要量が通過する前に、開放部材１２４と連動する閉鎖部材１２７が先に回転されず、内容物の需要量が通過する前に内容物の開放部１２２の通過を防がなくなる。
【０４９１】
また、閉鎖部材１２７の開放時、開放角度を制限するために、閉鎖部材１２７は、開放部１２２の開放状態で固定部材１２１に接する支持部材１２８を具備する。支持部材１２８は、閉鎖部材１２７が一定の角度以上反り返らないようにする役割をする。そして、開放部材１２４と閉鎖部材１２７が一体製作されるため、支持部材１２８は開放部材１２４が閉鎖状態を維持するようにする役割もする。もちろん、支持部材１２８は多様な形状に変形可能である。
【０４９２】
一方、移動案内部１３０は、保管部１１３を傾けた時、保管部１１３の内部の内容物が傾斜軌跡に沿って立てられている閉鎖部材１２７の内側に集中移動するように案内する役割をする。
【０４９３】
そのため、移動案内部１３０はハウジング１１０の内部に具備され、ガイドホール１３２を通孔する。この時、移動案内部１３０は開放部１２２と一致するようにガイドホール１３２を通孔する。また、移動案内部１３０はガイドホール１３２の縁に沿って傾斜面１３４を形成する。特に、傾斜面１３４はガイドホール１３２の縁に沿って移動案内部１３０に形成される。傾斜面１３４は平面または曲面に形成される。
【０４９４】
傾斜面１３４は、保管部１１３を傾けた時、内容物が内容物通過手段１２３の方向に移動するように案内する役割をする。
【０４９５】
もちろん、移動案内部１３０は、固定部材１２１と一つの構成で一体化され得、ハウジング１１０に一体製作することもでき、ハウジング１１０に分離可能に差し込まれ得る。
【０４９６】
以下、本発明の第９実施例に係る通過装置１００を具備する内容物移動器具または収容器具１の作用効果を説明すると次のとおりである。
【０４９７】
図４０のように、使用者が保管部１１３を傾けるか、反対に立てるなどの使用状態にすると、保管部１１３の内部の内容物はハウジング１１０の移動案内部１３０の傾斜面１３４に沿ってガイドホール１３２を通過して開放部材１２４に接することになる。
【０４９８】
この時、開放部材１２４は、固定部材１２１の開放部１２２を塞いでおり、閉鎖部材１２７は開放部１２２を開放している状態である。
【０４９９】
内容物は定量が開放部材１２４側に移動することになる。
【０５００】
説明されていない図面符号は前述したもので代替する。
【０５０１】
図４１のように、一定量の内容物が開放部材１２４を押圧すると、開放部材１２４は開放部１２２を開放するように反り返られ、通過空間１１２ｃが確保される。
【０５０２】
この時、運動部材突出部１２５ｂが固定部材１２１に接するまで、運動部材１２５が一方向に回転され、開放部材１２４は開放部１２２を開放することになる。
【０５０３】
特に、閉鎖部材１２７が開放されて内容物を受け取った状態で、開放部材１２４が開放部１２２を開放することに連動して、閉鎖部材１２７が内容物が通過できないか部分的にのみ通過するように閉鎖される。そのため、それ以上の内容物が開放部１２２を通じて通過することが阻止される。
【０５０４】
図４２のように、開放部材１２４に連動して開放部１２２を開放していた閉鎖部材１２７が、内容物が通過できないか部分的にのみ通過するように開放部１２２を閉鎖することになる。
【０５０５】
したがって、内容物がそれ以上開放部１２２に流入しなくなる。そして、開放部１２２を通過した内容物は、内容物移動器具または収容器具の外部に通過されるかカバー３０側に収容されるため、使用者が内容物を観察することができるか、使用者がカバー３０を開いて内容物を取り出すことができる。
【０５０６】
この後、使用者が保管部１１３を初期状態に立てると、開放部１２２を塞いでいる閉鎖部材１２７が自重によって初期状態に復帰する。この時、開放部材１２４は、復元部材３０４の弾性復元によって運動部材１２５とともに他方向に回転して初期位置に復帰する。特に、開放部材１２４がサポートブロック３０２に接するまで、運動部材１２５は他方向に回転する。
【０５０７】
もちろん、第５実施例に説明された運動制御部材１２３ａを利用した重心調節を通じて、開放部材１２４または閉鎖部材１２７の自重による初期状態の復帰位置を異ならせることも可能である。
【０５０８】
説明されていない図面符号は前述したもので代替する。
【０５０９】
図４３は、本発明の第１０実施例に係る通過装置を具備する収容器具または内容物移動器具の斜視図であり、図４４は、本発明の第１０実施例に係る通過装置を具備する収容器具または内容物移動器具の分解斜視図であり、図４５および図４６は、本発明の第１０実施例に係る通過装置を具備する収容器具または内容物移動器具の使用状態を示した断面図である。
【０５１０】
図４３〜図４６のように、本発明の第１０実施例に係る通過装置１００を具備する内容物移動器具または収容器具１は、保管部１１３、ハウジング１１０および通過作動部１２０を含む。
【０５１１】
保管部１１３は内容物を入れて保管する役割をする。そして、保管部１１３は、内容物を入れるか通過できるように一側に開放される。もちろん、保管部１１３は多様な形状および多様な材質で適用可能である。
【０５１２】
そして、ハウジング１１０は内容物を入れた保管部１１３の通過側に具備される。すなわち、ハウジング１１０の下側は保管部１１３に連結される。この時、内容物は固形物、粉末または液状などにする。
【０５１３】
特に、ハウジング１１０は、保管部１１３の内容物通過側に分離可能に結合され得るかまたは保管部１１３に一体具備され得る。便宜上、ハウジング１１０は、保管部１１３に分離可能に結合されるものと図示する。この時、ハウジング１１０はねじ結合などの多様な方式によって保管部１１３に分離可能に結合され得る。もちろん、ハウジング１１０は外形を多様に形成することができ、多様な材質で適用可能である。
【０５１４】
また、ハウジング１１０は両側に開放される通孔部１２１ａを形成する。
【０５１５】
そして、通過作動部１２０はハウジング１１０の内部に具備され、保管部１１３に入っている内容物を定量や需要量の移動を誘導する役割をする。ここで、「定量」とは、同一の個数や量、および誤差範囲内で互いに異なって移動する量や個数を意味する。「需要量」は、使用者が必要とする量（個数）であって、「定量」の範疇に含まれるものとする。
【０５１６】
また、ハウジング１１０は上側にカバー３０を具備する。カバー３０は通過作動部１２０を通じて移動する内容物を受け取る。カバー３０はハウジング１１０に分離可能に結合される。
【０５１７】
ハウジング１１０が内容物移動器具または収容器具本体の保管部１１３を開閉可能にする開閉器具のハウジングである場合、内容物通過側に分離可能に開閉され得る。
【０５１８】
開閉器具１１０は、内部の内側に内容物移動器具または収容器具本体の保管部１１３と別途の内容物保管部である待機収納部１１５を有するように形成され得、カバー３０は開閉器具１１０の上端に締結されて仕上げられる開閉器具キャップ３０として機能する。内容物通過手段１２３が具備される通過作動部１２０は、開閉器具１１０の内部に設置されるか、保管部１１３の内部に設置され得る。
【０５１９】
もちろん、ハウジング１１０は開閉器具ではなく、内容物移動器具または収容器具本体と一体構成されるか内容物移動器具または収容器具本体と分離される内容物移動器具または収容器具１の構成要素であり得る。
【０５２０】
また、通過作動部１２０は、固定部材１２１および内容物通過手段１２３を含む。
【０５２１】
固定部材１２１は、ハウジング１１０の通孔部１２１ａの内側面に具備される。そのため、固定部材１２１は、ハウジング１１０の内側、特に、通孔部１２１ａを区画する。すなわち、ハウジング１１０の通孔部１２１ａは、固定部材１２１により分けられる。言い換えれば、通孔部１２１ａは、内容物が貯蔵される保管部１１３と、保管部１１３で定量通過された後に引き出し待機する待機収納部１１５に分けられる。保管部１１３は保管部１１３の内側に開放され、待機収納部１１５はカバー３０に向かう方向に開放される。
【０５２２】
この時、固定部材１２１は通孔部１２１ａの内側に具備されるが、形成位置は限定されない。
【０５２３】
そして、固定部材１２１は開放部１２２を通孔する。開放部１２２は、ハウジング１１０の待機収納部１１５と保管部１１３を連結して内容物が引き出されるようにする役割をする。この時、開放部１２２の個数および直径は限定されない。すなわち、通過作動部１２０は保管部１１３に該当する、内容物が通過作動部１２０を通過する以前の空間である通過以前部１１３と通じる開放部１２２を形成する。
【０５２４】
特に、開放部１２２は平面視円形や多角形など、多様に形成され得るが、便宜上、四角形で図示する。
【０５２５】
また、固定部材１２１はハウジング１１０と一体構成されるか、内側に一体製作され得、ハウジング１１０に分離可能に結合され得る。また、固定部材１２１は多様な形状に変形可能である。
【０５２６】
ハウジング１１０から付属または突出する別途の固定部材１２１がない場合、ハウジング１１０の内壁は固定部材１２１を形成し、ハウジング１１０の内側の通孔部１２１ａは開放部１２２を通孔する。
【０５２７】
内容物通過手段１２３は、開放部１２２を通じて需要量の内容物を通過案内する役割をする。すなわち、内容物通過手段１２３は、開放部１２２に接して需要量または定量の内容物を通過させる役割をする。
【０５２８】
一方、内容物通過手段１２３は、開放部材１２４、運動部材１２５、運動固定部１２５ａ、閉鎖部材１２７およびガイド板部材１０２を含む。
【０５２９】
運動部材１２５は、開放部材１２４と運動固定部１２５ａを運動可能に連結する。この時、運動部材１２５は、固定部材１２１に運動可能に結束され、開放部材１２４に結合されて開放部材１２４が共に運動するように支持する。運動部材１２５は多様な形状が可能であり、一部が突出した形状であり得る。
【０５３０】
また、運動部材１２５は開放部材１２４に一体構成され得、開放部材１２４に分離可能に具備されてもよい。
【０５３１】
運動固定部１２５ａは固定部材１２１に具備される。特に、運動固定部１２５ａは開放部１２２側で固定部材１２１に具備される。
【０５３２】
そして、運動固定部１２５ａは、運動部材１２５または開放部材１２４を運動可能に連結する。そのため、開放部材１２４が自重や内容物の加圧によって開放部１２２を開閉する動作に連動して運動部材１２５が運動する。運動部材１２５は多様な形状で適用可能であるが、便宜上、円筒状で図示する。
【０５３３】
特に、開放部材１２４は、開放部１２２を開放する役割をするが、単数または複数個で具備することができる。本実施例で、開放部材１２４は、開放部１２２の向き合う内部の両側を基準に互いに運動して開放部１２２の中央部位を開放する。言い換えれば、開放部１２２は、開放部材１２４の固定されていない自由端１２４ａが内容物の重さによる押圧、加圧（ｐｕｓｈ）、接触、ハウジング１１０の揺れ、開放部材１２４の自重のうち少なくともいずれか一つによって運動し、開放されて通過空間１１２ｃが形成される。
【０５３４】
また、開放部材１２４と運動部材１２５がそれぞれ一対ずつ具備される場合、開放部材１２４の開放時、開放部１２２の縁に沿って運動部材１２５が具備されない部位である側面空間を通じて内容物が集中的に偏るか、進入した内容物が離脱する現象が発生され得る。
【０５３５】
したがって、運動部材１２５が具備されない開放部１２２の進入側には側板部材１０４が具備される。側板部材１０４は、開放部１２２の縁に沿って運動部材１２５の間の部位で内容物が開放部材１２４側に集中されるか、進入後離脱することを防止する役割をする。すなわち、側板部材１０４は、内容物が閉鎖部材１２７に沿って開放部材１２４に需要量流入し、離脱しないように案内する役割をする。
【０５３６】
この時、側板部材１０４は、開放部１２２の進入側面で固定部材１２１に一体製作され得、固定部材１２１に分離可能に設置されてもよい。もちろん、側板部材１０４は多様な形状および多様な材質で適用可能である。また、側板部材１０４の個数および大きさは限定されない。便宜上、側板部材１０４は向き合う一対に具備されるものとする。
【０５３７】
特に、運動固定部１２５ａは、開放部１２２側で固定部材１２１に一体製作され得、固定部材１２１に分離可能に設置されてもよい。もちろん、側板部材１０４は多様な形状および多様な材質で適用可能である。また、側板部材１０４の個数および大きさは限定されない。便宜上、側板部材１０４は向き合う一対に具備されるものとする。
【０５３８】
運動部材１２５は、固定部材１２１または側板部材１０４に運動可能に連結される。便宜上、運動部材１２５は側板部材１０４に回転可能に連結されるものとする。この時、向き合う側板部材１０４のうちいずれか一つの側板部材１０４には一対の運動固定部１２５ａが具備される。そして、各運動固定部１２５ａは対応する運動部材１２５を運動可能に軸挿入することができる。また、運動固定部１２５ａそれぞれの他側は他の一つの側板部材１０４に据え置きされる。そのため、運動部材１２５と開放部材１２４が共に、または開放部材１２４が単独で運動固定部１２５ａを基準に運動することになる。これによって、開放部材１２４は開放部１２２を開放するか閉鎖する。
【０５３９】
または運動固定部１２５ａが運動部材１２５に具備されて側板部材１０４に軸挿入することも可能である。
【０５４０】
一方、内容物移動器具または収容器具１が立てられるか内容物が通過しない初期状態で、開放部材１２４は開放部１２２を防いでいる状態を維持しなければならない。すなわち、一対の開放部材１２４が同一平面上に位置する状態を維持しなければならない。そのため、開放部材１２４の運動を中止させるために開放部材１２４を下側で支持するサポートブロック３０２が形成される。サポートブロック３０２は、開放部材１２４を支持することによって、開放部材１２４が初期状態で下側に任意的に運動することを防止する役割をする。この時、サポートブロック３０２は側板部材１０４に突出形成されるものとする。
【０５４１】
また、内容物移動器具、収容器具１または通過作動部１２０が傾くか逆に立てられて内容物が通過する状態の時、開放部材１２４が反り返って開放部１２２を開放することになる。この時、開放部材１２４が過度に反り返られると、内容物移動器具または収容器具１が初期状態に立てられる場合、開放部材１２４は初期状態に復帰しないか復帰応答性が低下する。そのため、開放部材１２４のそれぞれは開放部１２２の開放のために反り返られる角度が制限されなければならない。すなわち、開放部材１２４を通じて開放部１２２の開放のための運動部材１２５の回転量が制限されなければならない。
【０５４２】
一方、閉鎖部材１２７は開放部材１２４に連動するように具備される。そのため、閉鎖部材１２７は対応する開放部材１２４に連動して運動する。
【０５４３】
すなわち、閉鎖部材１２７は運動部材１２５の周面に具備される。そして、開放部材１２４が開放部１２２を内容物が通過できないか部分的にのみ通過するように塞いでいる時、閉鎖部材１２７は、内容物が開放部材１２４側に流入するように開放された状態を維持する。反対に、開放部材１２４が開放部１２２を開放する時、閉鎖部材１２７は内容物がそれ以上開放部１２２を完全に通過することを阻止するために、開放部１２２を内容物が通過できないか部分的にのみ通過するように防止する役割をする。もちろん、閉鎖部材１２７は運動部材１２５に一体製作され得、大きさおよび形状を多様に適用することができる。
【０５４４】
また、運動部材１２５のそれぞれはガイド板部材１０２を具備することができる。ガイド板部材１０２は各運動部材１２５の周面に沿って開放部材１２４と閉鎖部材１２７の間に位置する。そして、ガイド板部材１０２の長さは、開放部材１２４の長さより短く形成される。そのため、ガイド板部材１０２は開放部材１２４が開放部１２２を塞いでいる状態で、保管部１１３または通過作動部１２０の傾きによって内容物が押圧されるかぶつかる力によって回転することによって、開放部材１２４の開放応答性が向上する。そして、内容物は向き合うガイド板部材１０２の間に少量が開放部材１２４に移動することによって、内容物は定量通過することができるようになる。
【０５４５】
一方、保管部１１３またはハウジング１１０の内側には移動案内部１３０が具備される。便宜上、移動案内部１３０は板状であって、ハウジング１１０の内側に具備されるものとする。そして、移動案内部１３０は開放部１２２に対応するガイドホール１３２を通孔する。特に、移動案内部１３０は、内容物通過のために保管部１１３または通過作動部１２０を傾けた時、保管部１１３の内部の内容物が、傾斜軌跡に沿って立てられている閉鎖部材１２７の間の内側に集中移動するように案内する役割をする。
【０５４６】
この時、移動案内部１３０は縁に沿って枠部材１３６を延長形成する。枠部材１３６は保管部１１３の上側の周面を挿入する。すなわち、枠部材１３６は保管部１１３の上側の周面に組み立てられる。もちろん、枠部材１３６は保管部１１３にねじ結合されてもよい。したがって、枠部材１３６は、保管部１１３に分離可能に結合されることによって、保管部１１３は枠部材１３６を除去した後、内容物補充作業を容易にすることができる。そして、ハウジング１１０は下側が枠部材１３６の外側の周面に接するように嵌合される。そのため、移動案内部１３０はハウジング１１０の内側に位置することになる。
【０５４７】
また、移動案内部１３０は、保管部１１３に貯蔵された内容物がガイドホール１３２に集中されるように傾斜面１３４を形成する。そして、移動案内部１３０は、閉鎖部材１２７の回転に干渉しないように閉鎖部材１２７と所定距離離隔して配置される。また、開放部１２２を閉鎖部材１２７が塞いでいない状態ではガイドホール１３２を通過した内容物が開放部１２２に通過され、開放部１２２を閉鎖部材１２７が回転して内容物が通過できないか部分的にのみ通過するように塞いだ状態では内容物がガイドホール１３２を通過しないように、移動案内部１３０は閉鎖部材１２７に近接して配置される。すなわち、移動案内部１３０は立てられた状態の閉鎖部材１２７および側板部材１０４に近接して位置することによって、内容物が開放部１２２を通じて通過せずに移動案内部１３０と固定部材１２１の間に離脱することを防止する。
【０５４８】
ハウジング１１０は、固定部材１２１の開放部１２２を通じて通過される内容物が内容物移動器具または収容器具の外部に通過されることを防止するために、カバー３０を具備する。使用者は、カバー３０によって待機収納部１１５の空間に移動した内容物をカバー３０開放後に取り出す。カバー３０は多様な方式によってハウジング１１０に開閉可能に形成され、ハウジング１１０にヒンジ連結されて開閉されるかハウジング１１０から完全に分離されて開閉され得る。もちろん、カバー３０は多様な形状で適用可能である。
【０５４９】
また、ハウジング１１０は、開放された一側がカバー３０の開閉によって実質的に密閉されるか、カバー３０なしに受け取り部１８１だけが具備されて密閉しない状態に形成され得る。カバー３０はハウジング１１０の開放された一側を開閉可能に具備され、多様に形成され得る。
【０５５０】
そして、通過作動部１２０は、上述した通り、固定部材１２１および内容物通過手段１２３を含む。
【０５５１】
特に、通過作動部１２０は、運動による開放で内容物を保管部１１３の外側に通過誘導する内容物通過手段１２３を含む。
【０５５２】
通過装置１００は、内容物通過手段１２３とは別途に受け取り部１８１を含む。受け取り部１８１は、内容物通過手段１２３を通過した内容物が必要な需要量を超過して待機収納部１１５に流入することを阻止し、その結果残留する内容物が使用者が必要とする需要量となるようにする役割をする。
【０５５３】
ハウジング１１０が内容物移動器具または収容器具本体の開閉器具１１０のハウジングである場合、保管部１１３の内容物通過側に分離可能に結合され、内容物移動器具または収容器具本体の保管部１１３を開閉することができる。
【０５５４】
開閉器具１１０は、内部の内側に内容物を収納する待機収納部１１５を有するように形成され、内容物移動器具または収容器具１の貯蔵された内容物を分けて収納することによって使用者が内容物を使用できるように形成される。
【０５５５】
カバー３０は、開閉器具１１０の上端に締結されて仕上げられる開閉器具キャップ３０として機能する。内容物通過手段１２３が具備される通過作動部１２０は開閉器具１１０の内部に設置されるか、保管部１１３の内部に設置され得る。
【０５５６】
もちろん、ハウジングは開閉器具の機能なしに、内容物移動器具または収容器具本体と一体構成されるか内容物移動器具または収容器具本体と分離される内容物移動器具または収容器具１の構成要素であり得る。
【０５５７】
受け取り部１８１は、抵抗上板部材１８２、抵抗側板部材１８３を含み、下記の第１５実施例に説明される区画部材１８４、遮断部材１８５、流入部材１８６、待機段１８７および待機部１８８を含むことができる。
【０５５８】
内容物は、受け取り部１８１に具備される抵抗上板部材１８２と抵抗側板部材１８３のうちいずれか一つ以上に接触され、開放部１２２を通過した内容物の残留量を制限する。
【０５５９】
抵抗上板部材１８２は、ハウジング１１０に具備され得、抵抗側板部材１８３は、ハウジング１１０、抵抗上板部材１８２、固定部材１２１やカバー３０に具備され得る。
【０５６０】
特に、抵抗側板部材１８３は、内容物通過方向に向かう固定部材１２１の表面に形成され得るが、開放されるカバー３０が具備される場合、カバー３０を開放する時に一緒に移動して内容物の把持時に干渉しないようにカバー３０に形成されるものとする。
【０５６１】
もちろん、抵抗上板部材１８２と抵抗側板部材１８３は内容物の通過方向と通過側面方向に多様な形状に変形可能である。
【０５６２】
また、内容物通過手段１２３は、上述した通り、開放部材１２４、運動部材１２５、運動固定部１２５ａ、閉鎖部材１２７およびガイド板部材１０２を含む。
【０５６３】
また、保管部１１３またはハウジング１１０の内側には移動案内部１３０が具備される。便宜上、移動案内部１３０は板状であって、ハウジング１１０の内側に具備されるものとする。そして、移動案内部１３０は、保管部１１３に貯蔵された内容物がガイドホール１３２に集中されるように傾斜面１３４を形成する。移動案内部１３０は、閉鎖部材１２７の回転に干渉しないように閉鎖部材１２７と所定距離離隔して配置される。また、開放部１２２を閉鎖部材１２７が塞いでいない状態ではガイドホール１３２を通過した内容物が開放部１２２に通過され、開放部１２２を閉鎖部材１２７が回転して内容物が通過できないか部分的にのみ通過するように塞いだ状態では内容物がガイドホール１３２を通過しないように、移動案内部１３０は閉鎖部材１２７に近接して配置される。すなわち、移動案内部１３０は立てられた状態の閉鎖部材１２７および側板部材１０４に近接して位置して、内容物が開放部１２２を通じて通過されずに移動案内部１３０と固定部材１２１の間に離脱することを防止する。
【０５６４】
一方、内容物移動器具または収容器具１が立てられるか内容物が通過しない初期状態で、開放部材１２４は開放部１２２を塞いでいる状態を維持しなければならない。すなわち、一対の開放部材１２４が同一平面上に位置する状態を維持しなければならない。そのため、側板部材１０４または開放部１２２の内側面には、開放部材１２４を下側で支持するためにサポートブロック３０２が形成される。サポートブロック３０２は、開放部材１２４のそれぞれを支持することによって、開放部材１２４が初期状態で下側に任意的に運動することを防止する役割をする。この時、サポートブロック３０２は側板部材１０４に突出形成されるものとする。
【０５６５】
また、内容物移動器具、収容器具１または通過作動部１２０が傾くか逆に立てられて内容物が通過する状態の時、開放部材１２４が反り返って開放部１２２を開放することになる。この時、開放部材１２４が過度に反り返られると、内容物移動器具または収容器具１が初期状態に立てられる場合、開放部材１２４は初期状態に復帰しないか復帰応答性が低下する。そのため、開放部材１２４のそれぞれは開放部１２２の開放のために反り返られる角度が制限されなければならない。すなわち、開放部材１２４が固定部材１２１に対して鋭角範囲内で運動して反り返られるように、開放部１２２の大きさが調節される。言い換えれば、開放部材１２４は、サポートブロック３０２で開放部１２２の開放のために鋭角だけ運動後開放部１２２の縁に該当する固定部材１２１に接して停止する。
【０５６６】
これにより、保管部１１３が初期状態に立てられると、開放部１２２を塞いでいる閉鎖部材１２７が自重によって初期状態に復帰する応答性が向上する。特に、開放部材１２４がサポートブロック３０２に接するまで、運動部材１２５は回転する。
【０５６７】
特に、保管部１１３がひっくり返されるか傾く場合、内容物は固定部材１２１の通過空間１１２ｃを通過後、待機収納部１１５に移動（流入）される。この時、待機収納部１１５の内側空間は通過空間１１２ｃよりも広いので、内容物が待機収納部１１５側に多く流入され得る。このような現象を防止するために、待機収納部１１５は通過空間１１２ｃに対応するように受け取り部１８１を具備する。
【０５６８】
受け取り部１８１は、通過空間１１２ｃ側に開放されるように形成され、通過空間１１２ｃを通過する内容物が集中的に流入される。これにより、内容物は受け取り部１８１の狭くなった内部空間によって内容物の過多流入が防止される。もちろん、受け取り部１８１は多様な形状に変形可能である。
【０５６９】
以下、本発明の第１０実施例に係る通過装置を具備する内容物移動器具または収容器具の作用効果を説明すると次のとおりである。
【０５７０】
使用者が保管部１１３を傾けるか、反対に立てるなどの使用状態にすると、保管部１１３の内部の内容物は、ハウジング１１０の移動案内部１３０の傾斜面１３４に沿ってガイドホール１３２を通過してガイド板部材１０２と開放部材１２４に接することになる。
【０５７１】
この時、開放部材１２４は、固定部材１２１の開放部１２２を塞いでおり、閉鎖部材１２７は、開放部１２２を開放している状態であり、ガイド板部材１０２が開放部材１２４と閉鎖部材１２７の間に位置する。
【０５７２】
内容物は、端部が所定距離離隔されたガイド板部材１０２にぶつかるか加圧されながらガイド板部材１０２の間を通じて一定量（一定個数）のみが開放部材１２４側に移動することになる。特に、内容物がガイド板部材１０２を先に押圧するので、開放部材１２４は開放応答性が向上する。
【０５７３】
一定量の内容物がガイド板部材１０２および開放部材１２４を押圧すると、開放部材１２４が反り返って開放部１２２が開放される。
【０５７４】
この時、復元部材３０４が固定部材１２１に弾性的に抵抗しながら運動部材１２５が一方向に回転され、開放部材１２４は開放部１２２を開放することになる。
【０５７５】
特に、閉鎖部材１２７が開放されて内容物を受け取った状態で、閉鎖部材１２７が、内容物が通過できないか部分的にのみ通過するように閉鎖することに連動して開放部材１２４が開放部１２２を開放する。そのため、それ以上の内容物が開放部１２２を通じて通過することが防止される。
【０５７６】
使用者が保管部１１３を初期状態に立てると、開放部１２２を防いでいる閉鎖部材１２７が自重によって初期状態に復帰する。または使用者が保管部１１３を立てない場合にも、開放部材１２４は、復元部材３０４の弾性復元によって運動部材１２５とともに他方向に回転して初期位置に復帰する。特に、開放部材１２４がサポートブロック３０２に接するまで、運動部材１２５は他方向に回転する。もちろん、復元部材３０４の弾性復元が作動する構成と形状は多様に適用され得る。
【０５７７】
もちろん、第５実施例に説明される運動制御部材１２３ａを利用した重心調節を通じて、開放部材１２４または閉鎖部材１２７の自重による初期状態の復帰位置を異ならせることも可能である。
【０５７８】
使用者は、内容物移動器具または収容器具を通過した内容物を受け取ったり、内容物移動器具または収容器具を通過した内容物を観察したり、カバー３０を開いて内容物を取り出すことができる。
【０５７９】
説明されていない図面符号は前述したもので代替する。
【０５８０】
図４７は、本発明の第１１実施例に係る通過装置を具備する収容器具または内容物移動器具の斜視図であり、図４８は、本発明の第１１実施例に係る通過装置を具備する収容器具または内容物移動器具の分解斜視図であり、図４９は、本発明の第１１実施例に係る通過装置を具備する収容器具または内容物移動器具の使用状態を示した断面図である。
【０５８１】
図４７〜図４９のように、本発明の第１１実施例に係る通過装置を具備する内容物移動器具または収容器具１は、ハウジング１１０、通過作動部１２０および本体１１３を含む。
【０５８２】
もちろん、ハウジングは、内容物移動器具または収容器具本体と一体構成されるか、内容物移動器具または収容器具本体と分離される内容物移動器具または収容器具１の構成要素であり得る。
【０５８３】
本実施例で、ハウジング１１０は、通過装置１００の構成要素であって、通過装置１００は、通過作動部１２０と、器具本体１１３から分離可能なハウジング１１０で構成される。
【０５８４】
ここで、通過作動部１２０は、固定部材１２１、内容物通過手段１２３、移動案内部１８０およびガイド部材１９０を含む。
【０５８５】
固定部材１２１は、ハウジング１１０の内側に具備される。この時、ハウジング１１０の内部で固定部材１２１の形成位置は限定されない。
【０５８６】
また、ハウジング１１０は、両側が開放される筒状に形成され、コネクター３００に結合され得、内容物５を入れて保管する保管部１１３に結合される。
【０５８７】
特に、通過作動部１２０はコネクター３００に結合されて固定される。もちろん、通過作動部１２０は多様な方式でコネクター３００に結合され得る。
【０５８８】
この時、通過作動部１２０を具備したコネクター３００は、多様な保管部１１３に互換性を有するように具備されることによって、使用者はコネクター３００だけまたはコネクター３００とハウジング１１０を交換することによって通過装置１００の使用性を高めることができる。
【０５８９】
もちろん、ハウジング１００はコネクター３００と一体で直接保管部１１３に結合され得る。
【０５９０】
そして、固定部材１２１は開放部１２２を通孔する。開放部１２２は、ハウジング１１０の受け取り部１１５と保管部１１３を連結して内容物５が引き出されるようにする役割をする。
【０５９１】
また、内容物通過手段１２３は、一つずつ（一粒ずつ）または設定量の内容物５を受け取り部１１５側に移動させる役割をするものであって、開放部１２２の内側と移動案内部１８０に具備される。
【０５９２】
また、移動案内部１８０は、ハウジング１１０または通過作動部１２０が傾く場合、内容物５を移動案内する役割をする。
【０５９３】
この時、移動案内部１８０は、傾いた状態で内容物５の自重または慣性によって移動案内部１８０の面に沿って内容物５の移動を案内する役割をする。移動案内部１８０は、ハウジング１１０の内側面に接して固定され得るが、開放部１２２に対応するように固定部材１２１から延長形成されるものとする。
【０５９４】
特に、移動案内部１８０は、ハウジング１１０の内側面そのものであり得、またはハウジング１１０の内側に具備される別途の案内部材であり得る。
【０５９５】
もちろん、移動案内部１８０は、多様な形状に変形可能である。
【０５９６】
また、ガイド部材１９０は、保管部１１３に保管された内容物５が開放部１２２側に集中移動するように移動案内部１８０に延長形成される。この時、ガイド部材１９０は多様な形状で適用可能である。
【０５９７】
一方、内容物通過手段１２３は通過運動部１４０を含む。
【０５９８】
通過運動部１４０は、開放部１２２の内側面に該当する固定部材１２１に運動可能に連結され、開放部１２２を開放して内容物５の引き出しを許容し、開放部１２２を防いで内容物５の引き出しを遮断する役割をする。
【０５９９】
特に、通過運動部１４０は、ハウジング１１０または通過作動部１２０が傾くか、自らの荷重、内容物５の自重、内容物５の押圧する力および慣性のうち少なくとも一つによって運動することになる。すなわち、ハウジング１１０または通過作動部１２０が傾くか反対に立てられる場合、通過運動部１４０は、自らの荷重および引き出されようとする内容物５の押圧する力によって運動して開放部１２２を開放することになる。
【０６００】
また、通過運動部１４０は、開放部材１４２、収容部材１２７ａ、底部１４６、運動制御部材１２３ａ、運動加重制御部材１２３ｃおよびストッパー１２９のうち少なくとも一つを含む。
【０６０１】
特に、開放部材１４２は、開放部１２２を開放する役割をするが、単数または複数個で具備することができる。
【０６０２】
開放部材１４２は、自重および内容物５の押圧する力の有無によって開放部１２２を開放するか閉鎖する役割をする。言い換えれば、開放部材１４２は通過する内容物５と同じ方向に運動し、内容物５の通過を許容する役割をする。
【０６０３】
そして、収容部材１２７ａは、開放部材１４２から延長されて開放部材１４２と同一方向に運動し、開放部材１４２と連動して定量の内容物５を収容する役割をする。もちろん、収容部材１２７ａは多様な形状に変形可能である。
【０６０４】
ハウジング１１０または通過作動部１２０が傾く場合、開放部材１４２と収容部材１２７ａが一方向に運動することに連動して、保管部１１３の内容物５が収容部材１２７ａを通過することになる。
【０６０５】
そして、収容部材１２７ａがさらに運動して後続の内容物５が流入することを遮断し、先行する内容物５は開放部材１４２を通過するか、または開放部材１４２上に位置した内容物５は取り出すことができるようになる。
【０６０６】
反対に、ハウジング１１０が初期状態に立てられる場合、開放部材１４２と収容部材１２７ａが他方向に運動し、開放部材１４２は開放部１２２を塞ぐ。
【０６０７】
また、底部１４６は、収容部材１２７ａを通過する内容物５を収容するために開放部材１４２と収容部材１２７ａの間に形成されるものであって、通過運動部１４０内の内容物５の下部を支持する役割をする。これにより、底部１４６は、収容部材１２７ａと開放部材１４２を連結し、平板状に形成され得る。
【０６０８】
特に、底部１４６は、長方向の長さを有する内容物５を収容できる長さで構成される。
【０６０９】
また、ストッパー１２９は、開放部材１４２の回転角度を制限する役割をするものであって、通過運動部１４０の回転中心部位から伸長されて移動案内部１８０またはガイド部材１９０またはハウジング１１０の内側面に係止されることによって、開放部材１４２が開放部１２２を完全に開放した後は、それ以上運動しないようにする。
【０６１０】
もちろん、ストッパー１２９は多様な形状に変形可能である。
【０６１１】
通過装置は、内容物を移動案内するための通過作動部１２０を含み、通過作動部１２０は、内容物が移動するようにする内容物通過手段１２３を含む。内容物通過手段１２３は、運動によって内容物の通過空間を形成する通過運動部１４０を含む。
【０６１２】
通過運動部１４０は、通過する内容物と同じ方向に運動し、内容物の通過を許容する開放部材１４２を含む。開放部材１４２は、自重または内容物の押圧力によって開放されるように運動し、前記通過運動部の開放により形成される通過空間を通じて内容物を通過誘導することができる。通過作動部１２０が傾いて開放部材１４２の自重によって回転がなされようとする場合、開放部材１４２、閉鎖部材１２７および運動部材１２５のうち少なくとも二以上の、重さと重心の位置によって開放部材１４２の回転が抑止され、内容物の需要量が通過する前に内容物の通過を妨げず、内容物の通過とともに開放部材１４２が回転するようにすることができる。この時、通過運動部１４０は、内容物移動器具または収容器具１が傾いた時、通過運動部１４０が内容物移動器具または収容器具１の傾き以上に傾かず、平衡を維持するようにする平衡部１２３ｂを含む。特に、通過運動部１４０の重心の平衡のための運動制御部材１２３ａが、通過運動部１４０に含まれることも可能である。
【０６１３】
運動部材１２５は、収容部材１２７ａまたは運動制御部材１２３ａを含むか連結することができる。
【０６１４】
一方、通過作動部１２０が傾く場合、内容物を移動案内する移動案内部１８０を含み、移動案内部１８０が傾いた状態で内容物の自重または慣性によって、内容物が移動案内部１８０の重力方向の傾斜面に乗って移動することができる。
【０６１５】
通過運動部１４０は、内容物の重力作用による運動に対応して運動し、内容物が通過するように通過作動部１２０を開放する。通過運動部１４０は、通過作動部１２０が傾くか動く場合、通過運動部１４０の自重、通過運動部１４０の慣性、内容物が通過運動部１４０を押圧する力のうち少なくとも一つによって運動することができる。
【０６１６】
内容物を通過させる通過運動部１４０の回転運動は、図４９のように、通過運動部１４０の回転運動中心である運動部回転中心２１０位置が重力方向側である下向方向に位置し、通過作動部１２０が傾くかひっくり返されるまたは揺れる動作による、内容物の重力運動または通過運動部１４０に対する内容物の運動力の伝達によってなされる。
【０６１７】
また、通過運動部１４０の回転運動は、内容物が内容物通過手段１２３を内容物の自重で押圧することによる運動力でなされ得る。
【０６１８】
通過運動部１４０は、閉鎖部材１２７を含むことができる。
【０６１９】
閉鎖部材１２７は、開放部材１４２とは別途に通過通路部１３９または固定部材１２１に近接して、移動案内部１８０の開放側を塞いで定量または設定量の内容物５が開放部１２２側に移動するかまたは設定量超過分の内容物５が一度に引き出されることを防止する役割をする。
【０６２０】
したがって、通過運動部１４０の回転運動によって、内容物が通過運動部１４０を通過後必要な量の内容物を超過する内容物の通過を防ぐことができる。
【０６２１】
通過運動部１４０は、通過運動部１４０の運動部重心２１５の位置と、通過運動部１４０の回転運動中心である運動部回転中心２１０の位置が相異するように具備され得る。通過運動部１４０の運動部重心２１５の位置が、通過運動部１４０の運動部回転中心２１０の位置の後方である、通過装置の外部通過方向の反対方向に位置して、通過作動部１２０が傾くか揺れる場合、運動部重心２１５の位置と運動部回転中心２１０の位置の差によって通過運動部１４０の回転運動が抑止されるか遅延され得る。
【０６２２】
したがって、通過作動部１２０が傾くか動く場合、通過運動部１４０は、通過運動部１４０だけの自重によっては、内容物が開放部１２２を通過可能な開放となる回転運動をしないか回転運動が抑制される。通過運動部１４０は、内容物が通過運動部１４０を抵抗して開放部１２２を開放する前に、通過運動部１４０の自重によっては開放部１２２を内容物が通過する程度に開放しないことができる。
【０６２３】
これを通じて、内容物通過手段１２３の構成部材の少なくとも一部が回転して発生する回転変形時に現れる内容物通過手段１２３の変形は、通過運動部１４０の自重と運動部重心２１５により、内容物の接触前には発生しないか接触前の近接した時点まで遅延され得る。
【０６２４】
したがって、内容物通過手段１２３の変形は、内容物の自重による接触前には発生せず、内容物の自重による接触と共に通過運動部１４０の自重による回転が動作して発生し得る。
【０６２５】
もちろん、平衡部１２３ｂまたは通過運動部１４０の構成部材をすべて同じ密度の材料で製作した場合、平衡部１２３ｂまたは通過運動部１４０の運動部重心２１５の位置を平衡部１２３ｂの形状と大きさにより定め、平衡部１２３ｂまたは通過運動部１４０の構成部材のうち少なくとも一つを他の密度の材料で製作する場合、平衡部１２３ｂまたは通過運動部１４０の運動部重心２１５の位置を平衡部１２３ｂの形状と大きさおよび密度の構成によって決めることができる。
【０６２６】
収容部材１２７ａは、開放部材１４２と連動して開放部材１４２と同一方向に運動し、開放部材１４２と連動して需要量の内容物を収容して運動する。
【０６２７】
通過運動部１４０は、内容物の収容のための底部１４６を含み、底部１４６は通過運動部１４０内の内容物の重力方向下部を支持することができる。
【０６２８】
内容物通過手段１２３の変形は、通過装置１００の開放方向に作動し、内容物通過手段１２３は、内容物通過手段１２３が具備されるハウジング１１０の通過作動部１２０側で、ハウジング１１０を開閉可能にする開閉器具またはカバー３０がないか開放された状態で、内容物通過手段１２３の変形による通過空間の形成によって開放された方向に内容物を通過誘導することができる。
【０６２９】
内容物通過手段１２３は、内容物通過手段１２３が具備されるハウジング１１０の通過作動部１２０側の開閉器具または開閉器具に固定されている部材に、接触または抵抗を受けずに、内容物との抵抗による内容物通過手段１２３の変形によって内容物を通過誘導することができる。
【０６３０】
内容物通過手段１２３は、内容物通過手段１２３が具備されるハウジング１１０が内容物通過手段１２３の内容物通過方向に開放された状態で、内容物の通過誘導が可能となり得る。
【０６３１】
内容物通過手段１２３が具備される通過作動部１２０が傾くかひっくり返されるまたは揺れる動作だけで、内容物が内容物通過手段１２３を通過することができる。
【０６３２】
内容物通過手段１２３の回転変形によって内容物が通過することができる。内容物通過手段１２３の回転変形によって、必要な内容物を超過する内容物の通過を防ぐことができる。内容物通過手段１２３の回転変形は、通過作動部１２０が傾くかひっくり返されるまたは揺れる動作だけでなされ得る。内容物通過手段１２３の回転変形は、内容物通過手段１２３を内容物の自重によって押圧することによってなされ得る。
【０６３３】
内容物通過手段１２３の変形は移動部の運動による変形であり得る。
【０６３４】
内容物がハウジング１１０の内部に具備される面または通過手段に接触し、滑りながら移動して内容物通過手段１２３を通過することができる。
【０６３５】
通過作動部１２０の傾きまたは揺れの際に内容物通過手段１２３は、内容物通過手段１２３の自重または内容物通過手段１２３と連結された通過作動部１２０の少なくとも一部位の自重によって、通過作動部１２０のヒンジ軸を中心に重力方向に回転し、重力方向に移動した内容物通過手段１２３が重力方向に内容物の通過空間を形成することができる。
【０６３６】
内容物通過手段１２３がハウジング１１０の軸を中心に回転する場合、内容物通過手段１２３の回転はハウジング１１０と内側面と接してなされるか、運動固定部１２５ａの軸部材に接してなされ得る。
【０６３７】
通過通路部１３９は、需要量を超過する内容物が通過通路部１３９に進入する場合、需要量を超過する需要量以外の内容物が通過通路部１３９を完全に通過できないように抵抗する形状を具備することができる。
【０６３８】
通過通路部１３９は、需要量を超過する内容物が通過通路部１３９に進入する場合、需要量を超過する内容物または需要量を含んだすべての内容物が通過通路部１３９を通過しないように抵抗する抵抗部材または抵抗形状を具備することによって、需要量を超過する内容物が内容物通過手段１２３を通過しないようにすることができる。通過通路部１３９に具備される抵抗部材または抵抗形状によって、通過通路部１３９に進入した内容物を接触または抵抗して需要量を超過した内容物の通過を防ぐことができる。
【０６３９】
開放部材１４２は、回動可能に具備され得、内容物通過手段１２３は、内容物通過手段１２３の変形によって開放部１２２を開閉することができる。
【０６４０】
内容物通過手段１２３によって通過される内容物は、固形物、粉末、液状内容物のうち少なくとも一つであり得る。固形物は、固形状態の薬品、食品、器具、工具、材料、食材、産業用資材、一般資材のうち少なくとも一つであり、粉末は、粉末状態の薬品、食品、器具、工具、材料、食材、産業用資材、一般資材のうち少なくとも一つであり得る。
【０６４１】
説明されていない図面符号は前述したもので代替する。
【０６４２】
図５０は、本発明の第１２実施例に係る通過装置を具備する収容器具または内容物移動器具の斜視図であり、図５１は、本発明の第１２実施例に係る通過装置を具備する収容器具または内容物移動器具の分解斜視図であり、図５２は、本発明の第１２実施例に係る通過装置を具備する収容器具または内容物移動器具の使用状態を示した断面図である。
【０６４３】
図５０〜図５２のように、本発明の第１２実施例に係る通過装置を具備する内容物移動器具または収容器具１は、ハウジング１１０および通過作動部１２０を含む。
【０６４４】
ハウジング１１０と通過作動部１２０は前述したもので代替する。
【０６４５】
ここで、通過作動部１２０は、固定部材１２１、内容物通過手段１２３、移動案内部１８０およびガイド部材１９０を含む。
【０６４６】
固定部材１２１、内容物通過手段１２３、移動案内部１８０およびガイド部材１９０は、前述したもので代替する。
【０６４７】
一方、内容物通過手段１２３は、通過運動部１４０を含む。
【０６４８】
通過運動部１４０は、前述したもので代替する。
【０６４９】
特に、通過運動部１４０は、開放部材１４２、収容部材１２７ａ、底部１４６、運動制御部材１２３ａ、運動加重制御部材１２３ｃおよびストッパー１２９のうち少なくとも一つを含む。開放部材１４２、収容部材１２７ａ、底部１４６およびストッパー１２９は前述したもので代替する。
【０６５０】
運動部材１２５の底部１４６は、高くなるか突出する部位である底高変化部材１４７により通過移動中にある内容物の位置が重力方向の反対方向に上昇され得る。この時、狭くなった開放部１２２の空間により、収容量を超過した内容物が通過運動部１４０を通過しないようにすることができる。
【０６５１】
本実施例のように通過運動部１４０が底高変化部材１４７を含み、底部１４６が曲面のような突出形状で構成される場合、内容物が底高変化部材１４７の表面に接触して移動すると、内容物の自重による抵抗で底高変化部材１４７が底部１４６に沿って内容物の移動方向に運動し、平衡部１２３ｂの重心が内容物通過方向に偏って通過運動部１４０が内容物通過方向に運動する力を増加させることができる。
【０６５２】
もちろん、平衡部１２３ｂまたは通過運動部１４０の構成部材をすべて同じ密度の材料で製作した場合、平衡部１２３ｂまたは通過運動部１４０の運動部重心２１５の位置を平衡部１２３ｂの形状と大きさによって定め、平衡部１２３ｂまたは通過運動部１４０の構成部材のうち少なくとも一つを他の密度の材料で製作する場合、平衡部１２３ｂまたは通過運動部１４０の運動部重心２１５の位置を平衡部１２３ｂの形状と大きさおよび密度の構成によって決めることができる。
【０６５３】
この時、底高変化部材１４７は、通過運動部１４０の内容物通過方向への運動を加重させる運動加重制御部材１２３ｃであって、これを通じて内容物が迅速に通過作動部１２０を通過するようにすることができる。
【０６５４】
底高変化部材１４７は多様な摩擦材質または屈曲した形状で具備され得る。
【０６５５】
また、移動案内部１８０は、内容物５の流入側に高さ誘導部材１８８を形成する。高さ誘導部材１８８は、内容物が内容物通過手段１２３に移動中に発生する高さの差を複数以上の段に分けるか傾斜面で構成することによって、高さの差が内容物の移動を妨げずに内容物の移動を誘導するようにして、保管部１１３の内容物が通過通路部１３９に安定的に移動するように誘導する役割をする。もちろん、高さ誘導部材１８８は多様な形状に変形可能である。
【０６５６】
説明されていない図面符号は前述したもので代替する。
【０６５７】
図５３は、本発明の第１３実施例に係る通過装置を具備する収容器具または内容物移動器具の斜視図であり、図５４は、本発明の第１３実施例に係る通過装置を具備する収容器具または内容物移動器具の分解斜視図であり、図５５は、本発明の第１３実施例に係る通過装置を具備する収容器具または内容物移動器具の使用状態を示した断面図である。
【０６５８】
図５３〜図５５のように、本発明の第１３実施例に係る通過装置１００を具備する内容物移動器具または収容器具１はハウジング１１０を含む。
【０６５９】
特に、通過装置１００のうち固定部材１２１は、保管部１１３の内容物５吐出側の内部に固定結合される。
【０６６０】
運動部材１２５の底部１４６は、高くなるか突出する部位である底高変化部材１４７により通過する内容物の位置が重力方向の反対方向に上昇され得る。この時、内容物が通過されるように開放される開放部１２２空間が狭くなり得る。
【０６６１】
本実施例のように運動部材１２５が底高変化部材１４７を含み、底部１４６が曲面のような突出形状で構成される場合、内容物が底高変化部材１４７の表面に接触して移動すると、内容物の自重による抵抗で底高変化部材１４７が底部１４６に沿って内容物の移動方向に運動し、平衡部１２３ｂの重心が内容物通過方向に移動して通過運動部１４０が内容物通過方向に運動する力を増加させることができる。
【０６６２】
この時、底高変化部材１４７は、通過運動部１４０の内容物通過方向への運動を加重させる運動加重制御部材１２３ｃであり、これを通じて通過運動部１４０が通過作動部１２０を迅速に開放することによって内容物が速かに通過作動部１２０を通過するようにすることができる。
【０６６３】
底高変化部材１４７は多様な摩擦材質または屈曲した形状で具備され得る。
【０６６４】
また、移動案内部１８０は、内容物５の流入側に高さ誘導部材１８８を形成する。高さ誘導部材１８８は、内容物が内容物通過手段１２３の移動中に発生する高さの差を複数以上の段に分けるか傾斜面で構成することによって、内容物の移動を妨げずに誘導するようにして、保管部１１３の内容物が通過通路部１３９に安定的に移動するように誘導する役割をする。もちろん、高さ誘導部材１８８は多様な形状に変形可能である。
【０６６５】
説明されていない図面符号は前述したもので代替する。
【０６６６】
図５６は、本発明の第１４実施例に係る通過装置を具備する収容器具または内容物移動器具の斜視図であり、図５７は、本発明の第１４実施例に係る通過装置を具備する収容器具または内容物移動器具の分解斜視図であり、図５８は、本発明の第１４実施例に係る通過装置を具備する収容器具または内容物移動器具の使用状態を示した断面図である。
【０６６７】
図５６〜図５８のように、本発明の第１４実施例に係る通過装置１００を具備する内容物移動器具または収容器具１はハウジング１１０を含む。
【０６６８】
特に、通過装置１００のうちハウジング１１０は、保管部１１３の内容物５の吐出側に結合される。
【０６６９】
また、通過運動部１４０は、内容物の吐出案内のために両側の縁に沿ってフランジ３５０を形成する。この時、内容物として、フランジ３５０により通過運動部１４０の外側に漏れが防止される粉末を適用することができる。
【０６７０】
説明されていない図面符号は前述したもので代替する。
【０６７１】
図５９は、本発明の第１５実施例に係る通過装置を具備する収容器具または内容物移動器具の分解斜視図であり、図６０は、本発明の第１５実施例に係る通過装置を具備する収容器具または内容物移動器具の底面分解斜視図であり、図６１は、本発明の第１５実施例に係る通過装置を具備する収容器具または内容物移動器具の断面図であり、図６２は、本発明の第１５実施例に係る通過装置を具備する収容器具または内容物移動器具の使用状態を示した断面図である。
【０６７２】
本発明の第１５実施例に係る通過装置１００を具備する内容物移動器具または収容器具１は、保管部１１３、ハウジング１１０、受け取り部１８１および通過部１２０を含む。
【０６７３】
ハウジング１１０と保管部１１３および通過部１２０は前述したもので代替する。
【０６７４】
この時、ハウジング１１０は、開放された一側がカバー３０の開閉によって実質的に密閉されるか、カバー３０なしに受け取り部１８１だけ具備されて密閉しない状態に形成され得る。カバー３０はハウジング１１０の開放された一側を開閉可能に具備され、多様に形成され得る。
【０６７５】
特に、通過部１２０は、運動による開放で内容物を保管部１１３の外側に通過誘導する内容物通過手段１２３を含む。
【０６７６】
通過装置１００は、内容物通過手段１２３とは別途に受け取り部１４１を含む。受け取り部１４１は、内容物通過手段１２３を通過した内容物が必要な需要量を超過して待機収納部１１５に流入することを阻止し、その結果残留する内容物が使用者が必要とする需要量となるようにする役割をする。
【０６７７】
ハウジング１１０が開閉器具１１０のハウジングである場合、ハウジング１１０は開閉器具１１０であって、保管部１１３の内容物通過側に分離可能に結合され、容器器具本体の保管部１１３を開閉することができる。
【０６７８】
開閉器具１１０は、内部の内側に内容物を収納する待機収納部１１５を有するように形成され、容器器具１の貯蔵された内容物を分けて収納することによって、使用者が内容物を使用できるように形成される。
【０６７９】
カバー３０は、開閉器具１１０の上端に締結されて仕上げられる開閉器具キャップ３０として機能する。内容物通過手段１２３が具備される通過部１２０は開閉器具１１０の内部に設置されるか、保管部１１３の内部に設置され得る。
【０６８０】
もちろん、ハウジング１１０は開閉器具ではなく、容器器具本体と一体構成されるか容器器具本体と分離される容器器具１の構成要素であり得る。
【０６８１】
受け取り部１８１は、抵抗上板部材１８２、抵抗側板部材１８３、区画部材１８４、遮断部材１８５、流入部材１８６、待機段１８７および待機部１８８を含む。
【０６８２】
内容物は、受け取り部１８１に具備される抵抗上板部材１８２と抵抗側板部材１８３のうちいずれか一つ以上に接触され、開放部１２２を通過した内容物の残留量を制限する。
【０６８３】
抵抗上板部材１８２は、ハウジング１１０に具備され得、抵抗側板部材１８３は、ハウジング１１０、抵抗上板部材１８２、固定部材１２１やカバー３０に具備され得る。
【０６８４】
特に、抵抗側板部材１８３は、内容物通過方向に向かう固定部材１２１の表面に形成され得るが、開放されるカバー３０が具備される場合、カバー３０を開放する時に一緒に移動して内容物の把持時に干渉しないようにカバー３０に形成されるものとする。
【０６８５】
もちろん、抵抗上板部材１８２と抵抗側板部材１８３は内容物の通過方向と通過側面方向に多様な形状に変形可能である。
【０６８６】
また、区画部材１８４は、受け取り部１８１の空間を区画して開放部１２２を通過する内容物の残留量を制限する役割をする。
【０６８７】
区画部材１８４は、区画される前記受け取り部１８１の実質的な内容物受け取り空間を調節して、受け取り部１８１に受け取られる内容物の量を制限する役割をする。区画部材１８４は、カバー３０側から固定部材１２１の方向に形成されるか、受け取り部を区画する多様な方向と形状で変形可能である。
【０６８８】
また、遮断部材１８５は固定部材１２１の上面方向に突出形成される。詳細には、遮断部材１８５は内容物通過方向に向かう固定部材１２１の表面に突出する。この時、遮断部材１８５は、内容物が開放部１２２を通過した後、受け取り部１８１を除いた部位に流入することを防止する役割をする。
【０６８９】
ここで、待機部１８８は待機収納部１１５の一部分に該当する。
【０６９０】
また、受け取り部１８１は流入部材１８６を含む。
【０６９１】
流入部材１８６は、開放部１２２を通過した内容物が受け取り部１８１に誘導され、誘導部位を除いた部位に流入阻止されるように、受け取り部１８１に含まれる。流入部材１８６は、区画部材１８４と離隔されるようにカバー３０に突出形成され得る。もちろん、流入部材１８６は多様な形状に変形可能である。
【０６９２】
そして、固定部材１２１の上部面すなわち、カバー３０に向かう固定部材１２１の表面は内容物を支持する役割をし、上部面に具備される待機段１８７は内容物を待機部１８８に集める役割をする。待機収納部１１５の内部で内容物は待機部１８８に位置して引き出し待機する。
【０６９３】
待機段１８７は、固定部材１２１の開放部１２２の縁に沿ってカバー３０方向に突出する。もちろん、待機段１８７は多様な形状に変形可能である。
【０６９４】
ここで、内容物通過手段１２３は、開放部材１２４および運動部材１２５を含む。
【０６９５】
開放部材１２４は、固定部材１２１の開放部１２２を開放する役割をする。
【０６９６】
ハウジング１１０が傾く時、開放部材１２４は自重および内容物の押圧力によって開放部１２２を開放する。反対に、ハウジング１１０が真っすぐに立てられると、開放部材１２４は自重によって開放部１２２を閉鎖する。
【０６９７】
また、運動部材１２５は、開放部材１２４が開放部１２２の内側で回転できるようにする役割をする。この時、運動部材１２５は多様な形状に変形可能であり、一部が突出した形状であり得る。
【０６９８】
また、ハウジング１１０が立てられた状態で、開放部材１２４が開放部１２２を閉鎖している状態を維持するようにストッパー１２９を具備する。ストッパー１２９に対応して運動部材１２５の運動を止めるために、運動部材１２５の運動時に一定部位でストッパー１２９に抵抗するように、運動部材１２５の形態が構成されるか運動部材１２５の一部が突出する運動部材突出部１２５ｂが具備され得る。
【０６９９】
すなわち、開放部材１２４は、自重および内容物の押圧力によって運動部材１２５を基準に一方向に回転させ開放部１２２を開放する。
【０７００】
反対に、開放部材１２４は、自重によって運動部材１２５を基準に他方向に回転して開放部１２２を塞ぐ。この時、運動部材突出部１２５ｂがストッパーの役割をする固定部材１２１の表面に接することによって、開放部材１２４は他方向にそれ以上回転が防止される。
【０７０１】
図６３は、本発明の第１６実施例に係る通過装置を具備する収容器具または内容物移動器具の分解斜視図であり、図６４は、本発明の第１６実施例に係る通過装置を具備する収容器具または内容物移動器具の通過部底面分解斜視図である。
【０７０２】
図６５は、本発明の第１６実施例に係る通過装置を具備する収容器具または内容物移動器具の断面図であり、図６６および図６７は、本発明の第１６実施例に係る通過装置を具備する収容器具または内容物移動器具の使用状態を示した断面図である。
【０７０３】
図６３〜図６７に図示された通り、本発明の第１６実施例に係る通過装置１００を具備する内容物移動器具または収容器具１は、通過部１２０、通過部ハウジング２５０およびハウジング１１０を含む。
【０７０４】
そして、通過部１２０は、内容物通過手段１２３および固定部材２５３を含む。
【０７０５】
保管部１１３に分離可能に結合されるハウジング１１０は前述したもので代替する。
【０７０６】
内容物通過手段１２３は、ハウジング１１０の内部に具備され、保管部１１３に入っている内容物を定量または需要量ずつ移動誘導する役割をする。
【０７０７】
また、ハウジング１１０は上側にカバー３０を具備する。カバー３０は、通過部１２０を通じて移動する内容物を受け取る。カバー３０はハウジング１１０に分離可能に結合される。
【０７０８】
特に、内容物通過手段１２３は、開放部材２４２、運動部材１４５、運動固定部２５２および通過枠２５８を含む。
【０７０９】
通過部ハウジング２５０は、ハウジング１１０の開放側の周面に具備される。そして、通過部ハウジング２５０はリング状に形成される。また、通過部ハウジング２５０は取替えのためにハウジング１１０に分離可能に結合され、多様な形状および多様な材質で変形可能である。通過部ハウジング２５０は保管部１１３の外側に被せられ、ハウジング１１０は通過部ハウジング２５０を覆うことになる。
【０７１０】
通過枠２５８は、開放部材２４２に連結され、中央部が開放されている開放口２５１を有する。そして、開放部材２４２は、固定されていない自由端２４２ａが通過枠２５８と運動可能に連結され、開放口２５１に対応するように内容物の通過空間１１２ｃが形成される。
【０７１１】
運動部材２４５が開放部材２４２を支持し、運動部材２４５の一側に運動係止部２５４を具備する。
【０７１２】
運動係止部２５４のそれぞれは、運動固定部２５２に係止されたまま開放部材２４２の運動時にピボットの役割をする。すなわち、運動係止部２５４は、運動部材２４５それぞれの一側に具備されて運動固定部２５２に係止されたまま自重方向と内容物の押圧方向に運動しようとする開放部材２４２をヒンジ連結する。この時、運動係止部２５４は運動部材２４５のそれぞれに多様な形状で一体または分離可能に具備される。
【０７１３】
また、運動固定部２５２は固定部材２５３に連結される。この時、運動固定部２５２は多様な形状で適用可能であるが、便宜上、リング状で図示する。
【０７１４】
また、運動固定部２５２は多様な方式で固定部材２５３に連結され得る。例として、運動固定部２５２は、円周方向に沿って一定間隔離隔するように構成される連結リブである固定部材２５３に連結される。したがって、運動固定部２５２は固定部材２５３に固定されるように連結される。もちろん、運動固定部２５２は多様な材質で適用可能である。
【０７１５】
運動固定部２５２は固定部材２５３の配置位置の上側縁、周面、内側面および下側縁のうちいずれか一箇所に位置固定される。
【０７１６】
特に、開放部材２４２は一つ以上具備され、運動固定部２５２に連結されて通過空間１１２ｃを形成することによって、定量または需要量の内容物が通過できる空間を確保する役割をする。
【０７１７】
すなわち、開放部材２４２と連結された運動部材２４５それぞれは、一側が運動固定部２５２に運動可能に連結される。そのため、ハウジング１１０を内容物通過のために揺らす場合、開放部材２４２の他側は互いに広がって通過空間１１２ｃが確保される。したがって、内容物は、ハウジング１１０の保管部１１３から確保された通過空間１１２ｃを通じて通過される。便宜上、開放部材２４２は互いに分離された複数個からなるものとする。
【０７１８】
また、開放部材２４２それぞれの他側は互いに拘束されて通過空間１１２ｃの開放量が調節されなければならない。これは、開放部材２４２が過度に反り返られることによって初期位置に復帰しないことを防止するためであり、通過空間１１２ｃの開放量を調節することによって内容物の定量通過を誘導するためである。
【０７１９】
そのため、内容物通過手段１２３は、開放誘導部２５６および通過枠２５８を含む。
開放誘導部２５６は運動部材２４５それぞれの他側に具備される。もちろん、開放誘導部２５６は運動部材２４５それぞれに多様な形状で一体または分離可能に具備される。そして、開放誘導部２５６と運動部材２４５が一体製作されて開放部材２４２に結合され得る。
【０７２０】
開放部材２４２は運動部材２４５と一体化され得る。
【０７２１】
また、通過枠２５８は、開放誘導部２５６それぞれを係止するように形成される。そのため、通過枠２５８は、開放部材２４２の運動時に開放誘導部２５６に接したまま位置移動する。すなわち、初期状態で開放部材２４２が運動して通過空間１１２ｃを確保する過程で、開放誘導部２５６は通過枠２５８に沿って「ａ」位置から「ｂ」位置に移動する（図２２参照）。これにより、開放部材２４２は他側同士が広がることになる。したがって、通過枠２５８は、開放部材２４２それぞれの運動量を調節して内容物の通過のための通過空間１１２ｃを確保する。
【０７２２】
開放部材１４２の通過空間１１２ｃの内側に、遮断部１４６が形成される。
【０７２３】
また、開放部材２４２が開放されて通過空間１１２ｃを確保した状態で初期状態に復帰する時、開放部材２４２それぞれは初期の閉鎖位置に復帰しなければならず、迅速な開放のために通過空間１１２ｃを所定維持していなければならない。この時、通過空間１１２ｃは内容物が任意的に通過できない大きさである。そのため、通過枠２５８は開放部材２４２それぞれの閉鎖位置復原力が維持されるようにする役割をする。
【０７２４】
この時、通過枠２５８は多様な形状に形成され得るが、便宜上、リング状で図示する。通過枠２５８と開放誘導部２５６は互いに拘束する。
【０７２５】
一方、開放部材２４２それぞれは、通過枠２５８に拘束されたまま自重による運動応答性が向上するように、通過空間１１２ｃに隣接した縁に凸部２４４を形成することができる。すなわち、ハウジング１１０が初期状態に立てられる場合、凸部２４４は開放部材２４２を初期状態に復帰する応答性向上のための錘４００を含む。もちろん、凸部２４４は多様な形状に変形可能である。
【０７２６】
十分に空間が確保された通過空間１１２ｃを通じて通過された内容物は、カバー３０により外部に排出阻止されたまま待機収納部１１５に貯蔵される。
【０７２７】
この時、内容物誘導部材２６０は、十分に通過空間１１２ｃの空間を確保した状態で開放部材２４２と接しないように開放部材２４２に近接して、ハウジング１１０の内側に具備される。これは、内容物誘導部材２６０が開放部材２４２の運動に干渉しないようにするためであり、通過空間１１２ｃを通じて通過される内容物が、流入ホール２６２を通じて開放部材２４２と内容物誘導部材２６０の間に漏れることを防止するためである。
【０７２８】
特に、内容物誘導部材２６０は、表面が流入ホール２６２から中央に行くほど傾斜するように形成される。さらに詳細には、内容物誘導部材２６０のカバー３０側の表面は流入ホール２６２から中央方向に行くほど高さが低くなるように傾斜して形成される。これは、保管部１１３が初期状態に正しく立てられる場合、通過した内容物が流入ホール２６２から近い内容物誘導部材２６０の中央に位置して使用者が容易に把持できるようにするためである。
【０７２９】
以下、本発明の第５実施例に係る通過装置１００を具備する容器器具１の作用効果を説明すると次のとおりである。
【０７３０】
図６６のように、使用者が保管部１１３を傾けるか、反対に立てるなどの使用状態にすると、保管部１１３の内部の内容物は開放部材２４２の傾斜面に沿って移動して開放部材２４２を内容物の通過方向に押圧する。この時、開放部材２４２は、凸部２４４の錘４００の自重によって迅速に互いに広がる。
【０７３１】
これによって、内容物通過のための通過空間１１２ｃが十分に確保される。
【０７３２】
内容物は通過空間１１２ｃを通じて開放部材２４２を通過した後、カバー３０に落下する。
【０７３３】
図６７のように、使用者が保管部１１３を初期状態に立てると、互いに広がった開放部材２４２は凸部２４４の錘４００の自重によって迅速に集まって通過空間１１２ｃを狭くする。これによって、内容物は通過空間１１２ｃを通じて任意的に通過しないようになる。
【０７３４】
使用者は容器器具を通過した内容物を観察したり、カバー３０を開いて内容物を取り出すことができる。
【０７３５】
説明されていない図面符号は前述したもので代替する。
【０７３６】
本発明は図面に図示された実施例を参考にして説明されたが、これは例示的なものに過ぎず、当該技術が属する分野で通常の知識を有した者であればこれから多様な変形および均等な他の実施例が可能であることが理解できるであろう。したがって、本発明の真の技術的保護範囲は下記の特許請求の範囲によって定められるべきである。
【０７３７】
（付記）
（付記１）
内容物を移動案内するための通過作動部を含み、
前記通過作動部は、内容物を移動させる内容物通過手段を含むことを特徴とする、通過装置。
【０７３８】
（付記２）
前記内容物通過手段は、運動による開放で内容物が通過するようにする通過運動部を含むことを特徴とする、付記１に記載の通過装置。
【０７３９】
（付記３）
前記通過運動部は、内容物の通過方向に運動して内容物の通過空間を形成する開放部材を含むことを特徴とする、付記２に記載の通過装置。
【０７４０】
（付記４）
前記内容物通過手段の変形によって内容物を通過誘導することを特徴とする、付記１に記載の通過装置。
【０７４１】
（付記５）
前記通過作動部は、内容物が前記通過作動部を通過する以前に位置する通過以前部と通じる開放部が形成され、前記通過以前部の内容物が移動するものの、
前記内容物通過手段は、前記開放部を通じて内容物を移動させることを特徴とする、付記４に記載の通過装置。
【０７４２】
（付記６）
前記通過装置は、内容物移動器具または収容器具に適用され、内容物移動器具または収容器具本体から開閉可能な開閉器具であって、
少なくとも一側に開放されたハウジングを含み、
前記開閉器具は、開閉器具本体と通過作動部を含み、
前記通過作動部は、内容物移動器具本体または収容器具本体の保管部の内容物が前記開閉器具に移動するように前記保管部と前記開閉器具が少なくとも一部通じることを特徴とする、付記１に記載の通過装置。
【０７４３】
（付記７）
前記通過作動部は、前記内容物通過手段の変形によって前記保管部の内容物が前記開閉器具に移動することを特徴とする、付記６に記載の通過装置。
【０７４４】
（付記８）
前記通過運動部は運動部材を含み、
前記運動部材は、前記開放部材を運動可能に連結することを特徴とする、付記３に記載の通過装置。
【０７４５】
（付記９）
前記通過した内容物を受け取る受け取り部を具備し、
前記受け取り部は、前記通過する内容物を受け取り、受け取り需要量以外の内容物の残留を制限するように抵抗する形状を具備することを特徴とする、付記２に記載の通過装置。
【０７４６】
（付記１０）
前記受け取り部は、通過した内容物に接して通過方向に一定量を超過する内容物の受け取りに抵抗し、前記内容物の通過後残留量を一定量に制限することを特徴とする、付記９に記載の通過装置。
【０７４７】
（付記１１）
前記通過作動部は、内容物が前記内容物通過手段に接触する側である通過排出側から内容物が進入する側である通過進入側に延長形成される通過通路部を含み、
前記通過通路部は、前記内容物を前記内容物通過手段に移動案内することを特徴とする、付記１に記載の通過装置。
【０７４８】
（付記１２）
前記通過運動部は、前記通過作動部が傾く場合、前記通過作動部とともに傾きを抑制する平衡部であることを特徴とする、付記２に記載の通過装置。
【０７４９】
（付記１３）
前記通過作動部は、内容物を通過させるために開放部を形成する固定部材を含むことを特徴とする、付記３に記載の通過装置。
【０７５０】
（付記１４）
前記開放部を通じて、前記開放部材が運動して形成される通過空間の開放の有無により前記内容物を通過案内し、
前記開放部材は、前記固定部材に直接的または間接的に連結されることを特徴とする、付記１３に記載の通過装置。
【０７５１】
（付記１５）
前記内容物通過手段は、運動部材を含み、
前記運動部材は、前記開放部材を回動運動可能に連結することを特徴とする、付記３に記載の通過装置。
【０７５２】
（付記１６）
前記通過作動部は、内容物を通過させるために前記開放部を具備する固定部材を含むことを特徴とする、付記５に記載の通過装置。
【０７５３】
（付記１７）
前記内容物通過手段は、前記固定部材と連結される開放部材を含み、
前記開放部材が運動して前記開放部の開放の有無により前記内容物を受け取り案内することを特徴とする、付記１６に記載の通過装置。
【０７５４】
（付記１８）
前記内容物通過手段は、前記開放部材を運動可能に連結する運動部材を含むことを特徴とする、付記１７に記載の通過装置。
【０７５５】
（付記１９）
前記内容物通過手段の変形によって、前記保管部の内容物が前記開閉器具に移動または前記開閉器具を通じて移動することを特徴とする、付記６に記載の通過装置。
【０７５６】
（付記２０）
前記内容物通過手段は、運動による開放で内容物が通過するようにする通過運動部を含むことを特徴とする、付記６に記載の通過装置。
【０７５７】
（付記２１）
前記通過運動部は、内容物の通過方向に運動して内容物の通過空間を形成する開放部材を含むことを特徴とする、付記２０に記載の通過装置。
【０７５８】
（付記２２）
前記開閉器具は、前記保管部から移動した内容物を前記開閉器具外部に通過させたり取り出すことができる開口部が形成されることを特徴とする、付記６に記載の通過装置。
【０７５９】
（付記２３）
前記通過作動部は、開放部を有しながら、前記開放部が一定の高さ立ち上がるように形成されることを特徴とする、付記６に記載の通過装置。
【０７６０】
（付記２４）
前記内容物の通過空間は、前記開放部材の固定されていない自由端の内容物の重さによる押圧、前記通過作動部を具備するハウジングの揺れ、前記開放部材の自重のうち少なくとも一つによって運動することによって形成されることを特徴とする、付記３に記載の通過装置。
【０７６１】
（付記２５）
前記開放部材は、前記固定部材の方向に一側が固定され、他側は固定されていないため運動によって開放されるものの、前記内容物の離脱を防止し、
前記開放部に通過空間を形成することを特徴とする、付記１３に記載の通過装置。
【０７６２】
（付記２６）
前記固定部材は、前記開放部材が連結される前記通過装置の内部の通孔空間である通孔部の内周面に具備されるか、または前記通過装置が含むハウジングの部材であることを特徴とする、付記１３または付記１７に記載の通過装置。
【０７６３】
（付記２７）
前記開放部材は、単数または複数個で構成されることを特徴とする、付記３、１７、２１のいずれか一項に記載の通過装置。
【０７６４】
（付記２８）
前記通過運動部は、前記開放部材に連動して前記内容物が通過できないか、部分的にのみ通過するように開放部の少なくとも一部を塞ぐ閉鎖部材を含むことを特徴とする、付記３に記載の通過装置。
【０７６５】
（付記２９）
内容物が前記開放部材を押圧すると、前記内容物は前記開放部材の反りによって流入し、
前記閉鎖部材は、前記開放部材に連動して前記開放部の少なくとも一部を塞ぐことによって、需要量を超過する内容物が通過することを防止することを特徴とする、付記２８に記載の通過装置。
【０７６６】
（付記３０）
前記通過作動部が傾く場合、需要量の内容物が開放部材に接触する前に前記通過運動部の自重によって回転がなされないように、
前記通過運動部の形状が具備されるか前記通過運動部の構成部材が結合され、前記平衡部の重さまたは重心が形成されることを特徴とする、付記１２に記載の通過装置。
【０７６７】
（付記３１）
前記固定部材の開放部側に具備され、
前記運動部材を前記固定部材に回動運動可能に連結する運動固定部を含むことを特徴とする、付記１８に記載の通過装置。
【０７６８】
（付記３２）
前記内容物通過手段は、前記通過作動部に具備され、需要に該当する内容物を通過案内するための通過手段であることを特徴とする、付記１に記載の通過装置。
【０７６９】
（付記３３）
前記内容物通過手段は、前記開放部材の回転角度を制限するためにストッパーを具備することを特徴とする、付記３、付記１７および付記２１のいずれか一項に記載の通過装置。
【０７７０】
（付記３４）
前記通過作動部が傾いて前記開放部材の自重によって回転がなされようとする場合、前記開放部材、前記閉鎖部材および運動部材のうち少なくとも二以上の、重さと重心の位置によって前記開放部材の回転が抑止され、
前記内容物の需要量が通過する前に前記内容物の通過を妨げないことを特徴とする、付記２８に記載の通過装置。
【０７７１】
（付記３５）
前記通過作動部が傾いて前記開放部材の自重によって回転がなされようとする場合、前記開放部材と前記運動部材の、重さと重心の位置によって前記開放部材の回転が抑止され、
前記内容物の需要量が通過する前に前記内容物の通過を妨げないことを特徴とする、付記８、付記１５および付記１８のいずれか一項に記載の通過装置。
【０７７２】
（付記３６）
前記通過作動部は、内容物が前記内容物通過手段側に流入案内されるようにする移動案内部を具備することを特徴とする、付記１または付記５に記載の通過装置。
【０７７３】
（付記３７）
前記移動案内部は、前記内容物通過手段側に通孔されるガイドホールを通孔し、前記ガイドホールの縁に沿って傾斜面を形成することを特徴とする、付記３６に記載の通過装置。
【０７７４】
（付記３８）
前記開放部材は、固定されていない自由端の移動を通じて前記開放部を開放させることによって前記内容物が通過するようにすることを特徴とする、付記１３または付記１７に記載の通過装置。
【０７７５】
（付記３９）
前記通孔部は、内容物が貯蔵される内容物貯蔵部と、前記内容物貯蔵部で需要量が通過した後引き出し待機する内容物引き出し部に分けられることを特徴とする、付記２６に記載の通過装置。
【０７７６】
（付記４０）
前記通過運動部は、内容物の通過方向に運動して内容物の通過空間を形成する開放部材を含むことを特徴とする、付記３０に記載の通過装置。
【０７７７】
（付記４１）
前記通過作動部は、前記通過以前部で移動した内容物の受け取り需要量が前記通過以前部に移動しないようにすることを特徴とする、付記５に記載の通過装置。
【０７７８】
（付記４２）
前記開放部材の運動角度は、前記内容物通過手段に具備されるストッパーと、前記通過作動部を具備するハウジングに連結されるカバーのうち少なくとも一つによって制限されることを特徴とする、付記３、付記１７および付記２１のいずれか一項に記載の通過装置。
【０７７９】
（付記４３）
前記通過以前部は、内容物が保管される保管部であり、
内容物を引き出し待機するための待機収納部を含み、
前記通過作動部に形成される前記開放部を通じて前記保管部と前記待機収納部の一部が通じ、
前記開放部を通じて前記保管部の内容物が前記待機収納部に移動することを特徴とする、付記５に記載の通過装置。
【０７８０】
（付記４４）
前記運動部材は、前記開放部材と一体であるか、前記開放部材と分離可能に具備されることを特徴とする、付記８、付記１５および付記１８のいずれか一項に記載の通過装置。
【０７８１】
（付記４５）
前記運動部材は、前記運動固定部に連結され、自重方向と内容物の押圧方向に運動しようとする前記開放部材をヒンジ連結することを特徴とする、付記３１に記載の通過装置。
【０７８２】
（付記４６）
前記開放部材は、前記固定部材の方向に一側が固定され、他側は固定されていないため運動によって前記開放部を開閉することを特徴とする、付記１３に記載の通過装置。
【０７８３】
（付記４７）
前記受け取り部は、
前記内容物が前記受け取り部内に流入するが、前記受け取り部を除いた部位に流入することを防止する流入部材を含むことを特徴とする、付記９に記載の通過装置。
【０７８４】
（付記４８）
前記通過運動部は、前記通過運動部の重心の平衡のために運動制御部材をさらに含むことを特徴とする、付記４０に記載の通過装置。
【０７８５】
（付記４９）
前記通過作動部を具備するハウジングに連結され、前記通過装置を通じて受け取られる内容物を受け取るカバーを含み、
前記カバーは、前記ハウジングに分離可能に結合されることを特徴とする、付記１に記載の通過装置。
【０７８６】
（付記５０）
前記運動部材は、周面にガイド板部材を具備し、
前記内容物は、前記ガイド板部材によって前記開放部材に流入する前に制限誘導され、前記内容物が前記ガイド板部材を圧迫して前記開放部材を開放させることによって通過応答性を向上させ、
開放部の進入側面に側板部材を具備し、
前記側板部材は、内容物が閉鎖部材に沿って前記開放部材に流入するように案内し、
前記側板部材は、前記開放部材が開放部を防いだ状態に維持するためにサポートブロックを具備し、
前記閉鎖部材は、前記開放部材の閉鎖状態を維持するために固定部材に接する支持部材を具備することを特徴とする、付記８に記載の通過装置。
【０７８７】
（付記５１）
内容物が前記通過作動部側に流入案内されるようにする移動案内部を具備し、
前記移動案内部は、前記通過作動部側に通孔されるガイドホールを通孔し、内容物の流入を案内するために傾斜面を形成することを特徴とする、付記３、付記４および付記６のいずれか一項に記載の通過装置。
【０７８８】
（付記５２）
前記固定部材は、内容物の受け取りを案内するために傾斜面を延長形成することを特徴とする、付記１３または付記１６に記載の通過装置。
【０７８９】
（付記５３）
前記運動制御部材は、前記通過作動部が傾く場合、前記平衡部の平衡を維持し回転運動が発生するか減少するように抑制し、
前記開放部材と前記運動制御部材の重さまたは前記開放部材、前記運動制御部材および前記開放部材とともに運動する少なくとも一つ以上の別途部材の重さによって、
前記平衡部の重心で重さ平衡をなしながら重力方向の重心位置を維持しようとする力が発生して、前記開放部材が通過作動部の傾きを超過する傾きに傾かないことを特徴とする、付記４８に記載の通過装置。
【０７９０】
（付記５４）
前記受け取り部は、通過した内容物に接して通過方向に上部で抵抗する抵抗上板部材を含むことを特徴とする、付記１０に記載の通過装置。
【０７９１】
（付記５５）
前記受け取り部は、通過した内容物に接して通過方向に対して側面で抵抗する抵抗側板部材を含むことを特徴とする、付記１０に記載の通過装置。
【０７９２】
（付記５６）
前記受け取り部は、
前記受け取り部の空間を区画する区画部材を含み、
前記区画部材は、前記区画される受け取り部の内容物受け取り空間の調節を通じて、
前記受け取り部に受け取られる内容物の量を制限することを特徴とする、付記９に記載の通過装置。
【０７９３】
（付記５７）
前記通過作動部は、前記開放部側に具備されて内容物の移動を遮断する遮断部材を含むものの、
前記遮断部材は、前記開放部が開放時、前記内容物が保管部に移動することを遮断するか、
前記内容物が前記内容物通過手段を通過時、前記内容物が内容物受け取り空間を除いた部位に流入することを防止することを特徴とする、付記５、付記１３および付記１６のいずれか一項に記載の通過装置。
【０７９４】
（付記５８）
前記通過通路部は、前記通過通路部を通過する個々の内容物の一側端部の長さが他側端部の長さと異なる場合、
前記通過通路部の内部空間のうち最も小さい内径である通路最小内径が、個々の内容物の最も大きい外径である内容物最大外径の二倍より小さいか同じであり、
二個以上の個々の内容物が前記通過通路部に同時に進入または通過することができず、
一回に一個の内容物だけが前記通過通路部に進入または通過可能となることを特徴とする、付記１１に記載の通過装置。
【０７９５】
（付記５９）
前記通過通路部は、前記通過通路部を通過する個々の内容物の一側端部の長さが他側端部の長さと異なる場合、
前記内容物が、内容物の長方向の長さ方向に前記通過通路部を通過するようにガイドすることを特徴とする、付記１１に記載の通過装置。
【０７９６】
（付記６０）
前記内容物通過手段は、内容物の通過方向に運動して内容物の通過空間を形成する開放部材を含み、
前記開放部材に連動して開放された前記開放部を少なくとも一部閉鎖する閉鎖部材を含み、
前記一個の内容物が前記通過通路部を前方通過時、
他の個々の内容物が前記前方通過内容物の後に隣接して前記通過通路部を後方進入し、
前記後方進入した内容物が移動して前記閉鎖部材に接触して、前記閉鎖部材が前記開放部を少なくとも一部を塞ぐことによって、
需要量を超過して内容物が前記開放部に流入することを防止することを特徴とする、付記１１に記載の通過装置。
【０７９７】
（付記６１）
前記通過通路部の下部に前記内容物を前記通過通路部に流入させる移動案内部を具備し、
前記移動案内部の少なくとも一部は傾斜面に形成され、
前記内容物が前記通過通路部が位置したところに案内されることを特徴とする、付記１１に記載の通過装置。
【０７９８】
（付記６２）
前記通過作動部が傾く場合、内容物が前記移動案内部の重力方向の傾斜面に乗って移動することを特徴とする、付記６１に記載の通過装置。
【０７９９】
（付記６３）
前記平衡部は、内容物の通過方向に運動して内容物の通過空間を形成する開放部材を含み、
内容物が前記開放部材に接触することで内容物の重量が前記開放部材に伝達されて前記平衡部の運動が進行される時、
前記平衡部の運動方向に平衡を破って前記平衡部の運動力を加重させる運動加重制御部材をさらに含むことを特徴とする、付記１２に記載の通過装置。
【０８００】
（付記６４）
前記内容物通過手段の構成部材の少なくとも一部が回転して発生する回転変形時に現れる前記内容物通過手段の変形は、
前記通過運動部の自重と重心によって、内容物の接触前には発生しないか接触前の近接した時点まで遅延され、
前記内容物通過手段の変形は、内容物の自重による接触前には発生せず、前記内容物の自重による接触後に前記通過運動部の自重による回転が動作して発生することを特徴とする、付記２に記載の通過装置。
【０８０１】
（付記６５）
前記開放部材は折り曲げられて構成され、
前記開放部材が折り曲げられる開放部材折り曲げ部は線形に折れるか曲面であることを特徴とする、付記３、付記１７および付記２１のいずれか一項に記載の通過装置。
【０８０２】
（付記６６）
前記開放部材は直角以上の角度で折り曲げられ、前記開放部材と前記閉鎖部材の間の空間を確保し、
前記内容物が長方向の形態である場合、前記開放部材と前記閉鎖部材の間の空間に長方向の長さ方向に進入した需要量の内容物が前記開放部材を押圧することによって前記開放部材が前記閉鎖部材とともに回転移動し、
前記回転移動する閉鎖部材が前記開放部材を押圧する前記需要量の内容物を干渉することなく、
前記閉鎖部材は前記需要量の内容物を超過して通過作動部に進入する内容物がある場合、超過する内容物を防ぐことを特徴とする、付記２８に記載の通過装置。
【０８０３】
（付記６７）
前記閉鎖部材は折り曲げられて構成され、
前記閉鎖部材が折り曲げられる閉鎖部材折り曲げ部は線形に折れるか曲面であることを特徴とする、付記２８、または付記６０に記載の通過装置。
【０８０４】
（付記６８）
前記通過運動部の自重による前記通過運動部の運動を制御する平衡部を含み、
前記平衡部は、運動制御部材、開放部材、閉鎖部材および運動部材のうち少なくとも一つ以上を含み、
前記運動制御部材、前記開放部材、前記閉鎖部材および前記運動部材のうち少なくとも一つ以上の重さと具備される位置を通した平衡作用によって前記通過運動部の自重による運動を制御することを特徴とする、付記２に記載の通過装置。
【０８０５】
（付記６９）
前記内容物通過手段の自重による前記内容物通過手段の移動を制御する平衡部を含み、
前記平衡部は、運動制御部材、前記開放部材、閉鎖部材および運動部材のうち少なくとも一つ以上を含み、
前記運動制御部材、前記開放部材、前記閉鎖部材および前記運動部材のうち少なくとも一つ以上の重さと具備される位置を通じて前記内容物通過手段の自重による移動を制御することを特徴とする、付記３、付記１７および付記２１のいずれか一項に記載の通過装置。
【０８０６】
（付記７０）
前記運動制御部材は、前記開放部材の自重による移動距離と移動角度のうち少なくとも一つを制御することを特徴とする、付記６９に記載の通過装置。
【０８０７】
（付記７１）
前記運動制御部材は、前記通過作動部を傾けた時、需要量の内容物が前記開放部材を押圧する前に前記開放部材または前記開放部材とともに運動する部材の自重による回転で前記閉鎖部材が需要量の内容物の通過を妨げないように制御し、
前記運動制御部材は、前記開放部材の重さ、または前記開放部材と前記開放部材とともに運動する少なくとも一つ以上の部材の重さに対応して、前記開放部材を含む前記通過運動部または前記平衡部の自重による移動を制御する重さと位置で構成されることを特徴とする、付記６９に記載の通過装置。
【０８０８】
（付記７２）
前記通過作動部が傾く時、
前記開放部材と前記運動制御部材の重さ、または前記開放部材、前記運動制御部材および前記開放部材とともに運動する別途部材の重さによって、
前記平衡部の重心で重さ平衡をなし、前記開放部材が前記通過作動部の傾き以上に傾かず、前記通過作動部内での位置または傾きを維持することを特徴とする、付記６８に記載の通過装置。
【０８０９】
（付記７３）
前記通過作動部が傾く時、前記開放部材と前記運動制御部材が重さ平衡によって重力方向位置を維持する力が作用することを特徴とする、付記７２に記載の通過装置。
【０８１０】
（付記７４）
前記通過作動部内に具備される抵抗部材を含み、
前記抵抗部材は、前記通過作動部内を通過する内容物の通過を制限することを特徴とする、付記１に記載の通過装置。
【０８１１】
（付記７５）
前記通過作動部内に具備される抵抗部材を含み、
前記抵抗部材は、前記通過作動部内を通過する内容物の通過を抵抗して制限することを特徴とする、付記３、付記１７および付記２１のいずれか一項に記載の通過装置。
【０８１２】
（付記７６）
少なくとも一側に開放されるハウジングを含み、
前記通過作動部は、前記ハウジングに具備され、
前記内容物通過手段は、運動による開放で内容物を前記ハウジングの一側に通過誘導することを特徴とする、付記１、付記３、付記４および付記８のいずれか一項に記載の通過装置。
【０８１３】
（付記７７）
前記運動部材は、運動時に一定位置で前記内容物通過手段に抵抗されて停止するように形態が異形で具備されるか、
前記運動部材から突出する構成である運動部材突出部を含むことを特徴とする、付記８、付記１５および付記１８のいずれか一項に記載の通過装置。
【０８１４】
（付記７８）
前記通過作動部は、
前記通過作動部の傾きまたは揺れによって発生する前記内容物通過手段の変形によって内容物が移動することを特徴とする、付記１に記載の通過装置。
【０８１５】
（付記７９）
前記通過作動部が傾く場合、内容物を移動案内する移動案内部を含み、
前記移動案内部が傾いた状態で内容物の自重または慣性によって前記移動案内部の面に沿って案内して内容物を通過させることを特徴とする、付記１に記載の通過装置。
【０８１６】
（付記８０）
前記移動案内部は、ハウジングであるか前記ハウジングに連結される案内部材であることを特徴とする、付記７９に記載の通過装置。
【０８１７】
（付記８１）
前記移動案内部は、移動する内容物が集中されるようにガイド部材を延長することを特徴とする、付記７９に記載の通過装置。
【０８１８】
（付記８２）
前記内容物通過手段は、
運動によって内容物を通過させる通過運動部を含み、
前記通過運動部は、前記通過作動部が傾くか動く場合、前記通過運動部の自重、前記通過運動部の慣性、内容物が前記通過運動部を押圧する力のうち少なくとも一つによって運動することを特徴とする、付記１に記載の通過装置。
【０８１９】
（付記８３）
前記通過運動部は、通過する内容物と同じ方向に運動し、内容物の通過を許容する開放部材を含むことを特徴とする、付記２または付記８２に記載の通過装置。
【０８２０】
（付記８４）
前記通過運動部は、
前記開放部材と別途に前記開放部材方向に運動し、内容物が通過できないか部分的にのみ通過するように開放部の少なくとも一部を塞ぐ閉鎖部材を含むことを特徴とする、付記３に記載の通過装置。
【０８２１】
（付記８５）
前記通過運動部は、前記開放部材と前記閉鎖部材の間に具備される通過隔室部を含み、
前記通過隔室部に隔室部収容量の内容物が収容されて前記収容された内容物を移動誘導することを特徴とする、付記８４に記載の通過装置。
【０８２２】
（付記８６）
前記通過隔室部は、前記通過隔室部が収容する前記隔室部収容量が前記内容物通過手段を通過する需要量以上であり、
前記通過隔室部に収容される内容物の前記通過隔室部の通過を抵抗する通過抵抗部を含み、
前記通過隔室部に収容された前記隔室部収容量が前記需要量を超過する場合、前記需要量を超過した内容物が前記通過隔室部を通過しないように抵抗することを特徴とする、付記８５に記載の通過装置。
【０８２３】
（付記８７）
前記通過運動部は、前記通過運動部の運動部重心位置と前記通過運動部の回転運動中心である運動部回転中心位置が相異するように具備されることを特徴とする、付記２または付記８２に記載の通過装置。
【０８２４】
（付記８８）
前記通過運動部の運動部重心位置が、前記通過運動部の運動部回転中心位置の後方である、前記通過装置の外部通過方向の反対方向に位置し、
前記通過作動部が傾くか揺れる場合、前記運動部重心位置と前記運動部回転中心位置の差によって前記通過運動部の回転運動が抑止されるか遅延することを特徴とする、付記８２に記載の通過装置。
【０８２５】
（付記８９）
前記通過作動部は、内容物を通過させるために開放部を形成し、
前記通過作動部が傾くか動く場合、
前記通過運動部は、前記通過運動部の自重だけでは、内容物が前記開放部を通過可能な開放となる回転運動をしないか回転運動が抑制されることを特徴とする、付記２または付記８２に記載の通過装置。
【０８２６】
（付記９０）
前記通過運動部は、内容物が前記通過運動部を抵抗して開放部を開放する前に、前記通過運動部の自重によっては前記開放部を内容物が通過する程度に開放しないことを特徴とする、付記２または付記８２に記載の通過装置。
【０８２７】
（付記９１）
前記通過運動部は、
前記開放部材に連動して前記開放部材方向に運動し、前記開放部材とともに需要量の内容物を収容して運動する収容部材を含むことを特徴とする、付記８３に記載の通過装置。
【０８２８】
（付記９２）
前記通過運動部は、前記開放部材と前記収容部材の間に具備される通過隔室部を含み、
前記通過隔室部に隔室部収容量の内容物を収容して前記収容された内容物を移動誘導することを特徴とする、付記９１に記載の通過装置。
【０８２９】
（付記９３）
前記通過運動部は、内容物の収容のための底部を含み、前記底部は、前記通過運動部内の内容物の重力方向下部を支持することを特徴とする、付記２に記載の通過装置。
【０８３０】
（付記９４）
内容物が前記底部の高くなるか突出する部位である底高変化部材に接触すると、
前記底部に支持されて抵抗力によって前記通過運動部を通過移動中にある前記内容物の位置が、前記底高変化部材の高さ方向に上昇することを特徴とする、付記９３に記載の通過装置。
【０８３１】
（付記９５）
前記通過移動中にある内容物の位置変化によって、前記内容物が通過されるように開放される開放部空間が狭くなり、
前記狭くなった開放部空間により、収容量を超過した内容物が前記通過運動部を通過しないことを特徴とする、付記９４に記載の通過装置。
【０８３２】
（付記９６）
前記底部は、開放部材と前記開放部材と連動して需要量の内容物を収容して運動する収容部材の間に具備されることを特徴とする、付記９３に記載の通過装置。
【０８３３】
（付記９７）
前記底部の長さは、内容物の長辺方向の端部長以上に具備され、内容物の長辺の長さを収容することを特徴とする、付記９６に記載の通過装置。
【０８３４】
（付記９８）
前記開放部材は、自重または内容物の押圧力によって開放されるように運動して内容物を通過誘導することを特徴とする、付記８３に記載の通過装置。
【０８３５】
（付記９９）
前記通過運動部は、前記開放部材の回転角度を制限するためにストッパーを含むことを特徴とする、付記８３に記載の通過装置。
【０８３６】
（付記１００）
前記通過運動部は、前記通過運動部の自重または内容物の押圧力によって開放されるように運動し、前記通過運動部の開放に形成される通過空間を通じて内容物を通過誘導することを特徴とする、付記２に記載の通過装置。
【０８３７】
（付記１０１）
前記内容物通過手段の変形は、前記通過装置の開放方向である前方側に作動し、
前記内容物通過手段は、前記内容物通過手段が具備されるハウジングの前記通過作動部側で、前記ハウジングを開閉可能にする開閉器具またはカバーがない開放された状態で、
前記内容物通過手段の変形による通過空間の形成によって開放された方向に内容物の通過誘導がなされることを特徴とする、付記４に記載の通過装置。
【０８３８】
（付記１０２）
前記内容物通過手段は、前記内容物通過手段が具備されるハウジングの前記通過作動部側の開閉器具または前記開閉器具に固定されている部材に、接触または抵抗を受けずに、
内容物との抵抗による前記内容物通過手段の変形によってのみ内容物を通過誘導することを特徴とする、付記４に記載の通過装置。
【０８３９】
（付記１０３）
前記通過運動部は、前記通過運動部が具備されるハウジングが前記内容物通過手段の内容物通過方向に開放された状態で、内容物との抵抗によって内容物を通過誘導することを特徴とする、付記２に記載の通過装置。
【０８４０】
（付記１０４）
前記通過運動部は、内容物の重力作用による運動に対応して運動し、内容物が通過するように前記通過作動部を開放するものの、
前記通過運動部が具備される前記通過作動部が、傾くかひっくり返されるまたは揺れる動作による重力作用だけで、内容物が前記内容物通過手段を通過することを特徴とする、付記２に記載の通過装置。
【０８４１】
（付記１０５）
前記通過運動部の回転運動によって内容物が通過することを特徴とする、付記２に記載の通過装置。
【０８４２】
（付記１０６）
前記通過運動部の回転運動によって、内容物が前記通過運動部を通過した後、必要な量を超過する内容物の通過を防ぐことを特徴とする、付記２に記載の通過装置。
【０８４３】
（付記１０７）
内容物を通過させる前記通過運動部の回転運動は、前記通過作動部が傾くかひっくり返されるまたは揺れる動作による、前記内容物の重力運動または前記通過運動部に対する前記内容物の運動力の伝達によってなされることを特徴とする、付記１０５または付記１０６に記載の通過装置。
【０８４４】
（付記１０８）
前記通過運動部の回転運動は、内容物が前記内容物通過手段を前記内容物の自重で押圧することによる運動力でなされることを特徴とする、付記１０５または付記１０６に記載の通過装置。
【０８４５】
（付記１０９）
前記内容物通過手段の変形によって内容物を通過誘導し、
前記内容物通過手段の変形は前記通過運動部の運動による変形であることを特徴とする、付記２に記載の通過装置。
【０８４６】
（付記１１０）
前記内容物がハウジング内部に具備される面または前記通過手段に接触し、滑りながら移動して前記内容物通過手段を通過することを特徴とする、付記４に記載の通過装置。
【０８４７】
（付記１１１）
前記通過運動部の部材の少なくとも一部が回転して発生する回転運動時に発生する、前記通過運動部の重心による回転による前記内容物通過手段の変形が、内容物の接触前には発生しないか接触前の近接した時点まで遅延することを特徴とする、付記２に記載の通過装置。
【０８４８】
（付記１１２）
前記通過運動部の自重による回転による前記内容物通過手段の変形は、内容物の自重による接触前には発生せず、
前記内容物の自重による接触と共に前記内容物通過手段の変形が発生することを特徴とする、付記２に記載の通過装置。
【０８４９】
（付記１１３）
前記通過作動部の傾きまたは揺れの際に前記通過運動部は、前記通過運動部の少なくとも一部位の自重によって前記通過作動部のヒンジ軸を中心に重力方向に回転し、
前記重力方向に回転した通過運動部が内容物の通過空間を形成することを特徴とする、付記２に記載の通過装置。
【０８５０】
（付記１１４）
前記通過運動部が前記ハウジングの軸を中心に回転する場合、前記通過運動部の回転は前記ハウジングと内側面と接してなされるか、運動固定部の軸部材に接してなされることを特徴とする、付記１１３に記載の通過装置。
【０８５１】
（付記１１５）
前記通過通路部は、需要量を超過する内容物が前記通過通路部に進入する場合、前記需要量を超過する需要量以外の内容物が前記通過通路部を完全に通過できないように抵抗する形状を具備することを特徴とする、付記１１に記載の通過装置。
【０８５２】
（付記１１６）
前記通過通路部は、需要量を超過する内容物が前記通過通路部に進入する場合、需要量を超過する内容物または需要量を含んだすべての内容物が前記通過通路部を通過しないように抵抗する抵抗部材または抵抗形状を具備し、
需要量を超過する内容物が前記内容物通過手段を通過しないようにすることを特徴とする、付記１１に記載の通過装置。
【０８５３】
（付記１１７）
前記通過通路部に具備される抵抗部材または抵抗形状によって、前記通過通路部に進入した内容物を接触または抵抗して需要量を超過した内容物の通過を干渉することを特徴とする、付記１１６に記載の通過装置。
【０８５４】
（付記１１８）
前記開放部材は、回動可能に具備されることを特徴とする、付記３に記載の通過装置。
【０８５５】
（付記１１９）
前記内容物通過手段は、前記内容物通過手段の変形によって開放部を開閉することを特徴とする、付記１に記載の通過装置。
【０８５６】
（付記１２０）
前記上昇する内容物の位置によって内容物の開放部材の通過が容易であることを特徴とする、付記９４に記載の通過装置。
【０８５７】
（付記１２１）
前記底部は、前記底部の高さを変化させる底高変化部材を含み、
前記底部の一部又は全部が突出した形状であり、内容物が前記底高変化部材の表面に接触して移動すると、内容物の自重による前記底部に対する抵抗で前記底高変化部材が前記底部に沿って内容物の移動方向に運動することになり、前記平衡部の重心が内容物通過方向に移動し、前記通過運動部が内容物通過方向に運動することを特徴とする、付記９３に記載の通過装置。
【０８５８】
（付記１２２）
前記底部が内容物が前記底部と接触する抵抗で、通過する内容物と同じ方向に運動し、内容物の通過を許容し、
前記通過運動部は開放部材を具備するか、または前記通過運動部に別途の開放部材なしに前記底部の移動だけで前記通過運動部が運動することを特徴とする、付記９３に記載の通過装置。
【０８５９】
（付記１２３）
前記底部または前記底部に含まれる底高変化部材は摩擦表面、摩擦材質または屈曲した形状のうち少なくとも一つを具備することを特徴とする、付記９３に記載の通過装置。
【０８６０】
（付記１２４）
前記内容物通過手段によって通過する内容物は、固形物、粉末、液状内容物のうち少なくとも一つであることを特徴とする、付記１に記載の通過装置。
【０８６１】
（付記１２５）
前記通過運動部は、運動加重制御部材をさらに含み、
前記運動加重制御部材は、底部に曲面のような突出形状で構成され、
内容物が前記運動加重制御部材の表面に接触して移動すると、内容物の自重による抵抗で前記運動加重制御部材が前記底部に沿って内容物の移動方向に運動し、前記平衡部の重心が内容物通過方向に偏って前記通過運動部が内容物通過方向に運動する力を増加させ、
前記運動加重制御部材は、前記通過運動部の内容物通過方向への運動を加重させて内容物が前記通過作動部を通過するようにすることを特徴とする、付記１２に記載の通過装置。
【０８６２】
（付記１２６）
前記移動案内部は、内容物の流入側に高さ誘導部材を形成し、
前記高さ誘導部材は、内容物が前記内容物通過手段に移動中に発生する高さの差が複数以上の段に分けられるか傾斜面で構成され、
前記高さの差が内容物の移動を妨げずに内容物の移動を誘導するようにして、保管部の内容物が前記内容物通過手段に安定的に移動するように誘導することを特徴とする、付記３６に記載の通過装置。
【０８６３】
（付記１２７）
内容物が前記内容物通過手段を通過時に内容物の通過を感知する感知部を含むことを特徴とする、付記４に記載の通過装置。
【０８６４】
（付記１２８）
前記感知部は、前記内容物が通過した数量、日時、曜日および時間のうち少なくとも一つを感知または測定することを特徴とする、付記１２７に記載の通過装置。
【０８６５】
（付記１２９）
前記感知部の内容物の測定は、電子センサーまたは機械の作動による測定であることを特徴とする、付記１２７に記載の通過装置。
【０８６６】
（付記１３０）
前記感知部が感知または測定したデータまたは前記内容物通過手段の作動によって、内容物が前記通過作動部を通過したかの可否を視覚、聴覚および触覚のうち少なくとも一つの使用者感覚方法で認知可能であるように表示する表示部を含むことを特徴とする、付記１２７に記載の通過装置。
【０８６７】
（付記１３１）
前記感知部が感知または測定したデータを送信する通信部を含むことを特徴とする、付記１２７に記載の通過装置。
【０８６８】
（付記１３２）
前記感知部が前記内容物が一定期間または時間に定められた量が前記内容物通過手段を通過することを感知するか、内容物が定められた量を超過して前記内容物通過手段を通過することを感知すると、
前記内容物通過手段の内容物移動の作動を制限する制御部を含むことを特徴とする、付記１２６に記載の通過装置。
【０８６９】
（付記１３３）
前記表示部は、数字、文字、記号、点字、発光、点灯および色相のうち少なくとも一つで表示されることを特徴とする、付記１２９に記載の通過装置。
【０８７０】
（付記１３４）
前記感知部を通じて感知された内容物の通過の有無または通過数量を判断し、
前記判断された内容物の通過の有無または通過数量、または前記判断された通過の有無または通過数量と共に通過時点の日時、曜日、時間のうち少なくとも一つ以上のデータを前記表示部に表示することを特徴とする、付記１２９に記載の通過装置。
【０８７１】
（付記１３５）
前記感知部を通じて感知された内容物の通過の有無または通過数量を判断し、
前記判断された内容物の通過の有無または通過数量、または前記判断された通過の有無または通過数量と共に通過時点の日時、曜日、時間のうち少なくとも一つ以上のデータを前記通信部を通じて近接または遠隔に送信することを特徴とする、付記１３０に記載の通過装置。
【０８７２】
（付記１３６）
前記感知部が前記内容物通過手段を通過した内容物を感知して指定された量の内容物が通過したと判断されると、それ以上の内容物が前記通過装置を通過しないようにロック装置を含むことを特徴とする、付記１２７に記載の通過装置。
【０８７３】
（付記１３７）
前記ロック装置は、前記通過装置に具備され、前記内容物通過手段の運動を防ぐか前記通過作動部内での内容物の移動経路を遮断することを特徴とする、付記１３６に記載の通過装置。
【０８７４】
（付記１３８）
前記表示部の表示は、ＬＣＤまたはＬＥＤを利用した数字、文字、記号、信号のうち少なくとも一つであることを特徴とする、付記１３０に記載の通過装置。
【０８７５】
（付記１３９）
服用制限が必要な服用薬や正常な人の摂取制限が必要な食品のように規制が必要な場合、指定された時間または状況の終了前にロック状態を維持することを特徴とする、付記１３６に記載の通過装置。
【０８７６】
（付記１４０）
前記内容物通過手段運動を防ぐことは、前記内容物通過手段の運動部位を接触抵抗してなされ、
前記通過作動部内での移動経路の遮断は、内容物の通過進入側と通過排出側に具備される通過通路部で内容物を遮断するか抵抗してなされることを特徴とする、付記１３７に記載の通過装置。
【０８７７】
（付記１４１）
前記内容物の表面または内容物の内部に数字、文字、記号のうち少なくとも一つを表示することで、前記内容物通過手段を通過した内容物または前記内容物通過手段を通過していない内容物の前記表示を観察できることを特徴とする、付記２に記載の通過装置。
【０８７８】
（付記１４２）
内容物が移動する内容物移動器具に具備され、内容物を通過誘導する通過装置であって、内容物を通過させる通過作動部を含み、
前記通過作動部は、内容物が前記通過作動部を通過する以前に位置する通過以前部と連結され、
前記通過作動部は、内容物が前記通過以前部から移動するようにする内容物通過手段を含み、
前記内容物通過手段は内容物の前記内容物移動器具内での移動を制御することを特徴とする、バルブ。
【０８７９】
（付記１４３）
前記通過作動部は、前記内容物移動器具で、前記通過以前部から前記内容物通過手段を通過して移動した需要量の内容物が、前記通過以前部に再び移動しないようにすることを特徴とする、付記１４２に記載のバルブ。
【０８８０】
（付記１４４）
前記通過作動部は、内容物を通過させるための開放部を含み、
前記開放部を通じて内容物を移動させ、
前記内容物通過手段の変形によって前記通過以前部の内容物が前記開放部を通じて移動することを特徴とする、付記１４２に記載のバルブ。
【０８８１】
（付記１４５）
内容物が移動する移動部に具備され、内容物を通過誘導する通過装置であって、内容物を通過させる通過作動部を含み、
前記通過作動部は、内容物が移動するようにする内容物通過手段を含むことを特徴とする、バルブ。
【０８８２】
（付記１４６）
前記内容物通過手段は、運動によって内容物を通過させる通過運動部を含むことを特徴とする、付記１４５に記載のバルブ。
【０８８３】
（付記１４７）
前記通過作動部の傾きまたは揺れによって発生する前記内容物通過手段の変形によって内容物を通過誘導することを特徴とする、付記１４５に記載のバルブ。
【０８８４】
（付記１４８）
前記通過作動部が傾く場合、内容物を移動案内する移動案内部を含み、
前記移動案内部が傾いた状態で内容物の自重または慣性によって前記移動案内部の面に沿って案内して内容物を通過させることを特徴とする、付記１４５に記載のバルブ。
【０８８５】
（付記１４９）
前記通過運動部は、
前記通過作動部が傾くか動く場合、前記通過運動部の自重、前記通過運動部の慣性、内容物が前記通過運動部を押圧する力のうち少なくとも一つによって運動することを特徴とする、付記１４６に記載のバルブ。
【０８８６】
（付記１５０）
前記通過運動部は、通過する内容物と同じ方向に運動し、内容物の通過を許容する開放部材を含むことを特徴とする、付記１４６または付記１４９に記載のバルブ。
【０８８７】
（付記１５１）
前記通過運動部は、前記開放部材とは別途で前記開放部材と連動して運動し、内容物が通過できないか部分的にのみ通過するように開放部の少なくとも一部を塞ぐ閉鎖部材を含むことを特徴とする、付記１５０に記載のバルブ。
【０８８８】
（付記１５２）
前記通過運動部は、前記開放部材と前記閉鎖部材の間に具備される通過隔室部を含み、
前記通過隔室部に隔室部収容量の内容物が収容されて前記収容された内容物を移動誘導することを特徴とする、付記１５０に記載のバルブ。
【０８８９】
（付記１５３）
前記通過運動部は、前記通過運動部の運動部重心位置と前記通過運動部の回転運動中心である運動部回転中心位置が相異するように具備されることを特徴とする、付記１４６に記載のバルブ。
【０８９０】
（付記１５４）
前記通過作動部は、内容物を通過させるために開放部を形成し、
前記通過作動部が傾くか動く場合、
前記通過運動部は、前記通過運動部の自重だけでは、内容物が前記開放部を通過可能な開放となる回転運動をしないか回転運動が抑制されることを特徴とする、付記１４６に記載のバルブ。
【０８９１】
（付記１５５）
前記通過運動部は、内容物が前記通過運動部に抵抗して開放部を開放する前に、前記通過運動部の自重によっては前記開放部を内容物が通過する程度に開放しないことを特徴とする、付記１４６に記載のバルブ。
【０８９２】
（付記１５６）
前記通過運動部は、
前記開放部材に連動して前記開放部材方向に運動し、前記開放部材とともに需要量の内容物を収容して運動する収容部材を含むことを特徴とする、付記１５０に記載のバルブ。
【０８９３】
（付記１５７）
前記通過運動部は、前記開放部材と前記収容部材の間に具備される通過隔室部を含み、
前記通過隔室部に隔室部収容量の内容物を収容して前記収容された内容物を移動誘導することを特徴とする、付記１５６に記載のバルブ。
【０８９４】
（付記１５８）
前記通過運動部は、内容物の収容のための底部を含み、
前記底部は、前記開放部材と前記開放部材と連動して需要量の内容物を収容して運動する収容部材の間に具備されることを特徴とする、付記１４６または付記１５０に記載のバルブ。
【０８９５】
（付記１５９）
前記開放部材は、自重または内容物の押圧力によって開放されるように運動して内容物を通過誘導することを特徴とする、付記１５０に記載のバルブ。
【０８９６】
（付記１６０）
内容物を入れる内容物移動器具に具備されて内容物を通過誘導する通過装置、および少なくとも一側に開放されるハウジングを含み、
前記通過装置は、内容物を通過させるための通過作動部を含み、
前記通過作動部は、内容物が移動するようにする内容物通過手段を含むことを特徴とする、内容物移動器具。
【０８９７】
（付記１６１）
前記内容物通過手段は、運動によって内容物の通過空間を形成する通過運動部を含むことを特徴とする、付記１６０に記載の内容物移動器具。
【０８９８】
（付記１６２）
前記通過作動部は、前記通過作動部の傾きまたは揺れによって発生する前記内容物通過手段の変形によって内容物が移動することを特徴とする、付記１６０に記載の内容物移動器具。
【０８９９】
（付記１６３）
前記通過作動部が傾く場合、内容物を移動案内する移動案内部を含み、
前記移動案内部が傾いた状態で内容物の自重または慣性によって前記移動案内部の面に沿って案内して内容物を通過させることを特徴とする、付記１６０に記載の内容物移動器具。
【０９００】
（付記１６４）
前記通過運動部は、前記通過作動部が傾くか動く場合、前記通過運動部の自重、前記通過運動部の慣性、内容物が前記通過運動部を押圧する力のうち少なくとも一つによって運動することを特徴とする、付記１６１に記載の内容物移動器具。
【０９０１】
（付記１６５）
前記通過運動部は、通過する内容物と同じ方向に運動し、内容物の通過を許容する開放部材を含むことを特徴とする、付記１６１に記載の内容物移動器具。
【０９０２】
（付記１６６）
前記通過運動部は、
前記開放部材とは別途で前記開放部材と連動して運動し、内容物が通過できないか部分的にのみ通過するように開放部の少なくとも一部を塞ぐ閉鎖部材を含むことを特徴とする、付記１６５に記載の内容物移動器具。
【０９０３】
（付記１６７）
前記通過運動部は、前記開放部材と前記閉鎖部材の間に具備される通過隔室部を含み、
前記通過隔室部に隔室部収容量の内容物が収容されて前記収容された内容物を移動誘導することを特徴とする、付記１６６に記載の内容物移動器具。
【０９０４】
（付記１６８）
前記通過運動部は、前記通過運動部の運動部重心位置と前記通過運動部の回転運動中心である運動部回転中心位置が相異するように具備されることを特徴とする、付記１６１に記載の内容物移動器具。
【０９０５】
（付記１６９）
前記通過作動部は、内容物を通過させるために開放部を形成し、
前記通過作動部が傾くか動く場合、
前記通過運動部は、前記通過運動部の自重だけでは、内容物が前記開放部を通過可能な開放となる回転運動をしないか回転運動が抑制されることを特徴とする、付記１６１または付記１６４に記載の内容物移動器具。
【０９０６】
（付記１７０）
前記通過運動部は、内容物が前記通過運動部を抵抗して開放部を開放する前に、前記通過運動部の自重によっては開放部を内容物が通過する程度に開放しないことを特徴とする、付記１６１または付記１６４に記載の内容物移動器具。
【０９０７】
（付記１７１）
前記通過運動部は、
前記開放部材に延長されて前記開放部材と同一方向に運動し、前記開放部材と連動して需要量の内容物を収容して運動する収容部材を含むことを特徴とする、付記１６５に記載の内容物移動器具。
【０９０８】
（付記１７２）
前記通過運動部は、前記開放部材と前記収容部材の間に具備される通過隔室部を含み、
前記通過隔室部に隔室部収容量の内容物を収容して前記収容された内容物を移動誘導することを特徴とする、付記１７１に記載の内容物移動器具。
【０９０９】
（付記１７３）
前記通過運動部は、内容物の収容のための底部を含み、前記底部は前記通過運動部内の内容物の重力方向下部を支持することを特徴とする、付記１６１に記載の内容物移動器具。
【０９１０】
（付記１７４）
前記通過運動部は、通過する内容物と同じ方向に運動し、内容物の通過を許容する開放部材を含み、
前記底部は、前記開放部材と前記開放部材と連動して需要量の内容物を収容して運動する収容部材の間に具備されることを特徴とする、付記１７３に記載の内容物移動器具。
【０９１１】
（付記１７５）
前記底部は、内容物の最長の長さの収容のための長さを具備することを特徴とする、付記１７３に記載の内容物移動器具。
【０９１２】
（付記１７６）
前記開放部材は、自重または内容物の押圧力によって開放されるように運動して内容物を通過誘導することを特徴とする、付記１６５に記載の内容物移動器具。
【０９１３】
（付記１７７）
内容物を入れる収容器具に具備され、内容物を通過誘導する通過装置、および少なくとも一側に開放されるハウジングを含み、
前記通過装置は、内容物を通過させるための通過作動部を含み、
前記通過作動部は、内容物が移動するようにする内容物通過手段を含むことを特徴とする、収容器具。
【０９１４】
（付記１７８）
内容物を含み、
内容物を通過誘導する通過装置、および少なくとも一側に開放されるハウジングを含み、
前記通過装置は、内容物を通過させるための通過作動部を含み、
前記通過作動部は、内容物が移動するようにする内容物通過手段を含むことを特徴とする、内容物器具。
【０９１５】
（付記１７９）
内容物の表面または内容物の内部に数字、文字、記号のうち少なくとも一つを表示して、
前記内容物通過手段を通過した内容物または前記内容物通過手段を通過していない内容物の前記表示を観察できることを特徴とする、付記１７８に記載の内容物器具。
【０９１６】
（付記１８０）
前記内容物器具は、ゲーム器具、ボードゲーム器具、玩具器具、学習器具のうち少なくとも一つであることを特徴とする、付記１７９に記載の内容物器具。
【図１】
0006765028.tif 000002
【図２】
0006765028.tif 000003
【図３】
0006765028.tif 000004
【図４】
0006765028.tif 000005
【図５】
0006765028.tif 000006
【図６】
0006765028.tif 000007
【図７】
0006765028.tif 000008
【図８】
0006765028.tif 000009
【図９】
0006765028.tif 000010
【図１０】
0006765028.tif 000011
【図１１】
0006765028.tif 000012
【図１２】
0006765028.tif 000013
【図１３】
0006765028.tif 000014
【図１４】
0006765028.tif 000015
【図１５】
0006765028.tif 000016
【図１６】
0006765028.tif 000017
【図１７】
0006765028.tif 000018
【図１８】
0006765028.tif 000019
【図１９】
0006765028.tif 000020
【図２０】
0006765028.tif 000021
【図２１】
0006765028.tif 000022
【図２２】
0006765028.tif 000023
【図２３】
0006765028.tif 000024
【図２４】
0006765028.tif 000025
【図２５】
0006765028.tif 000026
【図２６】
0006765028.tif 000027
【図２７】
0006765028.tif 000028
【図２８】
0006765028.tif 000029
【図２９】
0006765028.tif 000030
【図３０】
0006765028.tif 000031
【図３１】
0006765028.tif 000032
【図３２】
0006765028.tif 000033
【図３３】
0006765028.tif 000034
【図３４】
0006765028.tif 000035
【図３５】
0006765028.tif 000036
【図３６】
0006765028.tif 000037
【図３７】
0006765028.tif 000038
【図３８】
0006765028.tif 000039
【図３９】
0006765028.tif 000040
【図４０】
0006765028.tif 000041
【図４１】
0006765028.tif 000042
【図４２】
0006765028.tif 000043
【図４３】
0006765028.tif 000044
【図４４】
0006765028.tif 000045
【図４５】
0006765028.tif 000046
【図４６】
0006765028.tif 000047
【図４７】
0006765028.tif 000048
【図４８】
0006765028.tif 000049
【図４９】
0006765028.tif 000050
【図５０】
0006765028.tif 000051
【図５１】
0006765028.tif 000052
【図５２】
0006765028.tif 000053
【図５３】
0006765028.tif 000054
【図５４】
0006765028.tif 000055
【図５５】
0006765028.tif 000056
【図５６】
0006765028.tif 000057
【図５７】
0006765028.tif 000058
【図５８】
0006765028.tif 000059
【図５９】
0006765028.tif 000060
【図６０】
0006765028.tif 000061
【図６１】
0006765028.tif 000062
【図６２】
0006765028.tif 000063
【図６３】
0006765028.tif 000064
【図６４】
0006765028.tif 000065
【図６５】
0006765028.tif 000066
【図６６】
0006765028.tif 000067
【図６７】
0006765028.tif 000068